(57)【要約】      （修正有）【課題】簡単かつ迅速にアクセサリーの装着の有無及び種類を検出できるカメラシステム、カメラ、レンズ、アクセサリー、及び、カメラシステムのアクセサリー検出方法を提供する。【解決手段】レンズからカメラに向けてアクセサリー検出用データを送信する。レンズとカメラとの間にアクセサリーが装着されている場合、アクセサリーはアクセサリー検出用データを中継する。中継時、アクセサリーは、自身のアクセサリー情報を付加して、アクセサリー検出用データを更新する。カメラは、受信したアクセサリー検出用データに基づいて、アクセサリーの装着の有無及び装着数を検出する。また、装着を検出した場合には、装着されているアクセサリーの情報を取得する。【選択図】図１９
2020003810.tif 000002
【特許請求の範囲】
【請求項１】
カメラと、前記カメラに着脱自在に装着されるレンズと、前記カメラと前記レンズとの間に着脱自在に装着されるアクセサリーと、を備えたカメラシステムであって、
前記カメラは、
カメラ制御部と、
前記カメラ制御部に接続されるカメラ側主信号線と、
前記カメラ制御部に接続されるカメラ側副信号線と、
を備え、
前記レンズは、
レンズ制御部と、
前記レンズ制御部に接続され、かつ、前記レンズが前記カメラに装着された場合に前記カメラ側主信号線に接続されるレンズ側主信号線と、
前記レンズ制御部に接続され、かつ、前記レンズが前記カメラに装着された場合に前記カメラ側副信号線に接続されるレンズ側副信号線と、
を備え、
前記アクセサリーは、
アクセサリー制御部と、
前記アクセサリーが前記カメラ及び前記レンズの間に装着された場合に前記カメラ側主信号線及び前記レンズ側主信号線に接続されるアクセサリー側主信号線と、
前記アクセサリー制御部に接続され、かつ、前記アクセサリーが前記カメラに装着された場合に前記カメラ側副信号線に接続されるアクセサリー側第１副信号線と、
前記アクセサリー制御部に接続され、かつ、前記アクセサリーに前記レンズが装着された場合に前記レンズ側副信号線に接続されるアクセサリー側第２副信号線と、
を備え、
前記レンズ制御部は、前記レンズ側副信号線を介して、アクセサリー検出用データを前記カメラに向けて送信し、
前記アクセサリー制御部は、前記アクセサリー側第２副信号線を介して前記アクセサリー検出用データを受信すると、受信した前記アクセサリー検出用データにアクセサリー情報を付加して前記アクセサリー検出用データを更新し、かつ、更新した前記アクセサリー検出用データを、前記アクセサリー側第１副信号線を介して前記カメラに向けて送信し、
前記カメラ制御部は、前記カメラ側副信号線を介して前記アクセサリー検出用データを受信すると、受信した前記アクセサリー検出用データに基づいて、前記アクセサリーの装着の有無及び装着数を検出し、かつ、装着されている前記アクセサリーの情報を取得する、
カメラシステム。
【請求項２】
前記レンズ制御部が送信する前記アクセサリー検出用データにレンズ情報が含まれる、
請求項１に記載のカメラシステム。
【請求項３】
前記カメラ制御部及び前記レンズ制御部は、前記アクセサリー検出用データを送受信する処理と並行して、前記カメラ側主信号線及び前記レンズ側主信号線を用いた同期式のシリアル通信の初期設定を行う、
請求項１又は２に記載のカメラシステム。
【請求項４】
前記カメラ側主信号線及び前記レンズ側主信号線が複数本の信号線で構成され、
前記カメラ制御部及び前記レンズ制御部は、前記カメラ側主信号線及び前記レンズ側主信号線を用いて同期式のシリアル通信を行う、
請求項１から３のいずれか１項に記載のカメラシステム。
【請求項５】
前記カメラ側副信号線及び前記レンズ側副信号線が単線の信号線で構成され、
前記カメラ制御部及び前記レンズ制御部は、前記カメラ側副信号線及び前記レンズ側副信号線を用いて調歩同期式のシリアル通信を行う、
請求項１から４のいずれか１項に記載のカメラシステム。
【請求項６】
前記アクセサリーが複数装着される場合において、
前記アクセサリー制御部は、前記アクセサリー検出用データを受信すると、前記アクセサリー検出用データに含まれる既存の情報の後に前記アクセサリー情報を追記して前記アクセサリー検出用データを更新し、
前記カメラ制御部は、前記アクセサリー検出用データに含まれる前記アクセサリー情報の順番に基づいて、前記アクセサリーの装着順の情報を取得する、
請求項１から５のいずれか１項に記載のカメラシステム。
【請求項７】
前記カメラ制御部は、更に、前記アクセサリー検出用データに含まれる前記アクセサリー情報に基づいて、前記アクセサリーの正否を判定し、前記アクセサリーの装着の適否を判定する、
請求項６に記載のカメラシステム。
【請求項８】
前記カメラ制御部は、更に、検出した前記アクセサリーの装着数に基づいて、装着数の適否を判定し、前記アクセサリーの装着の適否を判定する、
請求項６又は７に記載のカメラシステム。
【請求項９】
前記カメラ制御部は、更に、取得した前記アクセサリーの装着順の情報に基づいて、装着順の適否を判定し、前記アクセサリーの装着の適否を判定する、
請求項６から８のいずれか１項に記載のカメラシステム。
【請求項１０】
前記カメラは、警告を報知する報知部を更に備え、
前記カメラ制御部は、前記アクセサリーの装着が不適正と判定すると、前記報知部に警告を報知させる、
請求項７から９のいずれか１項に記載のカメラシステム。
【請求項１１】
前記カメラ制御部は、前記アクセサリーの装着が不適正と判定すると、前記レンズに対する制御を停止又は変更する、
請求項７から１０のいずれか１項に記載のカメラシステム。
【請求項１２】
前記アクセサリーは、
前記アクセサリー制御部を回避して、前記アクセサリー側第１副信号線と前記アクセサリー側第２副信号線とを直接接続するバイパス信号線と、
前記バイパス信号線に通信経路を切り換える通信経路切換スイッチと、
を更に備える、
請求項１から１１のいずれか１項に記載のカメラシステム。
【請求項１３】
前記アクセサリー制御部は、前記アクセサリー検出用データを送信した後、前記通信経路切換スイッチにより前記バイパス信号線に通信経路を切り換える、
請求項１２に記載のカメラシステム。
【請求項１４】
前記アクセサリーの通信経路が前記バイパス信号線に切り換えられた場合、前記レンズ制御部は、前記カメラ側副信号線及び前記レンズ側副信号線を用いて、前記レンズの動作情報を送信する、
請求項１３に記載のカメラシステム。
【請求項１５】
レンズとの間にアクセサリーの装着が可能なカメラであって、
カメラ制御部と、
前記カメラ制御部に接続されるカメラ側主信号線と、
前記カメラ制御部に接続されるカメラ側副信号線と、
を備え、
前記レンズには、レンズ制御部と、前記レンズ制御部に接続され、かつ、前記レンズが前記カメラに装着された場合に前記カメラ側主信号線に接続されるレンズ側主信号線と、前記レンズ制御部に接続され、かつ、前記レンズが前記カメラに装着された場合に前記カメラ側副信号線に接続されるレンズ側副信号線と、が備えられ、
前記アクセサリーには、アクセサリー制御部と、前記アクセサリーが前記カメラ及び前記レンズの間に装着された場合に前記カメラ側主信号線及び前記レンズ側主信号線に接続されるアクセサリー側主信号線と、前記アクセサリー制御部に接続され、かつ、前記アクセサリーが前記カメラに装着された場合に前記カメラ側副信号線に接続されるアクセサリー側第１副信号線と、前記アクセサリー制御部に接続され、かつ、前記アクセサリーに前記レンズが装着された場合に前記レンズ側副信号線に接続されるアクセサリー側第２副信号線と、が備えられ、
前記レンズ制御部は、前記レンズ側副信号線を介して、アクセサリー検出用データを前記カメラに向けて送信し、
前記アクセサリー制御部は、前記アクセサリー側第２副信号線を介して前記アクセサリー検出用データを受信すると、受信した前記アクセサリー検出用データにアクセサリー情報を付加して前記アクセサリー検出用データを更新し、かつ、更新した前記アクセサリー検出用データを、前記アクセサリー側第１副信号線を介して前記カメラに向けて送信し、
前記カメラ制御部は、前記カメラ側副信号線を介して前記アクセサリー検出用データを受信すると、受信した前記アクセサリー検出用データに基づいて、前記アクセサリーの装着の有無及び装着数を検出し、かつ、装着されている前記アクセサリーの情報を取得する、
カメラ。
【請求項１６】
カメラとの間にアクセサリーの装着が可能なレンズであって、
レンズ制御部と、
前記レンズ制御部に接続され、かつ、前記レンズが前記カメラに装着された場合に前記カメラに備えられたカメラ側主信号線に接続されるレンズ側主信号線と、
前記レンズ制御部に接続され、かつ、前記レンズが前記カメラに装着された場合に前記カメラに備えられたカメラ側副信号線に接続されるレンズ側副信号線と、
を備え、
前記カメラには、前記カメラ側主信号線及び前記カメラ側副信号線が接続されるカメラ制御部が備えられ、
前記アクセサリーには、アクセサリー制御部と、前記アクセサリーが前記カメラ及び前記レンズの間に装着された場合に前記カメラ側主信号線及び前記レンズ側主信号線に接続されるアクセサリー側主信号線と、前記アクセサリー制御部に接続され、かつ、前記アクセサリーが前記カメラに装着された場合に前記カメラ側副信号線に接続されるアクセサリー側第１副信号線と、前記アクセサリー制御部に接続され、かつ、前記アクセサリーに前記レンズが装着された場合に前記レンズ側副信号線に接続されるアクセサリー側第２副信号線と、が備えられ、
前記レンズ制御部は、前記レンズ側副信号線を介して、アクセサリー検出用データを前記カメラに向けて送信し、
前記アクセサリー制御部は、前記アクセサリー側第２副信号線を介して前記アクセサリー検出用データを受信すると、受信した前記アクセサリー検出用データにアクセサリー情報を付加して前記アクセサリー検出用データを更新し、かつ、更新した前記アクセサリー検出用データを、前記アクセサリー側第１副信号線を介して前記カメラに向けて送信し、
前記カメラに備えられたカメラ制御部は、前記カメラ側副信号線を介して前記アクセサリー検出用データを受信すると、受信した前記アクセサリー検出用データに基づいて、前記アクセサリーの装着の有無及び装着数を検出し、かつ、装着されている前記アクセサリーの情報を取得する、
レンズ。
【請求項１７】
カメラとレンズとの間に着脱自在に装着されるアクセサリーであって、
アクセサリー制御部と、
前記アクセサリーが前記カメラ及び前記レンズの間に装着された場合に前記カメラに備えられたカメラ側主信号線及び前記レンズに備えられたレンズ側主信号線に接続されるアクセサリー側主信号線と、
前記アクセサリー制御部に接続され、かつ、前記アクセサリーが前記カメラに装着された場合に前記カメラに備えられたカメラ側副信号線に接続されるアクセサリー側第１副信号線と、
前記アクセサリー制御部に接続され、かつ、前記アクセサリーに前記レンズが装着された場合に前記レンズに備えられたレンズ側副信号線に接続されるアクセサリー側第２副信号線と、
を備え、
前記カメラには、前記カメラ側主信号線及び前記カメラ側副信号線が接続されるカメラ制御部が備えられ、
前記レンズには、前記レンズ側主信号線及び前記レンズ側副信号線が接続されるレンズ制御部が備えられ、
前記レンズ制御部は、前記レンズ側副信号線を介して、アクセサリー検出用データを前記カメラに向けて送信し、
前記アクセサリー制御部は、前記アクセサリー側第２副信号線を介して前記アクセサリー検出用データを受信すると、受信した前記アクセサリー検出用データにアクセサリー情報を付加して前記アクセサリー検出用データを更新し、かつ、更新した前記アクセサリー検出用データを、前記アクセサリー側第１副信号線を介して前記カメラに向けて送信し、
前記カメラ制御部は、前記カメラ側副信号線を介して前記アクセサリー検出用データを受信すると、受信した前記アクセサリー検出用データに基づいて、前記アクセサリーの装着の有無及び装着数を検出し、かつ、装着されている前記アクセサリーの情報を取得する、
アクセサリー。
【請求項１８】
カメラと、前記カメラに着脱自在に装着されるレンズと、前記カメラと前記レンズとの間に着脱自在に装着されるアクセサリーと、を備えたカメラシステムにおいて、前記カメラと前記レンズとの間に装着されている前記アクセサリーを検出するアクセサリー検出方法であって、
前記レンズから前記カメラに向けてアクセサリー検出用データを送信するステップと、
前記カメラと前記レンズとの間に前記アクセサリーが装着されている場合に前記アクセサリー検出用データを中継するステップと、
前記アクセサリーが前記アクセサリー検出用データを中継する際に、前記アクセサリー検出用データにアクセサリー情報を付加して前記アクセサリー検出用データを更新するステップと、
前記カメラが前記アクセサリー検出用データを受信した場合に、前記アクセサリー検出用データに基づいて、前記アクセサリーの装着の有無及び装着数を検出し、かつ、装着されている前記アクセサリーの情報を取得するステップと、
を含むカメラシステムのアクセサリー検出方法。
【請求項１９】
前記レンズから前記カメラに向けてアクセサリー検出用データを送信するステップでは、前記アクセサリー検出用データにレンズ情報を含めて送信する、
請求項１８に記載のカメラシステムのアクセサリー検出方法。
【請求項２０】
同期式のシリアル通信を行う主信号線と、調歩同期式のシリアル通信を行う副信号線と、を備え、
前記アクセサリー検出用データは、前記副信号線を介して送信し、
前記アクセサリー検出用データを送受信する処理と並行して、前記主信号線を用いた同期式のシリアル通信の初期設定を行うステップを更に含む、
請求項１８又は１９に記載のカメラシステムのアクセサリー検出方法。
【請求項２１】
前記アクセサリー検出用データを更新するステップでは、既存の情報の後に前記アクセサリー情報を追記して前記アクセサリー検出用データを更新し、
前記アクセサリーの装着の有無及び装着数を検出し、かつ、装着されている前記アクセサリーの情報を取得するステップでは、前記アクセサリー検出用データに含まれる前記アクセサリー情報の順番に基づいて、前記アクセサリーの装着順の情報を取得する、
請求項１８から２０のいずれか１項に記載のカメラシステムのアクセサリー検出方法。
【請求項２２】
前記アクセサリー検出用データに含まれる前記アクセサリー情報に基づいて、前記アクセサリーの正否を判定し、前記アクセサリーの装着の適否を判定するステップを更に含む、
請求項２１に記載のカメラシステムのアクセサリー検出方法。
【請求項２３】
検出した前記アクセサリーの装着数に基づいて、装着数の適否を判定し、前記アクセサリーの装着の適否を判定するステップを更に含む、
請求項２１又は２２に記載のカメラシステムのアクセサリー検出方法。
【請求項２４】
取得した前記アクセサリーの装着順の情報に基づいて、装着順の適否を判定し、前記アクセサリーの装着の適否を判定するステップを更に含む、
請求項２１から２３のいずれか１項に記載のカメラシステムのアクセサリー検出方法。
【請求項２５】
前記アクセサリーの装着が不適正と判定した場合に警告するステップを更に含む、
請求項２２から２４のいずれか１項に記載のカメラシステムのアクセサリー検出方法。
【請求項２６】
前記アクセサリーの装着が不適正と判定した場合に前記レンズに対する制御を停止又は変更するステップを更に含む、
請求項２２から２５のいずれか１項に記載のカメラシステムのアクセサリー検出方法。
【発明の詳細な説明】
【技術分野】
【０００１】
本発明は、アクセサリーを備えたレンズ交換式のカメラシステムにおいて、カメラに装着されたアクセサリーの情報を取得する技術に関する。
【背景技術】
【０００２】
エクステンダー、エクステンションチューブ等のアクセサリーを備えたレンズ交換式のカメラシステムが知られている。この種のカメラシステムでは、起動時にアクセサリーの装着の有無及び種類が検出される。従来は、通信により相互に情報をやりとりして、アクセサリーの装着の有無及び種類を検出していた（たとえば、特許文献１等）。
【先行技術文献】
【特許文献】
【０００３】
【特許文献１】特開2010-54629号公報
【発明の概要】
【発明が解決しようとする課題】
【０００４】
しかしながら、通信により相互に情報をやりとりして、アクセサリーの装着の有無及び種類を検出する方式では、通信を確立するための設定等に時間を要し、起動に時間がかかるという欠点がある。
【０００５】
本発明は、このような事情に鑑みてなされたもので、簡単かつ迅速にアクセサリーの装着の有無及び種類を検出できるカメラシステム、カメラ、レンズ、アクセサリー、及び、カメラシステムのアクセサリー検出方法を提供することを目的とする。
【課題を解決するための手段】
【０００６】
上記課題を解決するための手段は、次のとおりである。
【０００７】
（１）カメラと、カメラに着脱自在に装着されるレンズと、カメラとレンズとの間に着脱自在に装着されるアクセサリーと、を備えたカメラシステムであって、カメラは、カメラ制御部と、カメラ制御部に接続されるカメラ側主信号線と、カメラ制御部に接続されるカメラ側副信号線と、を備え、レンズは、レンズ制御部と、レンズ制御部に接続され、かつ、レンズがカメラに装着された場合にカメラ側主信号線に接続されるレンズ側主信号線と、レンズ制御部に接続され、かつ、レンズがカメラに装着された場合にカメラ側副信号線に接続されるレンズ側副信号線と、を備え、アクセサリーは、アクセサリー制御部と、アクセサリーがカメラ及びレンズの間に装着された場合にカメラ側主信号線及びレンズ側主信号線に接続されるアクセサリー側主信号線と、アクセサリー制御部に接続され、かつ、アクセサリーがカメラに装着された場合にカメラ側副信号線に接続されるアクセサリー側第１副信号線と、アクセサリー制御部に接続され、かつ、アクセサリーにレンズが装着された場合にレンズ側副信号線に接続されるアクセサリー側第２副信号線と、を備え、レンズ制御部は、レンズ側副信号線を介して、アクセサリー検出用データをカメラに向けて送信し、アクセサリー制御部は、アクセサリー側第２副信号線を介してアクセサリー検出用データを受信すると、受信したアクセサリー検出用データにアクセサリー情報を付加してアクセサリー検出用データを更新し、かつ、更新したアクセサリー検出用データを、アクセサリー側第１副信号線を介してカメラに向けて送信し、カメラ制御部は、カメラ側副信号線を介してアクセサリー検出用データを受信すると、受信したアクセサリー検出用データに基づいて、アクセサリーの装着の有無及び装着数を検出し、かつ、装着されているアクセサリーの情報を取得する、カメラシステム。
【０００８】
本態様によれば、主信号線（カメラ側主信号線、レンズ側主信号線、アクセサリー側主信号線）に加えて、副信号線（カメラ側副信号線、レンズ側副信号線、アクセサリー側第１副信号線、アクセサリー側第２信号線）が備えられる。レンズ制御部は、レンズ側副信号線を介してアクセサリー検出用データをカメラに向けて送信する。アクセサリーが装着されている場合、レンズ制御部から送信されたアクセサリー検出用データは、アクセサリー制御部で受信される。アクセサリー制御部は、受信したアクセサリー検出用データにアクセサリー情報を付加してアクセサリー検出用データを更新する。そして、更新したアクセサリー検出用データをカメラに向けて送信する。アクセサリーが複数装着されている場合は、アクセサリーごとにアクセサリー情報が付加されて、アクセサリー検出用データが更新される。アクセサリー検出用データは、最終的にカメラ制御部に受信される。カメラ制御部は、受信したアクセサリー検出用データに基づいて、アクセサリーの装着の有無及び装着数を検出する。具体的には、アクセサリー検出用データにアクセサリー情報が含まれるか否かを判定して、アクセサリーの装着の有無を検出する。アクセサリーが装着されている場合、アクセサリー検出用データには、必ずアクセサリー情報が含まれる。したがって、アクセサリー情報の有無からアクセサリーの装着の有無を判定できる。また、アクセサリー情報が含まれる場合には、そのアクセサリー情報の数から装着されているアクセサリーの数を判定できる。アクセサリーの装着を検出した場合、カメラ制御部は、アクセサリー検出用データからアクセサリー情報を抽出して、装着されているアクセサリーの情報を取得する。これにより、装着されているアクセサリーの種類を判定できる。このように、本態様では、レンズからカメラに向けてアクセサリー検出用データを送信し、その中継先のアクセサリーでアクセサリー検出用データにアクセサリー情報を付加する。そして、最終的にカメラで受信されるアクセサリー検出用データからアクセサリーの装着の有無及び種類を検出する。これにより、簡単かつ迅速にアクセサリーの装着の有無及び種類を検出できる。
【０００９】
（２）レンズ制御部が送信するアクセサリー検出用データにレンズ情報が含まれる、上記（１）のカメラシステム。
【００１０】
本態様によれば、レンズ制御部が送信するアクセサリー検出用データにレンズ情報が含まれる。これにより、アクセサリーの検出と同時にレンズの情報も取得できる。
【００１１】
（３）カメラ制御部及びレンズ制御部は、アクセサリー検出用データを送受信する処理と並行して、カメラ側主信号線及びレンズ側主信号線を用いた同期式のシリアル通信の初期設定を行う、上記（１）又は（２）のカメラシステム。
【００１２】
本態様によれば、アクセサリー検出用データを送受信する処理、すなわち、アクセサリーを検出する処理と並行して、カメラ側主信号線及びレンズ側主信号線を用いた同期式のシリアル通信の初期設定が行われる。これにより、起動を高速化できる。
【００１３】
（４）カメラ側主信号線及びレンズ側主信号線が複数本の信号線で構成され、カメラ制御部及びレンズ制御部は、カメラ側主信号線及びレンズ側主信号線を用いて同期式のシリアル通信を行う、上記（１）から（３）のいずれか一のカメラシステム。
【００１４】
本態様によれば、カメラ側主信号線及びレンズ側主信号線が複数本の信号線で構成され、そのカメラ側主信号線及びレンズ側主信号線を用いて同期式のシリアル通信が行われる。
【００１５】
（５）カメラ側副信号線及びレンズ側副信号線が単線の信号線で構成され、カメラ制御部及びレンズ制御部は、カメラ側副信号線及びレンズ側副信号線を用いて調歩同期式のシリアル通信を行う、上記（１）から（４）のいずれか一のカメラシステム。
【００１６】
本態様によれば、カメラ側副信号線及びレンズ側副信号線が単線の信号線で構成され、そのカメラ側副信号線及びレンズ側副信号線を用いて調歩同期式のシリアル通信が行われる。
【００１７】
（６）アクセサリーが複数装着される場合において、アクセサリー制御部は、アクセサリー検出用データを受信すると、アクセサリー検出用データに含まれる既存の情報の後にアクセサリー情報を追記してアクセサリー検出用データを更新し、カメラ制御部は、アクセサリー検出用データに含まれるアクセサリー情報の順番に基づいて、アクセサリーの装着順の情報を取得する、上記（１）から（５）のいずれか一のカメラシステム。
【００１８】
本態様によれば、中継先のアクセサリーでアクセサリー検出用データを更新する際、アクセサリー検出用データに含まれる既存の情報の後にアクセサリー情報が追記されて、アクセサリー検出用データが更新される。これにより、アクセサリー検出用データからアクセサリーの装着順の情報を取得できる。すなわち、アクセサリー検出用データに含まれるアクセサリー情報の順番と、実際のアクセサリーの装着順とが一致するので、アクセサリー検出用データに含まれるアクセサリー情報の順番からアクセサリーの装着順を判定できる。
【００１９】
（７）カメラ制御部は、更に、アクセサリー検出用データに含まれるアクセサリー情報に基づいて、アクセサリーの正否を判定し、アクセサリーの装着の適否を判定する、上記（６）のカメラシステム。
【００２０】
本態様によれば、アクセサリー検出用データに含まれるアクセサリー情報に基づいて、アクセサリーの正否が判定され、その判定結果に基づいて、アクセサリーの装着の適否が判定される。具体的には、装着されているアクセサリーが正規のアクセサリーか否かが判定される。正規のアクセサリーではない場合、アクセサリーの装着が不適正と判定される。これにより、適切にアクセサリーを装着できる。
【００２１】
（８）カメラ制御部は、更に、検出したアクセサリーの装着数に基づいて、装着数の適否を判定し、アクセサリーの装着の適否を判定する、上記（６）又は（７）のカメラシステム。
【００２２】
本態様によれば、検出したアクセサリーの装着数に基づいて、装着数の適否を判定され、その判定結果に基づいて、アクセサリーの装着の適否が判定される。具体的には、検出された装着数が、あらかじめ設定された装着数の上限を超えているか否が判定される。上限を超えている場合、アクセサリーの装着が不適正と判定される。これにより、適切にアクセサリーを装着できる。
【００２３】
（９）カメラ制御部は、更に、取得したアクセサリーの装着順の情報に基づいて、装着順の適否を判定し、アクセサリーの装着の適否を判定する、上記（６）から（８）のいずれか一のカメラシステム。
【００２４】
本態様によれば、取得したアクセサリーの装着順の情報に基づいて、装着順の適否が判定され、その判定結果に基づいて、アクセサリーの装着の適否が判定される。具体的には、複数のアクセサリーの装着が検出された場合に装着順が適正か否か判定される。装着順が不適正な場合、アクセサリーの装着が不適正と判定される。これにより、適切にアクセサリーを装着できる。
【００２５】
（１０）カメラは、警告を報知する報知部を更に備え、カメラ制御部は、アクセサリーの装着が不適正と判定すると、報知部に警告を報知させる、上記（７）から（９）のいずれか一のカメラシステム。
【００２６】
本態様によれば、アクセサリーの装着が不適正と判定されると、警告が報知される。これにより、不適正なアクセサリーの装着を防止できる。
【００２７】
（１１）カメラ制御部は、アクセサリーの装着が不適正と判定すると、レンズに対する制御を停止又は変更する、上記（７）から（１０）のいずれか一のカメラシステム。
【００２８】
本態様によれば、アクセサリーの装着が不適正と判定されると、レンズに対する制御が停止又は変更される。これにより、不適切な撮影が行われるのを未然に防止できる。
【００２９】
（１２）アクセサリーは、アクセサリー制御部を回避して、アクセサリー側第１副信号線とアクセサリー側第２副信号線とを直接接続するバイパス信号線と、バイパス信号線に通信経路を切り換える通信経路切換スイッチと、を更に備える、上記（１）から（１１）のいずれか一のカメラシステム。
【００３０】
本態様によれば、アクセサリー制御部を回避して、アクセサリー側第１副信号線とアクセサリー側第２副信号線とを直接接続するバイパス信号線と、そのバイパス信号線に通信経路を切り換える通信経路切換スイッチと、が備えられる。通信経路をバイパス信号線に切り換えることにより、カメラとレンズとが直接通信できる。
【００３１】
（１３）アクセサリー制御部は、アクセサリー検出用データを送信した後、通信経路切換スイッチによりバイパス信号線に通信経路を切り換える、上記（１２）のカメラシステム。
【００３２】
本態様によれば、アクセサリー検出用データを送信した後、通信経路がバイパス信号線に切り換えられる。すなわち、アクセサリーの検出処理後は、副信号線がレンズとカメラとの間の通信に使用される。これにより、アクセサリーの検出以外にも副信号線を有効に活用できる。
【００３３】
（１４）アクセサリーの通信経路がバイパス信号線に切り換えられた場合、レンズ制御部は、カメラ側副信号線及びレンズ側副信号線を用いて、レンズの動作情報を送信する、上記（１３）のカメラシステム。
【００３４】
本態様によれば、アクセサリーの通信経路がバイパス信号線に切り換えられた場合、副信号線がレンズの動作情報の通知に使用される。
【００３５】
（１５）レンズとの間にアクセサリーの装着が可能なカメラであって、カメラ制御部と、カメラ制御部に接続されるカメラ側主信号線と、カメラ制御部に接続されるカメラ側副信号線と、を備え、レンズには、レンズ制御部と、レンズ制御部に接続され、かつ、レンズがカメラに装着された場合にカメラ側主信号線に接続されるレンズ側主信号線と、レンズ制御部に接続され、かつ、レンズがカメラに装着された場合にカメラ側副信号線に接続されるレンズ側副信号線と、が備えられ、アクセサリーには、アクセサリー制御部と、アクセサリーがカメラ及びレンズの間に装着された場合にカメラ側主信号線及びレンズ側主信号線に接続されるアクセサリー側主信号線と、アクセサリー制御部に接続され、かつ、アクセサリーがカメラに装着された場合にカメラ側副信号線に接続されるアクセサリー側第１副信号線と、アクセサリー制御部に接続され、かつ、アクセサリーにレンズが装着された場合にレンズ側副信号線に接続されるアクセサリー側第２副信号線と、が備えられ、レンズ制御部は、レンズ側副信号線を介して、アクセサリー検出用データをカメラに向けて送信し、アクセサリー制御部は、アクセサリー側第２副信号線を介してアクセサリー検出用データを受信すると、受信したアクセサリー検出用データにアクセサリー情報を付加してアクセサリー検出用データを更新し、かつ、更新したアクセサリー検出用データを、アクセサリー側第１副信号線を介してカメラに向けて送信し、カメラ制御部は、カメラ側副信号線を介してアクセサリー検出用データを受信すると、受信したアクセサリー検出用データに基づいて、アクセサリーの装着の有無及び装着数を検出し、かつ、装着されているアクセサリーの情報を取得する、カメラ。
【００３６】
本態様によれば、最終的にカメラで受信されるアクセサリー検出用データからアクセサリーの装着の有無及び種類を検出できる。
【００３７】
（１６）カメラとの間にアクセサリーの装着が可能なレンズであって、レンズ制御部と、レンズ制御部に接続され、かつ、レンズがカメラに装着された場合にカメラに備えられたカメラ側主信号線に接続されるレンズ側主信号線と、レンズ制御部に接続され、かつ、レンズがカメラに装着された場合にカメラに備えられたカメラ側副信号線に接続されるレンズ側副信号線と、を備え、カメラには、カメラ側主信号線及びカメラ側副信号線が接続されるカメラ制御部が備えられ、アクセサリーには、アクセサリー制御部と、アクセサリーがカメラ及びレンズの間に装着された場合にカメラ側主信号線及びレンズ側主信号線に接続されるアクセサリー側主信号線と、アクセサリー制御部に接続され、かつ、アクセサリーがカメラに装着された場合にカメラ側副信号線に接続されるアクセサリー側第１副信号線と、アクセサリー制御部に接続され、かつ、アクセサリーにレンズが装着された場合にレンズ側副信号線に接続されるアクセサリー側第２副信号線と、が備えられ、レンズ制御部は、レンズ側副信号線を介して、アクセサリー検出用データをカメラに向けて送信し、アクセサリー制御部は、アクセサリー側第２副信号線を介してアクセサリー検出用データを受信すると、受信したアクセサリー検出用データにアクセサリー情報を付加してアクセサリー検出用データを更新し、かつ、更新したアクセサリー検出用データを、アクセサリー側第１副信号線を介してカメラに向けて送信し、カメラに備えられたカメラ制御部は、カメラ側副信号線を介してアクセサリー検出用データを受信すると、受信したアクセサリー検出用データに基づいて、アクセサリーの装着の有無及び装着数を検出し、かつ、装着されているアクセサリーの情報を取得する、レンズ。
【００３８】
本態様によれば、最終的にカメラで受信されるアクセサリー検出用データからアクセサリーの装着の有無及び種類を検出できる。
【００３９】
（１７）カメラとレンズとの間に着脱自在に装着されるアクセサリーであって、アクセサリー制御部と、アクセサリーがカメラ及びレンズの間に装着された場合にカメラに備えられたカメラ側主信号線及びレンズに備えられたレンズ側主信号線に接続されるアクセサリー側主信号線と、アクセサリー制御部に接続され、かつ、アクセサリーがカメラに装着された場合にカメラに備えられたカメラ側副信号線に接続されるアクセサリー側第１副信号線と、アクセサリー制御部に接続され、かつ、アクセサリーにレンズが装着された場合にレンズに備えられたレンズ側副信号線に接続されるアクセサリー側第２副信号線と、を備え、カメラには、カメラ側主信号線及びカメラ側副信号線が接続されるカメラ制御部が備えられ、レンズには、レンズ側主信号線及びレンズ側副信号線が接続されるレンズ制御部が備えられ、レンズ制御部は、レンズ側副信号線を介して、アクセサリー検出用データをカメラに向けて送信し、アクセサリー制御部は、アクセサリー側第２副信号線を介してアクセサリー検出用データを受信すると、受信したアクセサリー検出用データにアクセサリー情報を付加してアクセサリー検出用データを更新し、かつ、更新したアクセサリー検出用データを、アクセサリー側第１副信号線を介してカメラに向けて送信し、カメラ制御部は、カメラ側副信号線を介してアクセサリー検出用データを受信すると、受信したアクセサリー検出用データに基づいて、アクセサリーの装着の有無及び装着数を検出し、かつ、装着されているアクセサリーの情報を取得する、アクセサリー。
【００４０】
本態様によれば、最終的にカメラで受信されるアクセサリー検出用データからアクセサリーの装着の有無及び種類を検出できる。
【００４１】
（１８）カメラと、カメラに着脱自在に装着されるレンズと、カメラとレンズとの間に着脱自在に装着されるアクセサリーと、を備えたカメラシステムにおいて、カメラとレンズとの間に装着されているアクセサリーを検出するアクセサリー検出方法であって、レンズからカメラに向けてアクセサリー検出用データを送信するステップと、カメラとレンズとの間にアクセサリーが装着されている場合にアクセサリー検出用データを中継するステップと、アクセサリーがアクセサリー検出用データを中継する際に、アクセサリー検出用データにアクセサリー情報を付加してアクセサリー検出用データを更新するステップと、カメラがアクセサリー検出用データを受信した場合に、アクセサリー検出用データに基づいて、アクセサリーの装着の有無及び装着数を検出し、かつ、装着されているアクセサリーの情報を取得するステップと、を含むカメラシステムのアクセサリー検出方法。
【００４２】
本態様によれば、レンズから送信されたアクセサリー検出用データが、次々にアクセサリーで中継されて、カメラに受信される。各アクセサリーは、アクセサリー検出用データを中継する過程で自身のアクセサリー情報をアクセサリー検出用データに付加する。最終的にカメラで受信されるアクセサリー検出用データには、装着された全てのアクセサリーのアクセサリー情報が含まれる。したがって、カメラで受信されたアクセサリー検出用データを解析すれば、アクセサリーの装着の有無及び装着数を検出できる。また、アクセサリー検出用データに含まれるアクセサリーの情報を抽出することにより、装着されているアクセサリーの情報を取得できる。
【００４３】
（１９）レンズからカメラに向けてアクセサリー検出用データを送信するステップでは、アクセサリー検出用データにレンズ情報を含めて送信する、上記（１８）のカメラシステムのアクセサリー検出方法。
【００４４】
本態様によれば、レンズからカメラに向けて送信するアクセサリー検出用データにレンズ情報が含まれる。これにより、アクセサリーの検出と同時にレンズの情報を取得できる。
【００４５】
（２０）同期式のシリアル通信を行う主信号線と、調歩同期式のシリアル通信を行う副信号線と、を備え、アクセサリー検出用データは、副信号線を介して送信し、アクセサリー検出用データを送受信する処理と並行して、主信号線を用いた同期式のシリアル通信の初期設定を行うステップを更に含む、上記（１８）又は（１９）のカメラシステムのアクセサリー検出方法。
【００４６】
本態様によれば、アクセサリー検出用データを送受信する処理、すなわち、アクセサリーを検出する処理と並行して、主信号線を用いた同期式のシリアル通信の初期設定が行われる。これにより、起動を高速化できる。
【００４７】
（２１）アクセサリー検出用データを更新するステップでは、既存の情報の後にアクセサリー情報を追記してアクセサリー検出用データを更新し、アクセサリーの装着の有無及び装着数を検出し、かつ、装着されているアクセサリーの情報を取得するステップでは、アクセサリー検出用データに含まれるアクセサリー情報の順番に基づいて、アクセサリーの装着順の情報を取得する、上記（１８）から（２０）のいずれか一のカメラシステムのアクセサリー検出方法。
【００４８】
本態様によれば、中継先のアクセサリーでアクセサリー検出用データを更新する際、アクセサリー検出用データに含まれる既存の情報の後にアクセサリー情報が追記されて、アクセサリー検出用データが更新される。これにより、アクセサリー検出用データからアクセサリーの装着順の情報を取得できる。すなわち、アクセサリー検出用データに含まれるアクセサリー情報の順番と、実際のアクセサリーの装着順とが一致するので、アクセサリー検出用データに含まれるアクセサリー情報の順番からアクセサリーの装着順を判定できる。
【００４９】
（２２）アクセサリー検出用データに含まれるアクセサリー情報に基づいて、アクセサリーの正否を判定し、アクセサリーの装着の適否を判定するステップを更に含む、上記（２１）のカメラシステムのアクセサリー検出方法。
【００５０】
本態様によれば、アクセサリー検出用データに含まれるアクセサリー情報に基づいて、アクセサリーの正否が判定され、その判定結果に基づいて、アクセサリーの装着の適否が判定される。具体的には、装着されているアクセサリーが正規のアクセサリーか否かが判定される。正規のアクセサリーではない場合、アクセサリーの装着が不適正と判定される。これにより、適切にアクセサリーを装着できる。
【００５１】
（２３）検出したアクセサリーの装着数に基づいて、装着数の適否を判定し、アクセサリーの装着の適否を判定するステップを更に含む、上記（２１）又は（２２）のカメラシステムのアクセサリー検出方法。
【００５２】
本態様によれば、検出したアクセサリーの装着数に基づいて、装着数の適否を判定され、その判定結果に基づいて、アクセサリーの装着の適否が判定される。具体的には、検出された装着数が、あらかじめ設定された装着数の上限を超えているか否が判定される。上限を超えている場合、アクセサリーの装着が不適正と判定される。これにより、適切にアクセサリーを装着できる。
【００５３】
（２４）取得したアクセサリーの装着順の情報に基づいて、装着順の適否を判定し、アクセサリーの装着の適否を判定するステップを更に含む、上記（２１）から（２３）のいずれか一のカメラシステムのアクセサリー検出方法。
【００５４】
本態様によれば、取得したアクセサリーの装着順の情報に基づいて、装着順の適否が判定され、その判定結果に基づいて、アクセサリーの装着の適否が判定される。具体的には、複数のアクセサリーの装着が検出された場合に装着順が適正か否か判定される。装着順が不適正な場合、アクセサリーの装着が不適正と判定される。これにより、適切にアクセサリーを装着できる。
【００５５】
（２５）アクセサリーの装着が不適正と判定した場合に警告するステップを更に含む、上記（２２）から（２４）のいずれか一のカメラシステムのアクセサリー検出方法。
【００５６】
本態様によれば、アクセサリーの装着が不適正と判定されると、警告が報知される。これにより、不適正なアクセサリーの装着を防止できる。
【００５７】
（２６）アクセサリーの装着が不適正と判定した場合にレンズに対する制御を停止又は変更するステップを更に含む、上記（２２）から（２５）のいずれか一のカメラシステムのアクセサリー検出方法。
【００５８】
本態様によれば、アクセサリーの装着が不適正と判定されると、レンズに対する制御が停止又は変更される。これにより、不適切な撮影が行われるのを未然に防止できる。
【発明の効果】
【００５９】
本発明によれば、簡単かつ迅速にアクセサリーの装着の有無及び種類を検出できる。
【図面の簡単な説明】
【００６０】
【図１】レンズ交換式のカメラシステムの一例を示すシステム構成図
【図２】カメラ側マウントの正面図
【図３】レンズ側マウントの正面図
【図４】アクセサリー側第１マウントの正面図
【図５】アクセサリー側第２マウントの正面図
【図６】カメラの主要な電気的構成を示すブロック図
【図７】電源部の電気的構成を示すブロック図
【図８】カメラマイコンが実現する機能の一例を示すブロック図
【図９】レンズの主要な電気的構成を示すブロック図
【図１０】レンズマイコンが実現する機能の一例を示すブロック図
【図１１】アクセサリーの主要な電気的構成を示すブロック図
【図１２】アクセサリーマイコンが実現する機能の一例を示すブロック図
【図１３】カメラに備えられた各端子の配線の接続構造を示す図
【図１４】レンズに備えられた各端子の配線の接続構造を示す図
【図１５】アクセサリーに備えられた各端子の配線の接続構造を示す図
【図１６】レンズをカメラに直接装着した場合の電気的な接続関係を示す図
【図１７】カメラとレンズとの間にアクセサリーを装着した場合の電気的な接続関係を示す図
【図１８】アクセサリーの検出処理の手順を示すフローチャート
【図１９】アクセサリーが装着されている場合におけるアクセサリー検出用データの処理の流れを示す図
【図２０】アクセサリーの装着の適否を判定する手順の一例を示すフローチャート
【図２１】カメラ及びレンズに備えられた互換性判定に関わる機能のブロック図
【図２２】アクセサリー検出機能への対応状況に応じたカメラ及びレンズの第１１の端子の出力設定と検出される極性との関係を示す表
【図２３】アクセサリーの装着の適否の判定結果に応じてアクセサリーの通信モードを切り換える手順の一例を示すフローチャート
【図２４】アクセサリー検出用データのデータ構造の一例を示す図
【図２５】アクセサリー情報に含めるデータの一例を示す図
【発明を実施するための形態】
【００６１】
以下、添付図面に従って本発明を実施するための好ましい形態について詳説する。
【００６２】
◆◆第１の実施の形態◆◆
［カメラシステムの構成］
レンズ交換式のカメラシステムは、少なくとも一つのカメラと、少なくとも一つのレンズと、少なくとも一つのアクセサリーを備えて構成される。
【００６３】
図１は、レンズ交換式のカメラシステムの一例を示すシステム構成図である。
【００６４】
同図に示すカメラシステム１は、一つのカメラ１０と、複数のレンズ１００と、複数のアクセサリー２００と、を備えて構成される。
【００６５】
カメラ１０は、デジタルカメラで構成される。特に、本実施の形態のカメラ１０は、ノンレフレックス型のデジタルカメラで構成される。ノンレフレックス型のデジタルカメラとは、レンズからの入射光を光学式ファインダーに導くためのレフレックスミラーのないデジタルカメラのことである。ノンレフレックス型のデジタルカメラは、ミラーレスデジタルカメラとも称される。
【００６６】
複数のレンズ１００は、それぞれ仕様の異なるレンズで構成される。たとえば、焦点距離、手ブレ補正機能の有無等が異なる。各レンズ１００は、それぞれ共通のレンズ側マウント１０４を備える。レンズ側マウント１０４は、カメラ側マウント１４に対応した構造を有する。したがって、各レンズ１００は、いずれもカメラ１０に装着できる。
【００６７】
複数のアクセサリー２００は、たとえば、エクステンダー、エクステンションチューブ等で構成される。アクセサリー２００がエクステンダーの場合、その鏡胴２０２内にエクステンダーレンズが備えられる。各アクセサリー２００は、それぞれ共通のアクセサリー側第１マウント２０４Ａ及びアクセサリー側第２マウント２０４Ｂを備える。アクセサリー側第１マウント２０４Ａは、アクセサリー２００をカメラ１０に装着するためのマウントである。したがって、アクセサリー側第１マウント２０４Ａは、レンズ側マウント１０４と同じ構造を有する。アクセサリー側第２マウント２０４Ｂは、アクセサリー２００にレンズ１００を装着するためのマウントである。したがって、アクセサリー側第２マウント２０４Ｂは、カメラ側マウント１４と同じ構造を有する。アクセサリー側第１マウント２０４Ａは、鏡胴２０２の基端側に備えられ、アクセサリー側第２マウント２０４Ｂは、鏡胴２０２の先端側に備えられる。
【００６８】
《カメラ側マウント》
図２は、カメラ側マウントの正面図である。同図は、カメラを正面側から見た図（カメラの正面図）に相当する。
【００６９】
カメラ１０は、そのカメラボディー１２の正面部分にカメラ側マウント１４を備える。カメラ側マウント１４は、レンズ１００の装着部である。カメラ側マウント１４は、公知のバヨネット式のマウントで構成される。なお、図２において、矢印Ｒで示す方向（時計回りの方向）が、カメラ１０にレンズ１００を装着する場合のレンズ１００の回転方向である。
【００７０】
カメラ側マウント１４には、複数の端子ＣＣ１〜ＣＣ１２で構成されるカメラ側端子群ＣＣＧが備えられる。カメラ側端子群ＣＣＧを構成する複数の端子ＣＣ１〜ＣＣ１２は、撮影光軸を中心とする一つの円の円周上に一定の間隔をもって配置される。各端子ＣＣ１〜ＣＣ１２が有する機能については後述する。
【００７１】
《レンズ側マウント》
図３は、レンズ側マウントの正面図である。同図は、レンズを基端部側から見た図（レンズの背面図）に相当する。
【００７２】
レンズ１００は、そのレンズ鏡胴１０２の基端部にレンズ側マウント１０４を備える。レンズ側マウント１０４は、カメラ１０に備えられたカメラ側マウント１４に対応したバヨネット式のマウントで構成される。なお、図３において、矢印Ｒで示す方向（反時計回りの方向）が、カメラ１０にレンズ１００を装着する場合のレンズ１００の回転方向（カメラ側マウント１４にレンズ側マウント１０４を装着する場合のレンズ側マウント１０４の回転方向と同義）である。
【００７３】
レンズ側マウント１０４には、複数の端子ＬＣ１〜ＬＣ１２で構成されるレンズ側端子群ＬＣＧが備えられる。レンズ側端子群ＬＣＧは、カメラ側端子群ＣＣＧに対応して設けられる。したがって、カメラ側端子群ＣＣＧを構成する端子と同じ数の端子で構成され、かつ、各端子ＬＣ１〜ＬＣ１２は、カメラ側端子群ＣＣＧを構成する端子ＣＣ１〜ＣＣ１２と同じ間隔で配置される。
【００７４】
レンズ１００をカメラ１０に装着すると、レンズ側端子群ＬＣＧの各端子ＬＣ１〜ＬＣ１２が、カメラ側端子群ＣＣＧの対応する端子ＣＣ１〜ＣＣ１２に接続される。すなわち、レンズ側端子群ＬＣＧの第１の端子ＬＣ１がカメラ側端子群ＣＣＧの第１の端子ＣＣ１に接続され、レンズ側端子群ＬＣＧの第２の端子ＬＣ２がカメラ側端子群ＣＣＧの第２の端子ＣＣ２に接続され、…、レンズ側端子群ＬＣＧの第１２の端子ＬＣ１２がカメラ側端子群ＣＣＧの第１２の端子ＣＣ１２に接続される。
【００７５】
レンズ側端子群ＬＣＧを構成する各端子ＬＣ１〜ＬＣ１２の機能については後述する。
【００７６】
《アクセサリー側第１マウント及びアクセサリー側第２マウント》
〈アクセサリー側第１マウント〉
図４は、アクセサリー側第１マウントの正面図である。同図は、アクセサリーを基端部側からみた図（アクセサリーの背面図）に相当する。
【００７７】
アクセサリー２００は、その鏡胴２０２の基端部にアクセサリー側第１マウント２０４Ａを備える。上記のように、アクセサリー側第１マウント２０４Ａの構造は、レンズ側マウント１０４の構造と同じである。なお、図４において、矢印Ｒで示す方向（反時計回りの方向）が、カメラ１０にアクセサリー２００を装着する場合のアクセサリー２００の回転方向である。
【００７８】
アクセサリー側第１マウント２０４Ａには、複数の端子Ａ１Ｃ１〜Ａ１Ｃ１２で構成されるアクセサリー側第１端子群Ａ１ＣＧが備えられる。アクセサリー側第１端子群Ａ１ＣＧは、カメラ側端子群ＣＣＧに対応して設けられる。したがって、カメラ側端子群ＣＣＧを構成する端子と同じ数の端子で構成され、かつ、各端子Ａ１Ｃ１〜Ａ１Ｃ１２は、カメラ側端子群ＣＣＧを構成する端子ＣＣ１〜ＣＣ１２と同じ間隔で配置される。
【００７９】
アクセサリー２００をカメラ１０に装着すると、アクセサリー側第１端子群Ａ１ＣＧの各端子Ａ１Ｃ１〜Ａ１Ｃ１２が、カメラ側端子群ＣＣＧの対応する端子ＣＣ１〜ＣＣ１２に接続される。すなわち、アクセサリー側第１端子群Ａ１ＣＧの第１の端子Ａ１Ｃ１がカメラ側端子群ＣＣＧの第１の端子ＣＣ１に接続され、アクセサリー側第１端子群Ａ１ＣＧの第２の端子Ａ１Ｃ２がカメラ側端子群ＣＣＧの第２の端子ＣＣ２に接続され、…、アクセサリー側第１端子群Ａ１ＣＧの第１２の端子Ａ１Ｃ１２がカメラ側端子群ＣＣＧの第１２の端子ＣＣ１２に接続される。
【００８０】
アクセサリー側第１端子群Ａ１ＣＧを構成する各端子Ａ１Ｃ１〜Ａ１Ｃ１２の機能については後述する。
【００８１】
〈アクセサリー側第２マウント〉
図５は、アクセサリー側第２マウントの正面図である。同図は、アクセサリーを先端側から見た図（アクセサリーの正面図）に相当する。
【００８２】
アクセサリー２００は、その鏡胴２０２の先端部にアクセサリー側第２マウント２０４Ｂを備える。上記のように、アクセサリー側第２マウント２０４Ｂの構造は、カメラ側マウント１４の構造と同じである。なお、図５において、矢印Ｒで示す方向（時計回りの方向）が、アクセサリー２００にレンズ１００を装着する場合のレンズ１００の回転方向である。
【００８３】
アクセサリー側第２マウント２０４Ｂには、複数の端子Ａ２Ｃ１〜Ａ２Ｃ１２で構成されるアクセサリー側第２端子群Ａ２ＣＧが備えられる。アクセサリー側第２端子群Ａ２ＣＧは、レンズ側端子群ＬＣＧに対応して設けられる。したがって、レンズ側端子群ＬＣＧを構成する端子と同じ数の端子で構成され、かつ、各端子Ａ２Ｃ１〜Ａ２Ｃ１２は、レンズ側端子群ＬＣＧを構成する端子ＣＣ１〜ＣＣ１２と同じ間隔で配置される。
【００８４】
レンズ１００をアクセサリー２００に装着すると、レンズ側端子群ＬＣＧの各端子ＬＣ１〜ＬＣ１２が、アクセサリー側第２端子群Ａ２ＣＧの対応する端子Ａ２Ｃ１〜Ａ２Ｃ１２に接続される。すなわち、レンズ側端子群ＬＣＧの第１の端子ＬＣ１がアクセサリー側第２端子群Ａ２ＣＧの第１の端子Ａ２Ｃ１に接続され、レンズ側端子群ＬＣＧの第２の端子ＬＣ２がアクセサリー側第２端子群Ａ２ＣＧの第２の端子Ａ２Ｃ２に接続され、…、レンズ側端子群ＬＣＧの第１２の端子ＬＣ１２がアクセサリー側第２端子群Ａ２ＣＧの第１２の端子Ａ２Ｃ１２に接続される。
【００８５】
なお、アクセサリー同士の接続も可能である。この場合、一方のアクセサリー２００のアクセサリー側第２マウント２０４Ｂに他方のアクセサリー２００のアクセサリー側第１マウント２０４Ａが接続される。また、アクセサリー同士を接続することにより、一方のアクセサリー２００の各端子が、他方のアクセサリー２００の対応する端子に接続される。
【００８６】
アクセサリー側第２端子群Ａ２ＣＧを構成する各端子Ａ２Ｃ１〜Ａ２Ｃ１２の機能については後述する。
【００８７】
《カメラの電気的構成》
ここでは、デジタルカメラとしてのカメラ１０が備える主要な電気的構成について説明する。
【００８８】
図６は、カメラの主要な電気的構成を示すブロック図である。
【００８９】
同図に示すように、カメラ１０は、イメージセンサー１６、シャッター１８、イメージセンサー駆動部２０、シャッター駆動部２２、アナログ信号処理部２４、表示部２６、画像データ記憶部２８、カメラ操作部３０、電源部３２、及び、カメラマイコン３４を備える。
【００９０】
〈イメージセンサー〉
イメージセンサー１６は、レンズを介して結像した被写体の光学像を電気信号に変換して出力する。イメージセンサー１６には、ＣＣＤイメージセンサー（ＣＣＤ：Charged Coupled Device／電荷結合素子）、ＣＭＯＳイメージセンサー（ＣＭＯＳ：Complementary Metal Oxide Semiconductor／相補型金属酸化膜半導体）等の公知のイメージセンサーが使用される。
【００９１】
〈イメージセンサー駆動部〉
イメージセンサー駆動部２０は、イメージセンサー１６の駆動回路で構成される。イメージセンサー駆動部２０は、カメラマイコン３４からの指示に応じて、イメージセンサー１６を駆動する。
【００９２】
〈シャッター〉
シャッター１８は、イメージセンサー１６への露光時間を調整する光路開閉装置である。シャッター１８は、たとえば、スクエア型のフォーカルプレーンシャッターで構成され、イメージセンサー１６の直前に配置される。
【００９３】
〈シャッター駆動部〉
シャッター駆動部２２は、シャッター１８に備えられるチャージモーター、電磁石等を駆動する駆動回路で構成される。シャッター駆動部２２は、カメラマイコン３４からの指示に応じてチャージモーター、電磁石等を駆動する。
【００９４】
〈アナログ信号処理部〉
アナログ信号処理部２４は、イメージセンサー１６から出力されたアナログの画像信号を取り込み、所定の信号処理（たとえば、相関二重サンプリング処理、増幅処理等）を施した後、デジタルの画像信号に変換して出力する。
【００９５】
〈表示部〉
表示部２６は、モニター、及び、その駆動回路で構成される。モニターは、たとえば、ＬＣＤ（ＬＣＤ：Liquid Crystal Display／液晶ディスプレー）で構成され、カメラボディーの背面に備えられる。
【００９６】
〈画像データ記憶部〉
画像データ記憶部２８は、撮影した画像データの記憶部である。画像データ記憶部２８は、メモリーカードと、そのメモリーカードを装着するソケットとを備える。メモリーカードに対する画像データの読み出し、及び、書き込みは、カメラマイコン３４によって制御される。
【００９７】
〈カメラ操作部〉
カメラ操作部３０は、カメラ１０の操作部であり、各種操作ボタン類と、その操作ボタン類の操作を検出して、カメラマイコン３４に操作信号を出力する回路と、で構成される。カメラ１０に備えられる操作ボタン類には、電源ボタン、レリーズボタン等が含まれる。
【００９８】
〈電源部〉
電源部３２は、カメラマイコン３４による制御の下、カメラ１０及びレンズ１００の動作に必要な電源を生成し、供給する。
【００９９】
図７は、電源部の電気的構成を示すブロック図である。
【０１００】
同図に示すように、電源部３２は、バッテリー４０、電源供給部４２、及び、レンズ駆動用電源スイッチ部４４を備える。
【０１０１】
バッテリー４０は、カメラ１０及びレンズ１００の電源である。バッテリー４０は、カメラボディーに備えられた図示しないバッテリー室に着脱自在に装填される。
【０１０２】
電源供給部４２は、カメラマイコン３４による制御の下、バッテリー４０からカメラ１０及びレンズ１００の動作に必要な各種電源を生成し、各部に供給する。電源供給部４２は、たとえば、ＤＣ−ＤＣコンバーター（ＤＣ：Direct Current／直流）で構成される。
【０１０３】
本実施の形態のカメラ１０では、レンズ１００に供給する電源として、それぞれ電圧の異なる複数のレンズ駆動用電源を生成する。本実施の形態のカメラ１０では、電圧が＋５Ｖの第１のレンズ駆動用電源ＬＶ１と、電圧が＋６．５Ｖの第２のレンズ駆動用電源ＬＶ２と、電圧が＋１０Ｖの第３のレンズ駆動用電源ＬＶ３を生成する。
【０１０４】
後述するように、最も低い電圧の第１のレンズ駆動用電源ＬＶ１は、カメラ側端子群ＣＣＧの第２の端子ＣＣ２に供給される。第２のレンズ駆動用電源ＬＶ２は、カメラ側端子群ＣＣＧの第３の端子ＣＣ３に供給される。最も高い電圧の第３のレンズ駆動用電源ＬＶ３は、カメラ側端子群ＣＣＧの第４の端子ＣＣ４に供給される。
【０１０５】
レンズ駆動用電源スイッチ部４４は、カメラマイコン３４からの指示に応じて、電源供給部４２から供給される複数のレンズ駆動用電源ＬＶ１、ＬＶ２、ＬＶ３の供給を個別にオンオフする。これにより、電源供給部４２からカメラ側端子群ＣＣＧの複数の端子ＣＣ２、ＣＣ３、ＣＣ４に供給されるレンズ駆動用電源ＬＶ１、ＬＶ２、ＬＶ３の供給を個別にオンオフできる。
【０１０６】
〈カメラマイコン〉
カメラマイコン３４は、カメラ制御部の一例であり、カメラ１０の動作を統括制御する。カメラマイコン３４は、ＣＰＵ（ＣＰＵ：Central Processing Unit／中央処理装置）、ＲＯＭ（ＲＯＭ：Read Only Memory／読み込み専用のメモリー）、及び、ＲＡＭ（ＲＡＭ：Random Access Memory／データの書込みと読出しが可能なメモリー）を備え、規定のプログラムを実行することにより各種機能を提供する。ＲＯＭには、ＣＰＵが実行する各種プログラムの他、制御に必要な各種データ等が格納される。
【０１０７】
図８は、カメラマイコンが実現する機能の一例を示すブロック図である。
【０１０８】
同図に示すように、カメラマイコン３４は、規定のプログラムを実行することにより、デジタル信号処理部５０、表示制御部５２、記録制御部５４、電源制御部５６、レンズ駆動用電源スイッチ制御部５８、レンズ装着検出部６０、カメラ通信部６２等として機能する。
【０１０９】
デジタル信号処理部５０は、アナログ信号処理部２４から出力されたデジタルの画像信号を取り込み、所定の信号処理を施して画像データを生成する。
【０１１０】
表示制御部５２は、表示部２６に備えられたモニターに対して、所定の情報を表示させる。たとえば、再生モードに設定された場合にメモリーカードから読み出した画像をモニターに表示させる。また、撮影モードに設定された場合にイメージセンサー１６で捉えた画像をリアルタイムに表示させる。更に、各種設定を行う際に設定画面をモニターに表示させる。
【０１１１】
記録制御部５４は、画像データ記憶部２８のソケットに装着されたメモリーカードに対して、画像データの読み書きを行う。
【０１１２】
電源制御部５６は、電源供給部４２を制御して、各部への電源の供給を制御する。
【０１１３】
レンズ駆動用電源スイッチ制御部５８は、レンズ駆動用電源スイッチ部４４を制御して、レンズ駆動用電源の供給を制御する。具体的には、電源供給部４２からカメラ側端子群ＣＣＧの複数の電源端子（第２の端子ＣＣ２、第３の端子ＣＣ３及び第４の端子ＣＣ４）に供給されるレンズ駆動用電源ＬＶ１、ＬＶ２、ＬＶ３の供給を個別にオンオフして、レンズ駆動用電源の供給を制御する。これにより、選択的にレンズ駆動用電源を供給できる。
【０１１４】
レンズ装着検出部６０は、レンズ１００の装着を検出する。レンズ装着検出部６０は、カメラマイコン入出力ポート６４に備えられたレンズ検出用ポートＣＰ０の極性を検出して、レンズ１００の装着の有無を判定する。
【０１１５】
カメラ通信部６２は、カメラ１０に装着されたレンズ１００と通信する。通信は、カメラマイコン入出力ポート６４を介して行われる。カメラマイコン入出力ポート６４には、レンズ１００と通信するための複数の通信用ポートＣＰ１〜ＣＰ７が備えられる。
【０１１６】
ここで、第１の通信用ポートＣＰ１は、レンズ１００からカメラ１０に状態を通知するための通信用ポートである。特に、本実施の形態のカメラシステム１では、レンズ１００の特定の機能が動作中であることを通知するためのポートとして第１の通信用ポートＣＰ１が使用される。たとえば、絞り用モーターが動作中であることを通知するためのポートとして使用される。
【０１１７】
第２の通信用ポートＣＰ２は、カメラ１０からレンズ１００にＶＳＹＮＣ信号（ＶＳＹＮＣ：Vertical SYNChronizing／垂直同期信号）を送信するための通信用ポートである。
【０１１８】
第３の通信用ポートＣＰ３、第４の通信用ポートＣＰ４及び第５の通信用ポートＣＰ５は、レンズ１００との間で３線による同期式のシリアル通信（以下、３線式シリアル通信という）を行うための通信用ポートである。すなわち、同期式シリアル通信インターフェースであるＳＰＩ（ＳＰＩ：Serial Peripheral Interface）を構成する通信用ポートである。
【０１１９】
第３の通信用ポートＣＰ３は、ＳＰＩマスターとしてのカメラ１０からＳＰＩスレーブとしてのレンズ１００に信号を送信するための通信用ポート（ＭＯＳＩポート（ＭＯＳＩ：Master Out Slave In））である。
【０１２０】
また、第４の通信用ポートＣＰ４は、ＳＰＩマスターとしてのカメラ１０からＳＰＩスレーブとしてのレンズ１００に同期用のクロック信号を送信するための通信用ポート（ＳＣＫポート（ＳＣＫ：Serial ClocK））である。
【０１２１】
また、第５の通信用ポートＣＰ５は、ＳＰＩスレーブとしてのレンズ１００からＳＰＩマスターとしてのカメラ１０に信号を送信するための通信用ポート（ＭＩＳＯポート（ＭＩＳＯ：Master In Slave Out））である。
【０１２２】
第６の通信用ポートＣＰ６は、レンズ１００及びアクセサリー２００との間でシリアル通信（単線による調歩同期式シリアル通信（たとえば、ＵＡＲＴ（Universal Asynchronous Receiver Transmitter）によるシリアル通信））を行うための通信用ポートである。特に、本実施の形態のカメラシステム１では、第６の通信用ポートＣＰ６が、ＲＸＤポート（ＲＸＤ：Received eXchange Data／データ受信）として機能し、レンズ１００又はアクセサリー２００から送信された信号の受信するための通信用ポートとして使用される。なお、以下においては、単線による調歩同期式のシリアル通信を単に単線式シリアル通信という。
【０１２３】
第７の通信用ポートＣＰ７は、レンズ１００からカメラ１０に状態を通知するための通信用ポートである。
【０１２４】
カメラ通信部６２は、第３の通信用ポートＣＰ３、第４の通信用ポートＣＰ４及び第５の通信用ポートＣＰ５を使用して、レンズ１００との間で３線式シリアル通信を行う際、その通信を確立するために必要な設定を行う。すなわち、カメラ通信部６２は、カメラ側通信設定部としても機能する。
【０１２５】
以上はデジタルカメラとしてのカメラ１０が備える主要な電気的構成についての説明である。カメラ１０は、更に他の構成を備えることもできる。
【０１２６】
また、レンズ１００及びアクセサリー２００との間の通信、並びに、マウントを介したレンズ１００及びアクセサリー２００との間の電気的な接続については、後に詳述する。
【０１２７】
《レンズの電気的構成》
ここでは、各レンズ１００が、共通して備える主要な電気的構成について説明する。
【０１２８】
図９は、レンズの主要な電気的構成を示すブロック図である。同図は、ＡＦ機構（ＡＦ：Auto Focus／オートフォーカス）、及び、絞りを備えたレンズの電気的構成を示している。
【０１２９】
同図に示すように、レンズ１００は、レンズ駆動部１１０と、レンズ側システム電源生成部１１２と、レンズマイコン１１４と、を備える。
【０１３０】
〈レンズ駆動部〉
レンズ駆動部１１０は、レンズマイコン１１４からの指示に応じて、レンズ１００を構成する光学部材を駆動する。
【０１３１】
上記のように、図９に示すレンズ１００は、ＡＦ機能及び絞りを備えている。このため、本例のレンズ１００には、レンズ駆動部１１０として、フォーカス駆動部１１０Ａ及び絞り駆動部１１０Ｃが備えられる。
【０１３２】
フォーカス駆動部１１０Ａは、フォーカシング用の光学部材であるフォーカスレンズ１０６Ａを駆動する。フォーカス駆動部１１０Ａは、フォーカスレンズを駆動するためのフォーカス用モーター（たとえば、超音波モーター）、及び、その駆動回路を備えて構成される。フォーカス駆動部１１０Ａは、レンズマイコン１１４からの指示に応じてフォーカス用モーターを駆動し、フォーカスレンズ１０６Ａを動作させる。
【０１３３】
絞り駆動部１１０Ｃは、光量調整用の光学部材である絞りを駆動する。絞り駆動部１１０Ｃは、絞り１０６Ｃを駆動するための絞り用モーター、及び、その駆動回路を備えて構成される。絞り駆動部１１０Ｃは、レンズマイコン１１４からの指示に応じて絞り用モーターを駆動し、絞り１０６Ｃを動作させる。
【０１３４】
後述するように、レンズ駆動部１１０には、レンズ側端子群ＬＣＧの複数の端子ＬＣ２〜ＬＣ４（電源端子）から電圧の異なる複数のレンズ駆動用電源ＬＶ１（＋５Ｖ）、ＬＶ２（＋６．５Ｖ）、ＬＶ３（＋１０Ｖ）が供給される。レンズ駆動部１１０の各駆動部には、この複数供給されるレンズ駆動用電源ＬＶ１、ＬＶ２、ＬＶ３のいずれかが供給される。たとえば、フォーカス駆動部１１０Ａには、最も高い電圧の第３のレンズ駆動用電源ＬＶ３が供給され、絞り駆動部１１０Ｃには、最も低い電圧の第１のレンズ駆動用電源ＬＶ１が供給される。
【０１３５】
〈レンズ側システム電源生成部〉
レンズ側システム電源生成部１１２は、レンズマイコン１１４を動作させるためのシステム電源を生成する。レンズ側システム電源生成部１１２は、カメラ１０から供給されるレンズ駆動用電源を使用して、システム電源を生成する。
【０１３６】
ここで、レンズマイコン１１４は、レンズ駆動部１１０を構成する各駆動部よりも低い電圧で作動する構成とされる。たとえば、＋３．３Ｖで作動する構成とされる。
【０１３７】
レンズ側システム電源生成部１１２は、カメラ１０から供給される複数のレンズ駆動用電源ＬＶ１〜ＬＶ３のうち最も低い電圧のレンズ駆動用電源ＬＶ１（＋５Ｖ）を使用してシステム電源（＋３．３Ｖ）を生成し、レンズマイコン１１４に供給する。この際、レンズ側システム電源生成部１１２は、抵抗による電圧降下によりシステム電源を生成する。これにより、システム電源の生成に伴うノイズの発生を防止できる。
【０１３８】
このように抵抗による電圧降下によりシステム電源を生成する装置としては、ＬＤＯレギュレーターを例示できる。ＬＤＯレギュレーターは、リニアレギュレーターの一つであり、パワーＭＯＳＦＥＴ、パワートランジスタ等のスイッチング素子のオン抵抗を利用して、入力電力を消費することにより所望の出力電圧に変換する。
【０１３９】
〈レンズマイコン〉
レンズマイコン１１４は、レンズ制御部の一例であり、レンズ１００の動作を統括制御する。レンズマイコン１１４は、カメラマイコン３４からの指示に基づいて、レンズ１００の動作を制御する。
【０１４０】
レンズマイコン１１４は、ＣＰＵ、ＲＯＭ、及び、ＲＡＭを備え、規定のプログラムを実行することにより各種機能を提供する。ＲＯＭには、ＣＰＵが実行する各種プログラムの他、制御に必要な各種データ等が格納される。
【０１４１】
図１０は、レンズマイコンが実現する機能の一例を示すブロック図である。
【０１４２】
同図に示すように、レンズマイコン１１４は、規定のプログラムを実行することにより、フォーカス駆動制御部１２０、絞り駆動制御部１２４、及び、レンズ通信部１２６等として機能する。
【０１４３】
フォーカス駆動制御部１２０は、カメラマイコン３４からの指示に応じて、フォーカス駆動部１１０Ａを制御し、フォーカスレンズ１０６Ａを動作させる。
【０１４４】
絞り駆動制御部１２４は、カメラマイコン３４からの指示に応じて、絞り駆動部１１０Ｃを制御し、絞り１０６Ｃを動作させる。
【０１４５】
レンズ通信部１２６は、レンズ１００が装着されたカメラ１０と通信する。通信は、レンズマイコン入出力ポート１２８を介して行われる。レンズマイコン入出力ポート１２８には、レンズ１００と通信するための複数の通信用ポートＬＰ１〜ＬＰ７が備えられる。この通信用ポートＬＰ１〜ＬＰ７は、カメラマイコン３４のカメラマイコン入出力ポート６４に備えられた複数の通信用ポートＣＰ１〜ＣＰ７に対応して設けられる。
【０１４６】
したがって、第１の通信用ポートＬＰ１は、カメラ１０の状態の通知に使用され、第２の通信用ポートＬＰ２は、カメラ１０から送信されるＶＳＹＮＣ信号の受信に使用される。
【０１４７】
また、第３の通信用ポートＬＰ３、第４の通信用ポートＬＰ４及び第５の通信用ポートＬＰ５は、カメラ１０との間の３線式シリアル通信に使用される。
【０１４８】
また、第６の通信用ポートＬＰ６は、カメラ１０及びアクセサリー２００との間の単線式シリアル通信に使用され、ＴＸＤポート（ＴＸＤ：Transmit eXchange Data／データ送信）として使用される。すなわち、カメラ１０又はアクセサリー２００に信号を送信するための通信用ポートとして使用される。
【０１４９】
また、第７の通信用ポートＬＰ７は、カメラ１０への状態の通知に使用される。
【０１５０】
レンズ通信部１２６は、第３の通信用ポートＬＰ３、第４の通信用ポートＬＰ４及び第５の通信用ポートＬＰ５を使用して、カメラ１０との間で３線式シリアル通信を行う際、その通信を確立するために必要な設定を行う。すなわち、レンズ通信部１２６は、レンズ側通信設定部としても機能する。
【０１５１】
以上は、各レンズ１００が備える主要な電気的構成についての説明である。各レンズ１００は、手ブレ補正機構等の更なる構成を個別に備えることができる。
【０１５２】
また、カメラ１０及びアクセサリー２００との間の通信、並びに、マウントを介したカメラ１０及びアクセサリー２００との間の電気的な接続については、後に詳述する。
【０１５３】
《アクセサリーの電気的構成》
ここでは、各アクセサリー２００が、共通して備える主要な電気的構成について説明する。
【０１５４】
図１１は、アクセサリーの主要な電気的構成を示すブロック図である。
【０１５５】
同図に示すように、アクセサリー２００は、アクセサリーマイコン２１０と、バイパス信号線２３０と、通信経路切換スイッチ２３２と、アクセサリー側システム電源生成部２５０と、を備える。
【０１５６】
〈アクセサリーマイコン〉
アクセサリーマイコン２１０は、アクセサリー制御部の一例である。アクセサリーマイコン２１０は、アクセサリー２００の動作を統括制御する。
【０１５７】
アクセサリーマイコン２１０は、ＣＰＵ、ＲＯＭ、及び、ＲＡＭを備え、規定のプログラムを実行することにより各種機能を提供する。ＲＯＭには、ＣＰＵが実行する各種プログラムの他、制御に必要な各種データ等が格納される。
【０１５８】
図１２は、アクセサリーマイコンが実現する機能の一例を示すブロック図である。
【０１５９】
同図に示すように、アクセサリーマイコン２１０は、規定のプログラムを実行することにより、アクセサリー通信部２１２、バイパス制御部２１４等として機能する。
【０１６０】
アクセサリー通信部２１２は、アクセサリー２００が装着されたカメラ１０及びレンズ１００と通信する。通信は、アクセサリーマイコン入出力ポート２１６を介して行われる。アクセサリーマイコン入出力ポート２１６には、カメラ１０及びレンズ１００との間で単線式シリアル通信を行うための第１のポートＡＰ１及び第２のポートＡＰ２を備える。第１のポートＡＰ１は、データを出力するＴＸＤポートとして機能する。第２のポートＡＰ２は、データを受信するＲＸＤポートとして機能する。
【０１６１】
後述するように、第１のポートＡＰ１は、アクセサリー側第１副信号線ＡＬ１２Ａを介して、アクセサリー側第１端子群Ａ１ＣＧの第１２の端子Ａ１Ｃ１２に接続される。また、第２のポートＡＰ２は、アクセサリー側第２副信号線ＡＬ１２Ｂを介して、アクセサリー側第２端子群Ａ２ＣＧの第１２の端子Ａ２Ｃ１２に接続される。したがって、カメラ１０は、アクセサリー２００と単線式シリアル通信を行う際、第１２の端子Ａ１Ｃ１２を介して通信する。また、レンズ１００は、アクセサリー２００と単線式シリアル通信を行う際、第１２の端子Ａ２Ｃ１２を介して通信する。
【０１６２】
また、アクセサリーマイコン入出力ポート２１６には、第３のポートＡＰ３及び第４のポートＡＰ４が備えられる。
【０１６３】
後述するように、第３のポートＡＰ３には、配線２４４を介して第３のＦＥＴ２４０のゲート端子が接続される（図１５参照）。
【０１６４】
また、第４のポートＡＰ４は、入力用の通信用ポートとして機能し、配線２６０を介して第７の接続配線ＡＬ７に接続される（図１５参照）。これにより、第７の接続配線ＡＬ７を介して送信される情報をアクセサリーマイコン２１０で受信できる。
【０１６５】
バイパス制御部２１４は、カメラマイコン３４とレンズマイコン１１４とが、アクセサリーマイコン２１０を経由せずに通信するためのバイパス機構のオンオフを制御する制御部である。バイパス制御部２１４は、通信経路切換スイッチ２３２を制御して、バイパス機構のオンオフを制御する。具体的には、第３のポートＡＰ３の極性（ＨＩＧＨレベル又はＬＯＷレベル）を制御して、バイパス機構のオンオフを制御する。この点については、後に詳述する。
【０１６６】
〈バイパス信号線〉
バイパス信号線２３０は、カメラマイコン３４とレンズマイコン１１４とが、アクセサリーマイコン２１０を経由せずに通信するための信号線である。バイパス信号線２３０は、一端がアクセサリー側第１副信号線ＡＬ１２Ａに接続され、他端がアクセサリー側第２副信号線ＡＬ１２Ｂに接続される。すなわち、バイパス信号線２３０は、アクセサリーマイコン２１０を回避して、アクセサリー側第１副信号線ＡＬ１２Ａとアクセサリー側第２副信号線ＡＬ１２Ｂとを直接接続する信号線として機能する。
【０１６７】
〈通信経路切換スイッチ〉
通信経路切換スイッチ２３２は、バイパス信号線２３０に備えられ、バイパス信号線２３０を導通、非導通させる。通信経路切換スイッチ２３２の具体的な構成については、後に詳述する。
【０１６８】
〈アクセサリー側システム電源生成部〉
アクセサリー側システム電源生成部２５０は、アクセサリーマイコン２１０を動作させるためのシステム電源を生成する。アクセサリー側システム電源生成部２５０は、レンズ１００に備えられたレンズ側システム電源生成部１１２と同様に、カメラ１０から供給されるレンズ駆動用電源を使用して、アクセサリーマイコン２１０のシステム電源を生成する。
【０１６９】
ここで、アクセサリーマイコン２１０は、レンズ１００に備えられたレンズ駆動部１１０を構成する各駆動部よりも低い電圧で作動する構成とされる。たとえば、＋３．３Ｖで作動する構成とされる。
【０１７０】
アクセサリー側システム電源生成部２５０は、カメラ１０から供給される複数のレンズ駆動用電源ＬＶ１〜ＬＶ３のうち最も低い電圧のレンズ駆動用電源ＬＶ１（＋５Ｖ）を使用して、アクセサリーマイコン２１０のシステム電源（＋３．３Ｖ）を生成する。このため、アクセサリー側システム電源生成部２５０は、電源端子である第２の端子に接続された第２の接続配線ＡＬ２に接続される（図１５参照）。
【０１７１】
なお、アクセサリー側システム電源生成部２５０もレンズ側システム電源生成部１１２と同様に抵抗による電圧降下によりシステム電源を生成する。これにより、システム電源の生成に伴うノイズの発生を防止できる。アクセサリー側システム電源生成部２５０は、たとえば、ＬＤＯレギュレーターで構成される。
【０１７２】
以上は、各アクセサリー２００が備える主要な電気的構成についての説明である。各レンズ１００は、更なる構成を個別に備えることができる。
【０１７３】
また、カメラ１０及びレンズ１００との間の通信、マウントを介したカメラ１０及びレンズ１００との間の電気的な接続、並びに、バイパス機構については、後に詳述する。
【０１７４】
《カメラに備えられた各端子の機能》
図１３は、カメラに備えられた各端子の配線の接続構造を示す図である。
【０１７５】
上記のように、カメラ１０のカメラ側マウント１４にはカメラ側端子群ＣＣＧが備えられる。カメラ側端子群ＣＣＧは、１２個の端子ＣＣ１〜ＣＣ１２で構成される。各端子ＣＣ１〜ＣＣ１２は、同一形状を有し、同一の円周上に一定の間隔で配置される。各端子ＣＣ１〜ＣＣ１２の機能は次のとおりである。
【０１７６】
（Ａ）第１の端子ＣＣ１
第１の端子ＣＣ１は、レンズ１００の装着を検出するためのレンズ検出端子である。第１の端子ＣＣ１は、カメラマイコン３４のレンズ検出用ポートＣＰ０に接続される。また、第１の端子ＣＣ１は、プルアップ抵抗ＣＲ１を介して電源供給部４２（図７参照）に接続され、所定の電位（たとえば、＋３．３Ｖ）にプルアップされる。
【０１７７】
（Ｂ）第２の端子ＣＣ２〜第４の端子ＣＣ４
第２の端子ＣＣ２、第３の端子ＣＣ３及び第４の端子ＣＣ４は、レンズ１００に複数のレンズ駆動用電源ＬＶ１、ＬＶ２、ＬＶ３を供給するための複数の電源端子である。
【０１７８】
ここで、第２の端子ＣＣ２は、レンズに第１のレンズ駆動用電源ＬＶ１を供給するための第１の電源端子である。第２の端子ＣＣ２は、レンズ駆動用電源スイッチ部４４を介して電源供給部４２に接続される（図７参照）。第２の端子ＣＣ２には、電源供給部４２から最も低い電圧の第１のレンズ駆動用電源ＬＶ１が供給される。レンズ駆動用電源スイッチ部４４は、カメラマイコン３４からの指示に応じて、第２の端子ＣＣ２への第１のレンズ駆動用電源ＬＶ１の供給をオンオフする。
【０１７９】
また、第３の端子ＣＣ３は、レンズに第２のレンズ駆動用電源ＬＶ２を供給するための第２の電源端子である。第３の端子ＣＣ３は、レンズ駆動用電源スイッチ部４４を介して電源供給部４２に接続される（図７参照）。第３の端子ＣＣ３には、電源供給部４２から第２のレンズ駆動用電源ＬＶ２が供給される。レンズ駆動用電源スイッチ部４４は、カメラマイコン３４からの指示に応じて、第３の端子ＣＣ３への第２のレンズ駆動用電源ＬＶ２の供給をオンオフする。
【０１８０】
また、第４の端子ＣＣ４は、レンズに第３のレンズ駆動用電源ＬＶ３を供給するための第３の電源端子である。第４の端子ＣＣ４は、レンズ駆動用電源スイッチ部４４を介して電源供給部４２に接続される（図７参照）。第４の端子ＣＣ４には、電源供給部４２から最も高い電圧の第３のレンズ駆動用電源ＬＶ３が供給される。レンズ駆動用電源スイッチ部４４は、カメラマイコン３４からの指示に応じて、第４の端子ＣＣ４への第３のレンズ駆動用電源ＬＶ３の供給をオンオフする。
【０１８１】
（Ｃ）第５の端子ＣＣ５及び第６の端子ＣＣ６
第５の端子ＣＣ５及び第６の端子ＣＣ６は、それぞれグランド端子であり、共に接地される。
【０１８２】
（Ｄ）第７の端子ＣＣ７〜第１２の端子ＣＣ１２
第７の端子ＣＣ７〜第１２の端子ＣＣ１２は、レンズ１００との間で通信するための通信端子である。
【０１８３】
ここで、第７の端子ＣＣ７は、レンズ１００からカメラ１０に状態を通知するための通信端子である。第７の端子ＣＣ７は、第７の信号線ＣＬ７を介してカメラマイコン３４の第１の通信用ポートＣＰ１に接続される。上記のように、カメラマイコン３４の第１の通信用ポートＣＰ１は、レンズ１００の特定の機能が動作中であることを通知するために使用される。
【０１８４】
第８の端子ＣＣ８は、カメラ１０からレンズ１００にＶＳＹＮＣ信号を送信するための通信端子である。第８の端子ＣＣ８は、第８の信号線ＣＬ８を介してカメラマイコン３４の第２の通信用ポートＣＰ２に接続される。
【０１８５】
第９の端子ＣＣ９、第１０の端子ＣＣ１０及び第１１の端子ＣＣ１１は、それぞれレンズ１００との間で３線式シリアル通信を行うための通信端子である。第９の端子ＣＣ９は、第９の信号線ＣＬ９を介してカメラマイコン３４の第３の通信用ポートＣＰ３（ＭＯＳＩポート）に接続される。第１０の端子ＣＣ１０は、第１０の信号線ＣＬ１０を介してカメラマイコン３４の第４の通信用ポートＣＰ４（ＳＣＫポート）に接続される。第１１の端子ＣＣ１１は、第１１の信号線ＣＬ１１を介してカメラマイコン３４の第５の通信用ポートＣＰ５（ＭＩＳＯポート）に接続される。
【０１８６】
なお、第９の信号線ＣＬ９、第１０の信号線ＣＬ１０及び第１１の信号線ＣＬ１１は、レンズ１００との間で３線式シリアル通信を行うための複数本の信号線であり、カメラ側主信号線を構成する。
【０１８７】
第１２の端子ＣＣ１２は、レンズ１００との間で単線式シリアル通信を行うための端子であり、かつ、第１２の端子ＣＣ１２は、レンズ１００からカメラ１０に状態を通知するための端子である。第１２の端子ＣＣ１２は、二分岐する第１２の信号線ＣＬ１２を介してカメラマイコン３４の第６の通信用ポートＣＰ６及び第７の通信用ポートＣＰ７に接続される。第１２の信号線ＣＬ１２は、カメラ側副信号線の一例である。
【０１８８】
カメラ側端子群ＣＣＧを構成する複数の端子ＣＣ１〜ＣＣ１２は、カメラ１０にレンズ１００を装着する場合のレンズ１００の回転方向Ｒに対して、第１の端子ＣＣ１、第２の端子ＣＣ２、…、第１１の端子ＣＣ１１、第１２の端子ＣＣ１２の順で配置される。したがって、カメラ側端子群ＣＣＧは、レンズ検出端子（第１の端子ＣＣ１）、複数の電源端子（第２の端子ＣＣ２〜第４の端子ＣＣ４）、複数のグランド端子（第５の端子ＣＣ５及び第６の端子ＣＣ６）、複数の通信端子（第７の端子ＣＣ７〜第１２の端子ＣＣ１２）の順で配置される。
【０１８９】
《レンズに備えられた各端子の機能》
図１４は、レンズに備えられた各端子の配線の接続構造を示す図である。
【０１９０】
上記のように、レンズ１００のレンズ側マウント１０４にはレンズ側端子群ＬＣＧが備えられる。レンズ側端子群ＬＣＧは、カメラ側端子群ＣＣＧに対応している。したがって、レンズ側端子群ＬＣＧは、カメラ側端子群ＣＣＧを構成する端子と同じ数の端子で構成され、かつ、各端子ＬＣ１〜ＬＣ１２は、カメラ側端子群ＣＣＧを構成する端子ＣＣ１〜ＣＣ１２と同じ間隔で配置される。
【０１９１】
（Ａ）第１の端子ＬＣ１
第１の端子ＬＣ１は、カメラ側のレンズ検出端子（第１の端子ＣＣ１）に対応したレンズ検出端子である。したがって、レンズ１００をカメラ１０に装着すると、第１の端子ＬＣ１は、カメラ側の第１の端子ＣＣ１に接続される。第１の端子ＬＣ１は、プルダウン抵抗ＬＲ１を介して接地され、グランドの電位にプルダウンされる。
【０１９２】
（Ｂ）第２の端子ＬＣ２、第３の端子ＬＣ３及び第４の端子ＬＣ４
第２の端子ＬＣ２、第３の端子ＬＣ３及び第４の端子ＬＣ４は、カメラ側の複数の電源端子（第２の端子ＣＣ２、第３の端子ＣＣ３及び第４の端子ＣＣ４）に対応した複数の電源端子である。したがって、レンズ１００をカメラ１０に装着すると、第２の端子ＬＣ２は、カメラ側の第２の端子ＣＣ２に接続され、第３の端子ＬＣ３は、カメラ側の第３の端子ＣＣ３に接続される。また、第４の端子ＬＣ４はカメラ側の第４の端子ＣＣ４に接続される。
【０１９３】
上記のように、カメラ側の第２の端子ＣＣ２は、電圧の最も低い第１のレンズ駆動用電源ＬＶ１（＋５Ｖ）を供給するための第１の電源端子である。したがって、レンズ１００をカメラ１０に装着すると、第２の端子ＬＣ２には、最も低い電圧の第１のレンズ駆動用電源ＬＶ１が供給される。
【０１９４】
この第２の端子ＬＣ２には、レンズ内において、レンズ側システム電源生成部１１２が接続される。レンズ側システム電源生成部１１２は、第２の端子ＬＣ２から供給される第１のレンズ駆動用電源ＬＶ１（＋５Ｖ）を使用して、システム電源（＋３．３Ｖ）を生成し、レンズマイコン１１４に供給する。
【０１９５】
また、カメラ側の第３の端子ＣＣ３は、第２のレンズ駆動用電源ＬＶ２（＋６．５Ｖ）を供給するための第２の電源端子である。したがって、レンズ１００をカメラ１０に装着すると、第３の端子ＬＣ３には、第２のレンズ駆動用電源ＬＶ２が供給される。
【０１９６】
また、カメラ側の第４の端子ＣＣ４は、最も高い電圧のレンズ駆動用電源ＬＶ３（＋１０Ｖ）を供給するための第３の電源端子である。したがって、レンズ１００をカメラ１０に装着すると、カメラ側の第４の端子ＣＣ４に最も高い電圧の第３のレンズ駆動用電源ＬＶ３が供給される。
【０１９７】
（Ｃ）第５の端子ＬＣ５及び第６の端子ＬＣ６
第５の端子ＬＣ５及び第６の端子ＬＣ６は、それぞれカメラ側の二つグランド端子（第５の端子ＣＣ５及び第６の端子ＣＣ６）に対応した二つのグランド端子である。したがって、レンズ１００をカメラ１０に装着すると、第５の端子ＬＣ５がカメラ側の第５の端子ＣＣ５に接続され、第６の端子ＬＣ６がカメラ側の第６の端子ＣＣ６に接続される。
【０１９８】
（Ｄ）第７の端子ＬＣ７〜第１２の端子ＬＣ１２
第７の端子ＬＣ７〜第１２の端子ＬＣ１２は、カメラ側の複数の通信端子（第７の端子ＣＣ７〜第１２の端子ＣＣ１２）に対応した複数の通信端子である。したがって、レンズ１００をカメラ１０に装着すると、第７の端子ＬＣ７がカメラ側の第７の端子ＣＣ７に接続され、第８の端子ＬＣ８がカメラ側の第８の端子ＣＣ８に接続される。また、第９の端子ＬＣ９がカメラ側の第９の端子ＣＣ９に接続され、第１０の端子ＬＣ１０がカメラ側の第１０の端子ＣＣ１０に接続される。更に、第１１の端子ＬＣ１１がカメラ側の第１１の端子ＣＣ１１に接続され、第１２の端子ＬＣ１２がカメラ側の第１２の端子ＣＣ１２に接続される。
【０１９９】
上記のように、カメラ側の第７の端子ＣＣ７は、レンズ１００からカメラ１０に状態を通知するための通信端子である。したがって、第７の端子ＬＣ７もレンズ１００からカメラ１０に状態を通知するための通信端子として使用される。第７の端子ＬＣ７は、第７の信号線ＬＬ７を介してレンズマイコン１１４の第１の通信用ポートＬＰ１に接続される。
【０２００】
また、カメラ側の第８の端子ＣＣ８は、カメラ１０からレンズ１００にＶＳＹＮＣ信号を送信するための通信端子である。したがって、第８の端子ＬＣ８は、カメラ側から送信されたＶＳＹＮＣ信号を受信するための通信端子として使用される。第８の端子ＬＣ８は、第８の信号線ＬＬ８を介してレンズマイコン１１４の第２の通信用ポートＬＰ２に接続される。
【０２０１】
また、カメラ側の第９の端子ＣＣ９、第１０の端子ＣＣ１０及び第１１の端子ＣＣ１１は、それぞれレンズ１００との間で３線式シリアル通信を行うための通信端子である。したがって、第９の端子ＬＣ９、第１０の端子ＬＣ１０及び第１１の端子ＬＣ１１もカメラ１０との間で３線式シリアル通信を行うための通信端子として使用される。第９の端子ＬＣ９は、第９の信号線ＬＬ９を介してレンズマイコン１１４の第３の通信用ポートＬＰ３に接続される。第１０の端子ＬＣ１０は、第１０の信号線ＬＬ１０を介してレンズマイコン１１４の第４の通信用ポートＬＰ４に接続される。第１１の端子ＬＣ１１は、第１１の信号線ＬＬ１１を介してレンズマイコン１１４の第５の通信用ポートＬＰ５に接続される。
【０２０２】
なお、第９の信号線ＬＬ９、第１０の信号線ＬＬ１０及び第１１の信号線ＬＬ１１は、カメラ１０との間で３線式シリアル通信を行うための信号線であり、レンズ側主信号線を構成する。
【０２０３】
また、カメラ側の第１２の端子ＣＣ１２は、レンズ１００との間で単線式シリアル通信を行うための端子であり、かつ、レンズ１００からカメラ１０に状態を通知するための端子である。したがって、第１２の端子ＬＣ１２もカメラ１０との間で単線式シリアル通信を行うための端子、及び、カメラ１０に状態を通知するための端子として機能する。第１２の端子ＬＣ１２は、レンズマイコン１１４の第６の通信用ポートＬＰ６及び第７の通信用ポートＬＰ７に接続される。第１２の信号線ＬＬ１２は、レンズ側副信号線の一例である。
【０２０４】
なお、図１４に示すように、通信端子を構成する複数の端子（第７の端子ＬＣ７〜第１２の端子ＬＣ１２）のうち第７の端子ＬＣ７、第８の端子ＬＣ８及び第１２の端子ＬＣ１２は、それぞれプルアップ抵抗ＬＲ７、ＬＲ８、ＬＲ１２を介してレンズ側システム電源生成部１１２に接続され、レンズ側システム電源生成部１１２から供給されるシステム電源の電位（たとえば、＋３．３Ｖ）にプルアップされる。
【０２０５】
また、通信端子を構成する複数の端子（第７の端子ＬＣ７〜第１２の端子ＬＣ１２）のうち第９の端子ＬＣ９は、プルダウン抵抗ＬＲ９を介して接地され、グランドの電位にプルダウンされる。
【０２０６】
レンズ側端子群ＬＣＧを構成する複数の端子ＬＣ１〜ＬＣ１２もカメラ側端子群ＣＣＧを構成する複数の端子ＣＣ１〜ＣＣ１２と同じ並びで配置される。すなわち、カメラ１０にレンズ１００を装着する場合のレンズ１００の回転方向Ｒに対して、第１の端子ＬＣ１、第２の端子ＬＣ２、…、第１１の端子ＬＣ１１、第１２の端子ＬＣ１２の順で配置される。したがって、レンズ側端子群ＬＣＧもレンズ検出端子（第１の端子ＬＣ１）、複数の電源端子（第２の端子ＬＣ２〜第４の端子ＬＣ４）、複数のグランド端子（第５の端子ＬＣ５及び第６の端子ＬＣ６）、複数の通信端子（第７の端子ＬＣ７〜第１２の端子ＬＣ１２）の順で配置される。
【０２０７】
《アクセサリーに備えられた各端子の機能》
図１５は、アクセサリーに備えられた各端子の配線の接続構造を示す図である。
【０２０８】
上記のように、アクセサリー２００には、アクセサリー側第１マウント２０４Ａ及びアクセサリー側第２マウント２０４Ｂが備えられる。アクセサリー側第１マウント２０４Ａは、アクセサリー２００をカメラ１０に装着するためのマウントであり、アクセサリー側第２マウント２０４Ｂは、アクセサリー２００にレンズ１００を装着するためのマウントである。アクセサリー側第１マウント２０４Ａにはアクセサリー側第１端子群Ａ１ＣＧが備えられ、アクセサリー側第２マウント２０４Ｂにはアクセサリー側第２端子群Ａ２ＣＧが備えられる。
【０２０９】
〈アクセサリー側第１端子群〉
上記のように、アクセサリー側第１マウント２０４Ａは、アクセサリー２００をカメラ１０に装着するためのマウントである。アクセサリー２００をカメラ１０に装着すると、アクセサリー側第１端子群Ａ１ＣＧの各端子Ａ１Ｃ１〜Ａ１Ｃ１２が、カメラ側端子群ＣＣＧの対応する端子ＣＣ１〜ＣＣ１２に接続される。すなわち、アクセサリー側第１端子群Ａ１ＣＧの第１の端子Ａ１Ｃ１がカメラ側端子群ＣＣＧの第１の端子ＣＣ１に接続され、アクセサリー側第１端子群Ａ１ＣＧの第２の端子Ａ１Ｃ２がカメラ側端子群ＣＣＧの第２の端子ＣＣ２に接続され、…、アクセサリー側第１端子群Ａ１ＣＧの第１２の端子Ａ１Ｃ１２がカメラ側端子群ＣＣＧの第１２の端子ＣＣ１２に接続される。したがって、アクセサリー側第１端子群Ａ１ＣＧの各端子Ａ１Ｃ１〜Ａ１Ｃ１２は、カメラ側端子群ＣＣＧの対応する端子ＣＣ１〜ＣＣ１２の機能を有する。
【０２１０】
（Ａ）第１の端子Ａ１Ｃ１
カメラ側端子群ＣＣＧの第１の端子ＣＣ１は、レンズ検出端子を構成するので、アクセサリー側第１端子群Ａ１ＣＧの第１の端子Ａ１Ｃ１もレンズ検出端子を構成する。
【０２１１】
（Ｂ）第２の端子Ａ１Ｃ２、第３の端子Ａ１Ｃ３及び第４の端子Ａ１Ｃ４
カメラ側端子群ＣＣＧの第２の端子ＣＣ２、第３の端子ＣＣ３及び第４の端子ＣＣ４は、それぞれ電源端子を構成するので、アクセサリー側第１端子群Ａ１ＣＧの第２の端子Ａ１Ｃ２、第３の端子Ａ１Ｃ３及び第４の端子Ａ１Ｃ４もそれぞれ対応する電源端子を構成する。
【０２１２】
なお、第２の端子Ａ１Ｃ２が、最も低い電圧のレンズ駆動用電源ＬＶ１を供給する端子であり、第４の端子Ａ１Ｃ４が、最も高い電圧のレンズ駆動用電源ＬＶ３を供給する端子である。また、第３の端子Ａ１Ｃ３が、中間の電圧のレンズ駆動用電源ＬＶ２を供給する端子である。
【０２１３】
（Ｃ）第５の端子Ａ１Ｃ５及び第６の端子Ａ１Ｃ６
カメラ側端子群ＣＣＧの第５の端子ＣＣ５及び第６の端子ＣＣ６は、それぞれグランド端子を構成するので、アクセサリー側第１端子群Ａ１ＣＧの第５の端子Ａ１Ｃ５及び第６の端子Ａ１Ｃ６もそれぞれ対応するグランド端子を構成する。
【０２１４】
（Ｄ）第７の端子Ａ１Ｃ７〜第１２の端子Ａ１Ｃ１２
カメラ側端子群ＣＣＧの第７の端子ＣＣ７〜第１２の端子ＣＣ１２は、それぞれ通信端子を構成するので、アクセサリー側第１端子群Ａ１ＣＧの第７の端子Ａ１Ｃ７〜第１２の端子Ａ１Ｃ１２もそれぞれ対応する通信端子を構成する。
【０２１５】
なお、第１２の端子Ａ１Ｃ１２については、プルダウン抵抗ＡＲ１２を介して接地され、グランドの電位にプルダウンされる。これにより、アクセサリー２００をカメラ１０に装着した際、カメラ１０の第１２の端子ＣＣ１２がＬＯＷレベル（第２極性）に設定される。カメラマイコン３４は、第１２の端子ＣＣ１２がＬＯＷレベル（第２極性）であることを検出することにより、カメラ１０にアクセサリー２００が装着されたことを検出できる。ただし、検出できるのは、アクセサリー２００の装着の有無だけである。アクセサリー２００が複数装着された場合、その数については検出できない。
【０２１６】
なお、第１２の端子Ａ１Ｃ１２に接続されるプルダウン抵抗ＡＲ１２の抵抗値は、レンズ１００の第１２の端子ＬＣ１２に接続されたプルアップ抵抗ＬＲ１２よりも大きな抵抗値に設定される。たとえば、レンズ１００の第１２の端子ＬＣ１２に接続されたプルアップ抵抗ＬＲ１２が２．２ｋΩ、アクセサリー側第１端子群Ａ１ＣＧの第１２の端子Ａ１Ｃ１２に接続されたプルダウン抵抗ＡＲ１２が２２０ｋΩで構成される。これにより、たとえば、アクセサリー２００のモードが、バイパスモードに設定されている場合であっても、カメラ１０の第１２の端子ＣＣ１２をＬＯＷレベル（第２極性）に設定できる。
【０２１７】
〈アクセサリー側第２端子群〉
上記のように、アクセサリー側第２マウント２０４Ｂは、アクセサリー２００にレンズ１００を装着するためのマウントである。レンズ１００をアクセサリー２００に装着すると、レンズ側端子群ＬＣＧの各端子ＬＣ１〜ＬＣ１２が、アクセサリー側第２端子群Ａ２ＣＧの対応する端子Ａ２Ｃ１〜Ａ２Ｃ１２に接続される。すなわち、レンズ側端子群ＬＣＧの第１の端子ＬＣ１がアクセサリー側第２端子群Ａ２ＣＧの第１の端子Ａ２Ｃ１に接続され、レンズ側端子群ＬＣＧの第２の端子ＬＣ２がアクセサリー側第２端子群Ａ２ＣＧの第２の端子Ａ２Ｃ２に接続され、…、レンズ側端子群ＬＣＧの第１２の端子ＬＣ１２がアクセサリー側第２端子群Ａ２ＣＧの第１２の端子Ａ２Ｃ１２に接続される。したがって、アクセサリー側第２端子群Ａ２ＣＧの各端子Ａ２Ｃ１〜Ａ２Ｃ１２は、レンズ側端子群ＬＣＧの対応する端子ＬＣ１〜ＬＣ１２の機能を有する。
【０２１８】
（Ａ）第１の端子Ａ２Ｃ１
レンズ側端子群ＬＣＧの第１の端子ＬＣ１は、レンズ検出端子を構成するので、アクセサリー側第２端子群Ａ２ＣＧの第１の端子Ａ２Ｃ１もレンズ検出端子を構成する。
【０２１９】
（Ｂ）第２の端子ＬＣ２、第３の端子ＬＣ３及び第４の端子ＬＣ４
レンズ側端子群ＬＣＧの第２の端子ＬＣ２、第３の端子ＬＣ３及び第４の端子ＬＣ４は、それぞれ電源端子を構成するので、アクセサリー側第２端子群Ａ２ＣＧの第２の端子Ａ２Ｃ２、第３の端子Ａ２Ｃ３及び第４の端子Ａ２Ｃ４もそれぞれ対応する電源端子を構成する。
【０２２０】
なお、第２の端子Ａ２Ｃ２が、最も低い電圧のレンズ駆動用電源ＬＶ１を供給する端子であり、第４の端子Ａ２Ｃ４が、最も高い電圧のレンズ駆動用電源ＬＶ３を供給する端子である。また、第３の端子Ａ２Ｃ３が、中間の電圧のレンズ駆動用電源ＬＶ２を供給する端子である。
【０２２１】
（Ｃ）第５の端子Ａ２Ｃ５及び第６の端子Ａ２Ｃ６
レンズ側端子群ＬＣＧの第５の端子ＬＣ５及び第６の端子ＬＣ６は、それぞれグランド端子を構成するので、アクセサリー側第２端子群Ａ２ＣＧの第５の端子Ａ２Ｃ５及び第６の端子Ａ２Ｃ６もそれぞれ対応するグランド端子を構成する。
【０２２２】
（Ｄ）第７の端子Ａ２Ｃ７〜第１２の端子Ａ２Ｃ１２
レンズ側端子群ＬＣＧの第７の端子ＬＣ７〜第１２の端子ＬＣ１２は、それぞれ通信端子を構成するので、アクセサリー側第２端子群Ａ２ＣＧの第７の端子Ａ２Ｃ７〜第１２の端子Ａ２Ｃ１２もそれぞれ対応する通信端子を構成する。
【０２２３】
〈アクセサリー側第１端子群とアクセサリー側第２端子群との接続関係〉
アクセサリー側第１端子群Ａ１ＣＧの各端子Ａ１Ｃ１〜Ａ１Ｃ１２及びアクセサリー側第２端子群Ａ２ＣＧの各端子Ａ２Ｃ１〜Ａ２Ｃ１２は、アクセサリー内部において、次のように接続される。
【０２２４】
（Ａ）第１の端子
アクセサリー側第１端子群Ａ１ＣＧにおいてレンズ検出端子を構成する第１の端子Ａ１Ｃ１及びアクセサリー側第２端子群Ａ２ＣＧにおいてレンズ検出端子を構成する第１の端子Ａ２Ｃ１は、アクセサリー内において、第１の接続配線ＡＬ１によって互いに接続される。これにより、カメラ１０とレンズ１００との間にアクセサリー２００を装着した場合であっても、カメラ１０の第１の端子ＣＣ１とレンズ１００の第１の端子ＬＣ１とを電気的に接続できる。
【０２２５】
（Ｂ）第２の端子〜第４の端子
アクセサリー側第１端子群Ａ１ＣＧにおいて第１の電源端子を構成する第２の端子Ａ１Ｃ２及びアクセサリー側第２端子群Ａ２ＣＧにおいて第１の電源端子を構成する第２の端子Ａ２Ｃ２は、アクセサリー内において、アクセサリー側電源線を構成する第２の接続配線ＡＬ２によって互いに接続される。これにより、カメラ１０とレンズ１００との間にアクセサリー２００を装着した場合であっても、カメラ１０の第２の端子ＣＣ２とレンズ１００の第２の端子ＬＣ２とを電気的に接続できる。この場合、第２の接続配線ＡＬ２は、カメラ１０からレンズ１００に最も低い電圧の第１のレンズ駆動用電源ＬＶ１を供給する配線として機能する。
【０２２６】
アクセサリー側第１端子群Ａ１ＣＧにおいて第２の電源端子を構成する第３の端子Ａ１Ｃ３及びアクセサリー側第２端子群Ａ２ＣＧにおいて第２の電源端子を構成する第３の端子Ａ２Ｃ３は、アクセサリー内において、アクセサリー側電源線を構成する第３の接続配線ＡＬ３によって互いに接続される。これにより、カメラ１０とレンズ１００との間にアクセサリー２００を装着した場合であっても、カメラ１０の第３の端子ＣＣ３とレンズ１００の第３の端子ＬＣ３とを電気的に接続できる。この場合、第３の接続配線ＡＬ３は、カメラ１０からレンズ１００に中間の電圧の第２のレンズ駆動用電源ＬＶ２を供給する配線として機能する。
【０２２７】
アクセサリー側第１端子群Ａ１ＣＧにおいて第３の電源端子を構成する第４の端子Ａ１Ｃ４及びアクセサリー側第２端子群Ａ２ＣＧにおいて第３の電源端子を構成する第４の端子Ａ２Ｃ４は、アクセサリー内において、アクセサリー側電源線を構成する第４の接続配線ＡＬ４によって互いに接続される。これにより、カメラ１０とレンズ１００との間にアクセサリー２００を装着した場合であっても、カメラ１０の第４の端子ＣＣ４とレンズ１００の第４の端子ＬＣ４とを電気的に接続できる。この場合、第４の接続配線ＡＬ４は、カメラ１０からレンズ１００に最も高い電圧の第３のレンズ駆動用電源ＬＶ３を供給する配線として機能する。
【０２２８】
（Ｃ）第５の端子及び第６の端子
アクセサリー側第１端子群Ａ１ＣＧにおいて第２のグランド端子を構成する第６の端子Ａ１Ｃ６及びアクセサリー側第２端子群Ａ２ＣＧにおいて第２のグランド端子を構成する第６の端子Ａ２Ｃ６は、アクセサリー内において、アクセサリー側グランド線を構成する第６の接続配線ＡＬ６によって互いに接続される。これにより、カメラ１０とレンズ１００との間にアクセサリー２００を装着した場合であっても、カメラ１０の第６の端子ＣＣ６とレンズ１００の第６の端子ＬＣ６とを電気的に接続できる。
【０２２９】
アクセサリー側第１端子群Ａ１ＣＧにおいて第１のグランド端子を構成する第５の端子Ａ１Ｃ５及びアクセサリー側第２端子群Ａ２ＣＧにおいて第１のグランド端子を構成する第５の端子Ａ２Ｃ５は、アクセサリー内において、それぞれ第５の接続配線ＡＬ５Ａ、ＡＬ５Ｂを介して第６の接続配線ＡＬ６に接続される。これにより、カメラ１０とレンズ１００との間にアクセサリー２００を装着した場合であっても、カメラ１０の第５の端子ＣＣ５とレンズ１００の第５の端子ＬＣ５とを電気的に接続できる。
【０２３０】
（Ｄ）第７の端子〜第１２の端子
アクセサリー側第１端子群Ａ１ＣＧにおいて通信端子を構成する第７の端子Ａ１Ｃ７及びアクセサリー側第２端子群Ａ２ＣＧにおいて通信端子を構成する第７の端子Ａ２Ｃ７は、アクセサリー内において、第７の接続配線ＡＬ７によって互いに接続される。これにより、カメラ１０とレンズ１００との間にアクセサリー２００を装着した場合であっても、カメラ１０の第７の端子ＣＣ７とレンズ１００の第７の端子ＬＣ７とを電気的に接続できる。
【０２３１】
アクセサリー側第１端子群Ａ１ＣＧにおいて通信端子を構成する第８の端子Ａ１Ｃ８及びアクセサリー側第２端子群Ａ２ＣＧにおいて通信端子を構成する第８の端子Ａ２Ｃ８は、アクセサリー内において、第８の接続配線ＡＬ８によって互いに接続される。これにより、カメラ１０とレンズ１００との間にアクセサリー２００を装着した場合であっても、カメラ１０の第８の端子ＣＣ８とレンズ１００の第８の端子ＬＣ８とを電気的に接続できる。
【０２３２】
アクセサリー側第１端子群Ａ１ＣＧにおいて通信端子を構成する第９の端子Ａ１Ｃ９及びアクセサリー側第２端子群Ａ２ＣＧにおいて通信端子を構成する第９の端子Ａ２Ｃ９は、アクセサリー内において、第９の接続配線ＡＬ９によって互いに接続される。これにより、カメラ１０とレンズ１００との間にアクセサリー２００を装着した場合であっても、カメラ１０の第９の端子ＣＣ９とレンズ１００の第９の端子ＬＣ９とを電気的に接続できる。
【０２３３】
アクセサリー側第１端子群Ａ１ＣＧにおいて通信端子を構成する第１０の端子Ａ１Ｃ１０及びアクセサリー側第２端子群Ａ２ＣＧにおいて通信端子を構成する第１０の端子Ａ２Ｃ１０は、アクセサリー内において、第１０の接続配線ＡＬ１０によって互いに接続される。これにより、カメラ１０とレンズ１００との間にアクセサリー２００を装着した場合であっても、カメラ１０の第１０の端子ＣＣ１０とレンズ１００の第１０の端子ＬＣ１０とを電気的に接続できる。
【０２３４】
アクセサリー側第１端子群Ａ１ＣＧにおいて通信端子を構成する第１１の端子Ａ１Ｃ１１及びアクセサリー側第２端子群Ａ２ＣＧにおいて通信端子を構成する第１１の端子Ａ２Ｃ１１は、アクセサリー内において、第１１の接続配線ＡＬ１１によって互いに接続される。これにより、カメラ１０とレンズ１００との間にアクセサリー２００を装着した場合であっても、カメラ１０の第１１の端子ＣＣ１１とレンズ１００の第１１の端子ＣＣ１１とを電気的に接続できる。
【０２３５】
ここで、第９の端子、第１０の端子及び第１１の端子は、３線式シリアル通信に使用される端子なので、第９の接続配線ＡＬ９、第１０の接続配線ＡＬ１０及び第１１の接続配線ＡＬ１１は、３線式シリアル通信に使用される。すなわち、第９の接続配線ＡＬ９、第１０の接続配線ＡＬ１０及び第１１の接続配線ＡＬ１１は、アクセサリー側主信号線を構成する。第９の接続配線ＡＬ９、第１０の接続配線ＡＬ１０及び第１１の接続配線ＡＬ１１は、アクセサリー２００がカメラ１０に装着された場合に、カメラ側主信号線であるカメラ側の第９の信号線ＣＬ９、第１０の信号線ＣＬ１０及び第１１の信号線ＣＬ１１に接続される。また、アクセサリー２００にレンズ１００が装着された場合に、レンズ側主信号線であるレンズ側の第９の信号線ＬＬ９、第１０の信号線ＬＬ１０及び第１１の信号線ＬＬ１１に接続される。
【０２３６】
アクセサリー側第１端子群Ａ１ＣＧの第１２の端子Ａ１Ｃ１２は、アクセサリー内において、アクセサリー側第１副信号線ＡＬ１２Ａを介して、アクセサリーマイコン２１０に接続される。また、アクセサリー側第２端子群Ａ２ＣＧの第１２の端子Ａ２Ｃ１２は、アクセサリー内において、アクセサリー側第２副信号線ＡＬ１２Ｂを介して、アクセサリーマイコン２１０に接続される。
【０２３７】
《アクセサリーに備えられるバイパス機構》
上記のように、アクセサリー２００には、カメラマイコン３４とレンズマイコン１１４とが、第１２の端子ＣＣ１２、ＬＣ１２を介して通信する際、アクセサリーマイコン２１０を経由せずに通信するためのバイパス機構が備えられる。以下、このバイパス機構の構成について説明する。
【０２３８】
〈バイパス機構の構成〉
図１５に示すように、アクセサリー側第１端子群Ａ１ＣＧの第１２の端子Ａ１Ｃ１２とアクセサリー側第２端子群Ａ２ＣＧの第１２の端子Ａ２Ｃ１２との間には、アクセサリーマイコン２１０を回避するようにバイパス信号線２３０が接続される。
【０２３９】
バイパス信号線２３０には、第１のスイッチとしての第１のＦＥＴ（ＦＥＴ：Field-Effect Transistor／電界効果トランジスター）２３４、及び、第２のスイッチとしての第２のＦＥＴ２３６が接続される。
【０２４０】
第1のＦＥＴ２３４は、そのソース端子がバイパス信号線２３０を介してアクセサリー側第１端子群Ａ１ＣＧの第１２の端子Ａ１Ｃ１２に接続される。また、そのドレイン端子がバイパス信号線２３０を介して第２のＦＥＴ２３６のドレイン端子に接続される。
【０２４１】
また、第２のＦＥＴ２３６は、そのソース端子がバイパス信号線２３０を介してアクセサリー側第２端子群Ａ２ＣＧの第１２の端子Ａ２Ｃ１２に接続される。
【０２４２】
第１のＦＥＴ２３４及び第２のＦＥＴ２３６は、それぞれゲート端子が、第２の接続配線ＡＬ２と第６の接続配線ＡＬ６とを接続する配線２３８に接続される。
【０２４３】
配線２３８には、第３のスイッチとしての第３のＦＥＴ２４０及びプルアップ抵抗２４２が接続される。
【０２４４】
上記のように、第２の接続配線ＡＬ２は、最も低い電圧の第１のレンズ駆動用電源ＬＶ１を供給する配線として機能するので、配線２３８に接続された第１のＦＥＴ２３４及び第２のＦＥＴ２３６は、それぞれゲート端子が第１のレンズ駆動用電源ＬＶ１の電位にプルアップされる。
【０２４５】
第３のＦＥＴ２４０は、そのドレイン端子が配線２３８を介してプルアップ抵抗２４２に接続される。また、そのソース端子が、配線２３８を介して、第６の接続配線ＡＬ６に接続される。第６の接続配線ＡＬ６は、グランド線として機能するので、第３のＦＥＴ２４０は、ソース端子が接地される。
【０２４６】
また、第３のＦＥＴ２４０は、そのゲート端子が、配線２４４を介してアクセサリーマイコン２１０の第３のポートＡＰ３に接続される。バイパス制御部２１４として機能するアクセサリーマイコン２１０は、この第３のポートＡＰ３の極性（ＨＩＧＨレベル又はＬＯＷレベル）を制御して、バイパス機構のオンオフを制御する。
【０２４７】
第１のＦＥＴ２３４、第２のＦＥＴ２３６及び第３のＦＥＴ２４０が、通信経路切換スイッチ２３２を構成する。
【０２４８】
〈バイパス機構の動作〉
アクセサリー２００を装着した場合において、カメラマイコン３４とレンズマイコン１１４とが、アクセサリーマイコン２１０を経由して通信するモードを通常通信モードとし、カメラマイコン３４とレンズマイコン１１４とが、アクセサリーマイコン２１０を経由せずに通信するモードをバイパスモードとする。通常通信モードでは、バイパス機構がオフされ、バイパスモードでは、バイパス機構がオンされる。
【０２４９】
（１）通常通信モード
通常通信モードでは、バイパス機構がオフされる。この場合、アクセサリーマイコン２１０は、そのアクセサリーマイコン入出力ポート２１６の第３のポートＡＰ３の極性をＨＩＧＨレベルに設定する。これにより、第３のＦＥＴ２４０のゲート端子がＨＩＧＨレベルに設定され、スイッチとしての第３のＦＥＴ２４０がオンとなる。
【０２５０】
一方、スイッチとしての第３のＦＥＴ２４０がオンとなることにより、第１のＦＥＴ２３４及び第２のＦＥＴ２３６のゲート端子が、それぞれＬＯＷレベルに設定される。これにより、スイッチとしての第１のＦＥＴ２３４及び第２のＦＥＴ２３６がオフとなる。この結果、バイパス信号線２３０が切断され、バイパス機構がオフされる。
【０２５１】
これにより、アクセサリーマイコン２１０を介して、カメラマイコン３４とレンズマイコン１１４とが通信可能になる。より具体的には、アクセサリーマイコン２１０とカメラマイコン３４とが通信可能に接続され、かつ、アクセサリーマイコン２１０とレンズマイコン１１４とが通信可能に接続される。
【０２５２】
なお、ここでの通信は、単線式シリアル通信となる。この場合、レンズマイコン１１４からアクセサリーマイコン２１０にデータが送信され、かつ、アクセサリーマイコン２１０からカメラマイコン３４にデータが送信される。
【０２５３】
（２）バイパスモード
バイパスモードでは、バイパス機構がオンされる。この場合、アクセサリーマイコン２１０は、そのアクセサリーマイコン入出力ポート２１６の第３のポートＡＰ３の極性をＬＯＷレベルに設定する。これにより、スイッチとしての第３のＦＥＴ２４０がオフとなる。
【０２５４】
一方、スイッチとしての第３のＦＥＴ２４０がオフとなると、第１のＦＥＴ２３４及び第２のＦＥＴ２３６のゲート端子が、それぞれＨＩＧＨレベルに設定される。これにより、スイッチとしての第１のＦＥＴ２３４及び第２のＦＥＴ２３６がオンとなる。この結果、バイパス信号線２３０が開通し、バイパス機構がオンされる。
【０２５５】
これにより、アクセサリーマイコン２１０を経由せずにカメラマイコン３４とレンズマイコン１１４とが直接通信できるように設定される。
【０２５６】
《カメラ、レンズ及びアクセサリーの電気的な接続関係》
〈レンズをカメラに直接装着した場合の電気的な接続関係〉
図１６は、レンズをカメラに直接装着した場合の電気的な接続関係を示す図である。
【０２５７】
同図に示すように、レンズ１００をカメラ１０に直接装着すると、レンズ側端子群ＬＣＧの各端子ＬＣ１〜ＬＣ１２が、カメラ側端子群ＣＣＧの対応する端子ＣＣ１〜ＣＣ１２に接続される。すなわち、レンズ側端子群ＬＣＧの第１の端子ＬＣ１がカメラ側端子群ＣＣＧの第１の端子ＣＣ１に接続され、レンズ側端子群ＬＣＧの第２の端子ＬＣ２がカメラ側端子群ＣＣＧの第２の端子ＣＣ２に接続され、…、レンズ側端子群ＬＣＧの第１２の端子ＬＣ１２がカメラ側端子群ＣＣＧの第１２の端子ＣＣ１２に接続される。
【０２５８】
〈カメラとレンズとの間にアクセサリーを装着した場合の電気的な接続関係〉
図１７は、カメラとレンズとの間にアクセサリーを装着した場合の電気的な接続関係を示す図である。
【０２５９】
同図に示すように、アクセサリー２００をカメラ１０に装着すると、アクセサリー側第１端子群Ａ１ＣＧの各端子Ａ１Ｃ１〜Ａ１Ｃ１２が、カメラ側端子群ＣＣＧの対応する端子ＣＣ１〜ＣＣ１２に接続される。すなわち、アクセサリー側第１端子群Ａ１ＣＧの第１の端子Ａ１Ｃ１がカメラ側端子群ＣＣＧの第１の端子ＣＣ１に接続され、アクセサリー側第１端子群Ａ１ＣＧの第２の端子Ａ１Ｃ２がカメラ側端子群ＣＣＧの第２の端子ＣＣ２に接続され、…、アクセサリー側第１端子群Ａ１ＣＧの第１２の端子Ａ１Ｃ１２がカメラ側端子群ＣＣＧの第１２の端子ＣＣ１２に接続される。
【０２６０】
また、レンズ１００をアクセサリー２００に装着すると、レンズ側端子群ＬＣＧの各端子ＬＣ１〜ＬＣ１２が、アクセサリー側第２端子群Ａ２ＣＧの対応する端子Ａ２Ｃ１〜Ａ２Ｃ１２に接続される。すなわち、レンズ側端子群ＬＣＧの第１の端子ＬＣ１がアクセサリー側第２端子群Ａ２ＣＧの第１の端子Ａ２Ｃ１に接続され、レンズ側端子群ＬＣＧの第２の端子ＬＣ２がアクセサリー側第２端子群Ａ２ＣＧの第２の端子Ａ２Ｃ２に接続され、…、レンズ側端子群ＬＣＧの第１２の端子ＬＣ１２がアクセサリー側第２端子群Ａ２ＣＧの第１２の端子Ａ２Ｃ１２に接続される。
【０２６１】
なお、アクセサリー２００を複数装着した場合、一方のアクセサリー２００のアクセサリー側第１端子群Ａ１ＣＧが、他方のアクセサリー２００のアクセサリー側第２端子群Ａ２ＣＧに接続される。
【０２６２】
［カメラシステムの作用］
《レンズ及びアクセサリーの装着》
〈アクセサリーを装着しない場合〉
レンズ１００に備えられたレンズ側マウント１０４をカメラ１０に備えられたカメラ側マウント１４に装着することにより、レンズ１００がカメラ１０に装着される。この際、カメラ１０に対してレンズ１００を回転させて装着する。
【０２６３】
レンズ１００をカメラ１０に装着することにより、レンズ側マウント１０４に備えられたレンズ側端子群ＬＣＧがカメラ側マウント１４に備えられたカメラ側端子群ＣＣＧに接続される。
【０２６４】
レンズ１００をカメラ１０に装着する際、レンズ側端子群ＬＣＧは、回転方向に沿ってレンズ検出端子（第１の端子ＬＣ１）、複数の電源端子（第２の端子ＬＣ２〜第４の端子ＬＣ４）、複数のグランド端子（第５の端子ＬＣ５及び第６の端子ＬＣ６）、複数の通信端子（第７の端子ＬＣ７〜第１２の端子ＬＣ１２）の順で配置されるので、電源端子（第２の端子ＬＣ２〜第４の端子ＬＣ４）をより多くカメラ側端子群ＣＣＧの端子に接触させることができる。これにより、レンズ側端子群ＬＣＧの複数の電源端子（第２の端子ＬＣ２〜第４の端子ＬＣ４）のセルフクリーニング効果を向上できる。この結果、レンズ側端子群ＬＣＧの複数の電源端子（第２の端子ＬＣ２〜第４の端子ＬＣ４）の接触抵抗を低減でき、効率よく電源を供給できる。
【０２６５】
〈アクセサリーを装着する場合〉
アクセサリー２００に備えられたアクセサリー側第１マウント２０４Ａをカメラ１０に備えられたカメラ側マウント１４に装着することにより、アクセサリー２００がカメラ１０に装着される。この際、カメラ１０に対してアクセサリー２００を回転させて装着する。
【０２６６】
アクセサリー２００を複数装着する場合は、追加して装着するアクセサリー２００のアクセサリー側第１マウント２０４Ａをカメラ１０に装着済みのアクセサリー２００のアクセサリー側第２マウント２０４Ｂに装着する。これにより、アクセサリー２００が追加して装着される。
【０２６７】
レンズ１００を装着する場合は、レンズ１００に備えられたレンズ側マウント１０４をカメラ１０に装着済みのアクセサリー２００のアクセサリー側第２マウント２０４Ｂに装着する。これにより、レンズ１００がアクセサリー２００に装着される。
【０２６８】
《レンズの装着の検出》
カメラマイコン３４は、カメラ側端子群ＣＣＧの第１の端子（レンズ検出端子）ＣＣ１の極性に基づいて、レンズ１００の装着の有無を検出する。
【０２６９】
レンズ１００が装着されていない場合、カメラ側の第１の端子ＣＣ１は、プルアップ抵抗ＣＲ１によってプルアップされる結果、ＨＩＧＨレベル（高電位）となる。
【０２７０】
一方、レンズ１００がカメラ１０に装着されると、図１６に示すように、カメラ側の第１の端子ＣＣ１には、レンズ側の第１の端子（レンズ検出端子）ＬＣ１が接続される。レンズ側の第１の端子ＬＣ１は、接地されているため、レンズ側の第１の端子ＬＣ１が、カメラ側の第１の端子ＣＣ１に接続されると、カメラ側の第１の端子ＣＣ１は、ＬＯＷレベル（低電位）となる。
【０２７１】
カメラマイコン３４は、カメラ側の第１の端子ＣＣ１に接続されたレンズ検出用ポートＣＰ０の極性（ＨＩＧＨレベル又はＬＯＷレベル）に基づいて、レンズ１００の装着の有無を検出する。すなわち、レンズ検出用ポートＣＰ０の電位がＨＩＧＨレベルの場合は、レンズ１００が装着されていない、と判定し、レンズ検出用ポートＣＰ０の電位がＬＯＷレベルの場合は、レンズ１００が装着されている、と判別して、レンズ１００の装着の有無を検出する。
【０２７２】
なお、レンズ検出端子である第１の端子ＣＣ１は、レンズ１００をカメラ１０に装着する場合のレンズ１００の回転方向Ｒの先頭に配置される。これにより、レンズ１００を着脱する際、カメラ側の第１の端子ＣＣ１にレンズ側の第１の端子ＬＣ１以外の端子が接触するのを防止できる。これにより、誤検出を防止できる。
【０２７３】
《アクセサリーの装着の検出》
カメラマイコン３４は、第１２の端子ＣＣ１２がＬＯＷレベル（第２極性）であることを検出することにより、カメラ１０にアクセサリー２００が装着されたことを検出できる。ただし、検出できるのは、アクセサリー２００の装着の有無だけである。
【０２７４】
アクセサリー２００の装着の有無については、後述するアクセサリー２００の検出処理によっても行われる。アクセサリー２００の検出処理では、アクセサリー２００の装着の有無及び装着数が検出され、かつ、装着されたアクセサリーの種類等も検出される。
【０２７５】
《レンズマイコンの起動》
カメラマイコン３４は、レンズ１００の装着を検出すると、電源供給部４２にレンズ駆動用電源の供給を開始させる。すなわち、カメラ側の複数の電源端子（第２の端子ＣＣ２、第３の端子ＣＣ３及び第４の端子ＣＣ４）にレンズ駆動用電源ＬＶ１、ＬＶ２、ＬＶ３が供給されるように、電源供給部４２及びレンズ駆動用電源スイッチ部４４を制御する。これにより、カメラ側の複数の電源端子（第２の端子ＣＣ２、第３の端子ＣＣ３及び第４の端子ＣＣ４）のそれぞれにレンズ駆動用電源ＬＶ１、ＬＶ２、ＬＶ３が供給される。
【０２７６】
また、カメラ側の複数の電源端子（第２の端子ＣＣ２、第３の端子ＣＣ３及び第４の端子ＣＣ４）にレンズ駆動用電源ＬＶ１、ＬＶ２、ＬＶ３が供給されると、そのカメラ側の複数の電源端子（第２の端子ＣＣ２、第３の端子ＣＣ３及び第４の端子ＣＣ４）に接続されたレンズ側の複数の電源端子（第２の端子ＬＣ２、第３の端子ＬＣ３及び第４の端子ＬＣ４）を介して、レンズ１００にレンズ駆動用電源ＬＶ１、ＬＶ２、ＬＶ３が供給される。
【０２７７】
レンズ１００にレンズ駆動用電源ＬＶ１、ＬＶ２、ＬＶ３が供給されると、そのうちの一つを使用して、レンズマイコン１１４のシステム電源が生成される。レンズマイコン１１４のシステム電源は、レンズ側システム電源生成部１１２で生成される。レンズ側システム電源生成部１１２は、カメラ側から供給された複数のレンズ駆動用電源ＬＶ１、ＬＶ２、ＬＶ３のうち最も低い電圧の第１のレンズ駆動用電源ＬＶ１（＋５Ｖ）を使用して、システム電源（＋３．３Ｖ）を生成し、レンズマイコン１１４に供給する。
【０２７８】
システム電源がレンズマイコン１１４に正常に供給されることにより、レンズマイコン１１４が起動する。
【０２７９】
なお、アクセサリー２００が装着されている場合、同様の手順でアクセサリーマイコン２１０にシステム電源が供給され、アクセサリーマイコン２１０が起動する。すなわち、アクセサリー側システム電源生成部２５０が、最も低い電圧のレンズ駆動用電源ＬＶ１（＋５Ｖ）を使用してシステム電源（＋３．３Ｖ）を生成し、アクセサリーマイコン２１０に供給する。これにより、アクセサリーマイコン２１０が起動する。
【０２８０】
《レンズマイコンにシステム電源が正常に供給されたことの検出》
カメラマイコン３４は、カメラ側端子群ＣＣＧの特定の端子の極性に基づいて、レンズマイコン１１４にシステム電源が正常に供給されたことを検出する。ここでの特定の端子とは、レンズ側において、プルアップ抵抗が接続された端子と接続される端子である。
【０２８１】
レンズ側において、プルアップ抵抗ＬＲ７、ＬＲ８、ＬＲ１２が接続された端子は、第７の端子ＬＣ７、第８の端子ＬＣ８及び第１２の端子ＬＣ１２である。そして、これらの端子に接続されるカメラ側の端子は、第７の端子ＣＣ７、第８の端子ＣＣ８及び第１２の端子ＣＣ１２である。
【０２８２】
カメラマイコン３４は、カメラ側端子群ＣＣＧの第７の端子ＣＣ７に接続される第１の通信用ポートＣＰ１、カメラ側端子群ＣＣＧの第８の端子ＣＣ８に接続される第２の通信用ポートＣＰ２、及び、カメラ側端子群ＣＣＧの第１２の端子ＣＣ１２に接続される第６の通信用ポートＣＰ６の極性（ＨＩＧＨレベル又はＬＯＷレベル）を判別して、レンズマイコン１１４にシステム電源が正常に供給されたことを検出する。具体的には、第１の通信用ポートＣＰ１、第２の通信用ポートＣＰ２及び第６の通信用ポートＣＰ６の極性がＨＩＧＨレベルであることを検出すると、レンズマイコン１１４にシステム電源が正常に供給された、と判定する。これにより、レンズ側でレンズマイコン１１４のシステム電源を生成する場合であっても、レンズマイコン１１４にシステム電源が正常に供給されたことをカメラ側で適切に検知できる。特に、本実施の形態のカメラシステム１のように、複数の端子の極性を判別することにより、より正確に検知できる。
【０２８３】
なお、レンズマイコン１１４に正常にシステム電源が供給され、レンズマイコン１１４が正常に起動すると、レンズマイコン１１４は、第１の通信用ポートＬＰ１の極性をＬＯＷレベルに切り換える。この結果、レンズ側の第７の端子ＬＣ７及びカメラ側の第７の端子ＣＣ７の極性が、ＨＩＧＨレベルからＬＯＷレベルに切り換えられる。カメラマイコン３４は、第７の端子ＣＣ７がＬＯＷレベルに切り換えられたことを検出して、レンズマイコン１１４が起動したことを検出する。すなわち、レンズマイコン１１４は、第１の通信用ポートＬＰ１の極性をＬＯＷレベルに切り換えることにより、正常に起動したことをカメラマイコン３４に通知する。レンズマイコン１１４は、起動から一定時間経過後に、第１の通信用ポートＬＰ１の極性をＬＯＷレベルに切り換える。
【０２８４】
《レンズが正規品であるか否かの判別》
カメラマイコン３４は、カメラ側端子群ＣＣＧの特定の端子の極性に基づいて、装着されたレンズ１００が正規のレンズであるか否かを判別する。ここでの特定の端子とは、レンズ側において、プルアップ抵抗ＬＲ７、ＬＲ８、ＬＲ１２が接続された端子と接続される端子、及び、プルダウン抵抗ＬＲ９が接続された端子である。
【０２８５】
レンズ側において、プルアップ抵抗ＬＲ７、ＬＲ８、ＬＲ１２が接続された端子は、第７の端子ＬＣ７、第８の端子ＬＣ８及び第１２の端子ＬＣ１２である。そして、これらの端子に接続されるカメラ側の端子は、第７の端子ＣＣ７、第８の端子ＣＣ８及び第１２の端子ＣＣ１２である。
【０２８６】
また、レンズ側において、プルダウン抵抗ＬＲ９が接続された端子は、第９の端子ＬＣ９である。そして、この端子に接続されるカメラ側の端子は、第９の端子ＣＣ９である。
【０２８７】
カメラマイコン３４は、カメラ側端子群ＣＣＧの第７の端子ＣＣ７に接続される第１の通信用ポートＣＰ１、カメラ側端子群ＣＣＧの第８の端子ＣＣ８に接続される第２の通信用ポートＣＰ２、カメラ側端子群ＣＣＧの第９の端子ＣＣ９に接続される第３の通信用ポートＣＰ３、及び、カメラ側端子群ＣＣＧの第１２の端子ＣＣ１２に接続される第６の通信用ポートＣＰ６の極性（ＨＩＧＨレベル又はＬＯＷレベル）を判別して、装着されたレンズ１００が正規のレンズか否かを判別する。具体的には、第１の通信用ポートＣＰ１、第２の通信用ポートＣＰ２及び第６の通信用ポートＣＰ６の極性がＨＩＧＨレベルであること、及び、第３の通信用ポートＣＰ３の極性がＬＯＷレベルであることを検出すると、装着されたレンズ１００が正規のレンズである、と判別する。
【０２８８】
このように、レンズ１００の装着時に特定の端子の極性を判別することで、装着されたレンズ１００が正規のレンズか否かを容易に判別できる。
【０２８９】
《アクセサリーの検出（アクセサリー検出方法）》
レンズマイコン１１４が正常に起動すると、アクセサリー２００の検出処理が行われる。アクセサリー２００の検出処理は、アクセサリー２００の装着の有無及び装着数を検出する処理である。装着が検出された場合には、装着されたアクセサリー２００の情報を取得する処理も行われる。
【０２９０】
図１８は、アクセサリーの検出処理の手順を示すフローチャートである。
【０２９１】
レンズマイコン１１４は、正常に起動したことをカメラマイコン３４に通知した後、カメラマイコン３４に向けてアクセサリー検出用データを送信する（ステップＳ１０）。アクセサリー検出用データは、第１２の端子ＬＣ１２を介して送信される。第１２の端子ＬＣ１２は、カメラ１０及びアクセサリー２００との間で単線式シリアル通信を行うための端子である。したがって、アクセサリー検出用データは、単方向の単線式シリアル通信によって、カメラ側に向けて送信される。
【０２９２】
アクセサリー２００が装着されている場合、レンズマイコン１１４から送信されたアクセサリー検出用データは、アクセサリーマイコン２１０で受信される。アクセサリーマイコン２１０は、アクセサリー検出用データを受信すると、受信したアクセサリー検出用データをカメラ１０に向けて送信する。すなわち、アクセサリー検出用データは、アクセサリー２００で中継されながらカメラ１０に送信される。
【０２９３】
なお、アクセサリー検出用データをアクセサリー２００で中継するため、アクセサリー２００の通信モードは、通常通信モードに設定される。
【０２９４】
アクセサリーマイコン２１０は、アクセサリー検出用データを中継する際、受信したアクセサリー検出用データに自身のアクセサリー情報を付加して、アクセサリー検出用データを更新する。そして、その更新したアクセサリー検出用データをカメラ１０に向けて送信する。したがって、レンズ１００からアクセサリー検出用データが送信された後の処理は、次のようになる。
【０２９５】
まず、アクセサリー検出用データがアクセサリーマイコン２１０で受信されたか否かが判定される（ステップＳ１１）。
【０２９６】
アクセサリー検出用データがアクセサリーマイコン２１０で受信されない場合とは、アクセサリー２００が装着されていない場合である。この場合、アクセサリー検出用データは、カメラマイコン３４で受信される（ステップＳ１４）。
【０２９７】
一方、アクセサリー検出用データがアクセサリーマイコン２１０で受信される場合とは、アクセサリー２００が装着されている場合である。この場合、アクセサリーマイコン２１０は、受信したアクセサリー検出用データに自身のアクセサリー情報を付加して、アクセサリー検出用データを更新する（ステップＳ１２）。この際、アクセサリーマイコン２１０は、アクセサリー検出用データに含まれる既存の情報の後にアクセサリー情報を追記してアクセサリー検出用データを更新する。したがって、アクセサリー２００が複数装着されている場合は、既存の情報の後に順次アクセサリー情報が追記されてゆくことになる。
【０２９８】
ここで、アクセサリー情報とは、そのアクセサリー２００の仕様を示す情報である。アクセサリー情報には、たとえば、アクセサリー機種情報、アクセサリー装着位置情報、光学補正情報等が含まれる。アクセサリー機種情報には、アクセサリー機種名、アクセサリー種別、メーカー名、プロダクトＩＤ等が含まれる。ここで、プロダクトＩＤ（ＩＤ：Identification）とは、製品に付される固有の識別番号であり、シリアルナンバーとも称される。また、アクセサリー装着位置情報とは、有効なアクセサリーの装着位置の情報である。たとえば、レンズ直後、カメラ直前等、アクセサリーを装着すべき位置が限定されている場合には、その情報がアクセサリー装着位置情報として記録される。また、光学補正が有効になる位置が限定されている場合にも同様に、その情報がアクセサリー装着位置情報として記録される。光学補正情報には、アクセサリーを装着した場合の画像の補正情報等が含まれる。アクセサリー情報は、アクセサリーマイコン２１０のＲＯＭに格納される。アクセサリー２００は、カメラマイコン３４と通信し、アクセサリー情報をカメラマイコン３４に送信する。
【０２９９】
アクセサリーマイコン２１０は、アクセサリー検出用データの更新後、更新したアクセサリー検出用データをカメラ１０に向けて送信する（ステップＳ１３）。
【０３００】
アクセサリーマイコン２１０からアクセサリー検出用データが送信されると、その送信されたアクセサリー検出用データがアクセサリーマイコン２１０で受信されたか否かが判定される（ステップＳ１１）。アクセサリー検出用データがアクセサリーマイコン２１０で受信された場合は、上記ステップＳ１２及びステップＳ１３の処理が実施される。
【０３０１】
アクセサリー検出用データがアクセサリーマイコン２１０で受信されず、カメラマイコン３４で受信された場合（ステップＳ１４）、カメラマイコン３４は、受信したアクセサリー検出用データに基づいて、アクセサリー２００の装着の有無を検出する（ステップＳ１５）。検出は次のように行われる。
【０３０２】
アクセサリー２００が装着されている場合、アクセサリー検出用データには、アクセサリー情報が含まれる。したがって、アクセサリー情報の有無を調べれば、アクセサリー２００の装着の有無を検出できる。カメラマイコン３４は、受信したアクセサリー検出用データを解析し、アクセサリー情報の有無を検出する。受信したアクセサリー検出用データにアクセサリー情報が含まれていない場合、カメラマイコン３４はアクセサリー２００が装着されていない、と判定する。一方、受信したアクセサリー検出用データにアクセサリー情報が含まれている場合、カメラマイコン３４はアクセサリー２００が装着されている、と判定する。
【０３０３】
このように、カメラマイコン３４は、受信したアクセサリー検出用データを解析し、アクセサリー情報の有無を検出して、アクセサリー２００の装着の有無を検出する。
【０３０４】
カメラマイコン３４は、この後、検出結果に基づいて、アクセサリー２００の装着の有無を判定する（ステップＳ１６）。
【０３０５】
アクセサリー２００の装着なし、と判定すると、アクセサリー２００の検出処理を終了する。
【０３０６】
一方、アクセサリー２００の装着あり、と判定すると、カメラマイコン３４は、受信したアクセサリー検出用データに基づいて、アクセサリー２００の装着数を検出する（ステップＳ１７）。アクセサリー２００の装着数の検出は、次のように行われる。
【０３０７】
上記のように、アクセサリー検出用データは、アクセサリー２００で中継されるたびにアクセサリー情報が付加される。したがって、アクセサリー検出用データに含まれるアクセサリー情報の数を検出すれば、装着されているアクセサリー２００の数を検出できる。カメラマイコン３４は、アクセサリー検出用データを解析して、アクセサリー検出用データに含まれるアクセサリー情報の数をカウントし、アクセサリー２００の装着数を検出する。
【０３０８】
この後、カメラマイコン３４は、アクセサリー検出用データから個々のアクセサリー２００のアクセサリー情報を抽出し、装着されているアクセサリー２００の情報を取得する（ステップＳ１８）。この際、カメラマイコン３４は、アクセサリー２００の装着順の情報も取得する。アクセサリー２００の装着順の情報は、次のように取得する。
【０３０９】
上記のように、アクセサリー検出用データは、更新の際、既存の情報の後にアクセサリー情報が追記されて更新される。したがって、各アクセサリー２００のアクセサリー情報は、装着された順番と同じ順番でアクセサリー検出用データに記録される。すなわち、アクセサリー検出用データに含まれるアクセサリー情報のうち先頭に位置するアクセサリー情報が、先頭に装着されたアクセサリー（＝最もレンズ側に装着されたアクセサリー）のアクセサリー情報であり、最後尾に位置するアクセサリー情報が、最後尾に装着されたアクセサリー（＝最もカメラ側に装着されたアクセサリー）のアクセサリー情報である。よって、アクセサリー検出用データに含まれるアクセサリー情報の順番からアクセサリーの装着順の情報を取得できる。
【０３１０】
以上一連の工程でアクセサリー２００の検出処理が終了する。
【０３１１】
アクセサリー２００の装着が検出された場合、カメラマイコン３４は、装着されているアクセサリー２００の情報を加味して、撮影制御を実施する。すなわち、アクセサリー２００が装着されることにより、焦点距離、Ｆナンバー等が変わるので、カメラマイコン３４は、これらの情報を加味して、ＡＥ（Automatic Exposure：自動露出）、ＡＦ（Auto Focus：自動焦点合わせ）等の撮影制御を実施する。
【０３１２】
また、アクセサリー２００の装着が検出された場合、カメラマイコン３４は、必要に応じて装着されているアクセサリー２００の情報を表示部２６に表示する。
【０３１３】
〈検出例〉
図１９は、アクセサリーが装着されている場合におけるアクセサリー検出用データの処理の流れを示す図である。同図は、アクセサリーが２つ装着されている場合の例を示している。２つのアクセサリーを第１アクセサリーＡ及び第２アクセサリーＢとする。第１アクセサリーＡ及び第２アクセサリーＢは、レンズからカメラに向かって第１アクセサリーＡ、第２アクセサリーＢの順で装着されているものとする。
【０３１４】
まず、レンズマイコン１１４からカメラに向けてアクセサリー検出用データが送信される。
【０３１５】
レンズマイコン１１４から送信されたアクセサリー検出用データは、第１アクセサリーＡのアクセサリーマイコン２１０で受信される。第１アクセサリーＡのアクセサリーマイコン２１０は、受信したアクセサリー検出用データに自身のアクセサリー情報Ｉａを付加して、アクセサリー検出用データを更新する。そして、更新したアクセサリー検出用データをカメラに向けて送信する。
【０３１６】
第１アクセサリーＡのアクセサリーマイコン２１０から送信されたアクセサリー検出用データは、次に、第２アクセサリーＢのアクセサリーマイコン２１０で受信される。第２アクセサリーＢのアクセサリーマイコン２１０は、受信したアクセサリー検出用データに自身のアクセサリー情報Ｉｂを付加して、アクセサリー検出用データを更新する。この結果、アクセサリー検出用データには、第１アクセサリーＡのアクセサリー情報Ｉａと、第２アクセサリーＢのアクセサリー情報Ｉｂとが含まれることとなる。第２アクセサリーＢのアクセサリーマイコン２１０は、更新したアクセサリー検出用データをカメラに向けて送信する。
【０３１７】
第２アクセサリーＢのアクセサリーマイコン２１０から送信されたアクセサリー検出用データは、次に、カメラのカメラマイコン３４で受信される。カメラマイコン３４は、受信したアクセサリー検出用データに基づいて、アクセサリーの装着の有無及び装着数を検出し、かつ、装着されているアクセサリーの情報を取得する。
【０３１８】
このように、本実施の形態のカメラシステム１では、レンズ１００からカメラ１０に向けてアクセサリー検出用データを送信し、そのアクセサリー検出用データを中間のアクセサリー２００で中継する過程でアクセサリー２００の情報を付加する。これにより、簡単かつ迅速にアクセサリー２００の装着の有無及び装着数を検出できる。また、アクセサリー２００が装着されている場合には、簡単にそのアクセサリーの情報も取得できる。
【０３１９】
《通信モードの切り換え》
アクセサリー２００の検出処理が終了すると、各アクセサリー２００は、通信モードがバイパスモードに切り換えられる。これにより、アクセサリー２００が装着されている場合であっても、アクセサリーマイコン２１０を経由せずに、レンズ１００とカメラ１０との間で直接通信することが可能になる。
【０３２０】
各アクセサリー２００のアクセサリーマイコン２１０は、アクセサリー検出用データを送信すると、通信経路切換スイッチ２３２によりバイパス信号線２３０を導通させ、バイパス機構をオンする。これにより、アクセサリー２００の通信モードがバイパスモードに切り換えられ、アクセサリーマイコン２１０を経由せずに、カメラ１０とレンズ１００との間で直接通信することが可能になる。
【０３２１】
以後、第１２の端子を介した通信（＝副信号線による通信）は、レンズ１００の動作情報の送信に使用される。レンズマイコン１１４は、単方向の単線式シリアル通信によって、レンズ１００の動作情報をカメラ１０に送信する。たとえば、フォーカスモーターが動作中であることを示す情報等、レンズ１００の特定の機能が動作中であることを示す情報が送信される。
【０３２２】
このように、アクセサリー２００の通信モードを切り換えることにより、アクセサリー検出に使用される端子（第１２の端子）及び信号線（副信号線）を有効活用できる。
【０３２３】
《通信設定》
上記のように、レンズマイコン１１４が起動すると、アクセサリー２００の検出処理が実施される。アクセサリー２００の検出処理は、アクセサリー２００で中継しながら、レンズ１００とカメラ１０との間でアクセサリー検出用データを送受信して行われる。このアクセサリー２００の検出処理と並行して通信の初期設定が行われる。具体的には、カメラ１０とレンズ１００との間で３線式シリアル通信を行うための各種設定が行われる。通信設定は、順番に実施され、レンズ側の通信設定が行われた後、カメラ側の通信設定が行われる。より具体的には、互換性有無の判定後、一定時間（たとえば、２．５mｓ）が経過すると、レンズ側の通信設定が行われ、更に一定時間（たとえば、２．５ｍｓ）が経過すると、カメラ側の通信設定が行われる。
【０３２４】
このアクセサリー２００の検出処理と並行して、通信の初期設定を行うことにより、起動を高速化できる。
【０３２５】
《レンズ情報の取得》
３線式シリアル通信の設定が完了すると、３線式シリアル通信により、レンズ情報の取得処理が行われる。
【０３２６】
ここで、レンズ情報とは、そのレンズ１００の仕様を示す情報である。レンズ情報には、たとえば、レンズ機種データ、レンズ特性データ、レンズ特性補正データ等が含まれる。レンズ機種データには、レンズ機種名、焦点距離、開放Ｆ値、メーカー名等が含まれる。レンズ特性データには、輝度シェーディングデータ、色シェーディングデータ、ディストーションデータ、収差データ等が含まれる。レンズ特性補正データには、輝度シェーディング補正データ、色シェーディング補正データ、ディストーション補正データ、収差補正データ等が含まれる。レンズ情報は、レンズマイコン１１４のＲＯＭに格納される。
【０３２７】
レンズ情報の取得処理は、次の手順で行われる。まず、カメラマイコン３４が、レンズマイコン１１４に対して、レンズ情報の送信要求を送信する。レンズマイコン１１４は、これに応答して、レンズ情報をカメラマイコン３４に送信する。これにより、レンズ情報が取得される。
【０３２８】
カメラマイコン３４は、取得したレンズ情報に基づいて、ＡＥ、ＡＦ等の撮影制御を実施する。また、カメラマイコン３４は、必要に応じて装着されているレンズ１００の情報を表示部２６に表示する。
【０３２９】
《レンズの駆動》
カメラマイコン３４とレンズマイコン１１４との間の通信が確立すると、レンズ１００はスタンバイ状態となる。以後、カメラ１０からの指示に応じて動作が可能になる。
【０３３０】
レンズマイコン１１４は、３線式シリアル通信用の端子を利用して、カメラマイコン３４と通信し、カメラマイコン３４から駆動の指示を受け付ける。そして、受け付けた指示に応じて、レンズ駆動部１１０を制御し、レンズ１００を動作させる。
【０３３１】
この際、レンズ駆動部１１０は、カメラ１０から電源の供給を受けて動作する。レンズ駆動用電源は、複数の電源端子（カメラ側の第２の端子ＣＣ２〜第４の端子ＣＣ４及びレンズ側の第２の端子ＬＣ２〜第４の端子ＬＣ４）を介して複数供給される。各レンズ駆動用電源ＬＶ１、ＬＶ２、ＬＶ３は、互いに電圧が異なり、それぞれ対応する駆動部に供給される。たとえば、フォーカス駆動部１１０Ａ、及び、絞り駆動部１１０Ｃを備えたレンズ１００において、最も低い電圧の第１のレンズ駆動用電源ＬＶ１（＋５Ｖ）は絞り駆動部１１０Ｃに供給される。また、最も高い電圧の第３のレンズ駆動用電源ＬＶ３（＋１０Ｖ）はフォーカス駆動部１１０Ａに供給される。
【０３３２】
このように各駆動部に対応する電圧の電源がカメラ側から供給されることにより、レンズ側で電源を生成する必要がなくなり、レンズ１００の構成を簡素化できる。また、ノイズ対策も不要になるので、より構成を簡素化できる。
【０３３３】
更に、複数の電源端子を介してレンズに電源を供給することにより、効率よく電源を供給できる。たとえば、レンズ側で大きな電源が必要な場合、一つの電源端子から供給すると、端子部分での損失が大きくなる。しかし、複数の電源端子を介してレンズに供給する構成とすることにより、端子部分での損失を低減でき、効率よく電源を供給できる。すなわち、複数の電源端子を介してレンズに供給する構成とすることにより、端子面積を大きく取ることができ、損失を減らして、効率よく電源を供給できる。
【０３３４】
その一方で電源端子の数が増えるが、本実施の形態のカメラシステム１では、システム電源用の端子を削減できるので、端子数の増加も抑制できる。
【０３３５】
《レンズ駆動用電源の個別のオンオフ》
上記のように、レンズ１００には、カメラ１０から電圧の異なる複数のレンズ駆動用電源が供給される。
【０３３６】
しかし、レンズ１００によっては、必ずしもすべてのレンズ駆動用電源が使用されるとは限らず、一部のレンズ駆動用電源のみが使用される場合もある。たとえば、各駆動部が同じ動作電圧で動作する場合などには、その動作電圧以外のレンズ駆動用電源は使用されない。
【０３３７】
そこで、レンズ側で使用しない電圧のレンズ駆動用電源は供給を停止する。これにより、省電力化が図れる。
【０３３８】
どの電圧のレンズ駆動用電源が必要かは、レンズごとに異なる。カメラマイコン３４は、レンズ１００から取得したレンズ情報に基づいて、必要な電圧のレンズ駆動用電源を判別し、電源供給部４２から必要な電圧のレンズ駆動用電源のみを供給させる。具体的には、次のように処理する。
【０３３９】
まず、レンズ１００から取得したレンズ情報に基づいて、装着されたレンズ１００に必要な電圧のレンズ駆動用電源を判別する。カメラマイコン３４に備えられたＲＯＭには、判定テーブルが格納されており、カメラマイコン３４は、その判定テーブルを参照して、装着されたレンズ１００に必要な電圧のレンズ駆動用電源を判別する。判定テーブルには、カメラシステム１を構成するレンズ（レンズ機種名）ごとに、必要な電圧のレンズ駆動用電源の情報が対応付けられて記録される。
【０３４０】
次に、カメラマイコン３４は、判別結果に基づいて、レンズ駆動用電源スイッチ部４４を制御し、レンズ側で未使用のレンズ駆動用電源の供給を停止する。たとえば、中間の電圧である第２のレンズ駆動用電源ＬＶ２がレンズ側で未使用の場合、第２のレンズ駆動用電源ＬＶ２の供給を停止させる。これにより、必要なレンズ駆動用電源のみが供給される。
【０３４１】
なお、最も低い電圧の第１のレンズ駆動用電源ＬＶ１は、レンズマイコン１１４のシステム電源に使用する関係上、必ず使用されるレンズ駆動用電源となる。したがって、実際に供給が停止されるのは、中間の電圧である第２のレンズ駆動用電源ＬＶ２又は最も高い電圧の第３のレンズ駆動用電源ＬＶ３となる。
【０３４２】
このように、レンズ側で未使用のレンズ駆動用電源の供給を停止することにより、効率よく電源を供給でき、かつ、省電力化が図れる。
【０３４３】
なお、本例では、カメラ側に備えられた判定テーブルを参照して、必要な電圧のレンズ駆動用電源を判別する構成としているが、レンズから送信するレンズ情報に必要な電圧のレンズ駆動用電源を含めてもよい。
【０３４４】
《レンズ及びアクセサリーの取り外し》
〈レンズの取り外し〉
レンズ１００をカメラ１０から取り外す場合は、レンズ１００を取り付けたときとは逆の方向にレンズ１００を回転させて、カメラ１０から取り外す。この際、レンズ１００の電源端子（第２の端子ＬＣ２、第３の端子ＬＣ３及び第４の端子ＬＣ４）が、レンズ１００のグランド端子（第５の端子ＬＣ５及び第６の端子ＬＣ６）に対して、回転方向の後側（レンズ１００を装着するときの回転方向Ｒに対しては前側）に配置されていることにより、レンズ１００を安全に取り外すことができる。
【０３４５】
すなわち、レンズ１００を取り外すときの回転方向に対して、電源端子がグランド端子の後側に隣接して配置されていることにより、レンズ１００を取り外す方向に回転させると、直後にレンズ１００の電源端子がカメラ１０のグランド端子に接触する構造となる。すなわち、他の端子に触れることなく、レンズ１００の電源端子がカメラ１０のグランド端子に接触する構造となる。これにより、電源端子及びその配線に残存する電荷を適切に処理でき、安全にレンズ１００を取り外すことができる。
【０３４６】
また、複数の電源端子が、レンズ１００を取り外すときの回転方向に対して、電圧の高い順（レンズ１００を装着するときの回転方向Ｒに対しては低い順）に配置されていることにより、電源端子同士が接触しても、適切にレンズ側に残存する電荷を処理できる。すなわち、レンズ１００を取り外すために回転させると、レンズ側の電源端子は、必ず自身よりも高い電圧の電源を供給するカメラ側の電源端子又はグランド端子に接触する構造になるので、レンズ側の電源端子及びその配線に電荷が残存していても、適切に処理できる。これにより、安全にレンズ１００を取り外すことができる。
【０３４７】
〈アクセサリーを取り外す場合〉
カメラ１０からアクセサリー２００を取り外す場合は、アクセサリー２００を取り付けたときとは逆の方向にアクセサリー２００を回転させて取り外す。同様に、アクセサリー２００からレンズ１００を取り外す場合も、レンズ１００を取り付けたときとは逆の方向にレンズ１００を回転させて取り外す。アクセサリー２００を取り外す場合もレンズ１００と同様の効果を奏する。
【０３４８】
◆◆第２の実施の形態◆◆
本実施の形態のカメラシステムでは、取得したアクセサリーの情報に基づいて、アクセサリーの装着の適否を判定する。
【０３４９】
なお、アクセサリーの装着の有無及び装着数を検出する方法、並びに、アクセサリーが装着されている場合において、装着されているアクセサリーの情報を取得する方法については、上記第１の実施の形態と同じなので、ここでは、アクセサリーの装着の適否を判定する方法についてのみ説明する。
【０３５０】
《装着数に基づく装着の適否の判定》
上記のように、カメラ１０がアクセサリー検出用データを受信すると、受信したアクセサリー検出用データからアクセサリーの装着の有無及び装着数を検出できる。
【０３５１】
カメラマイコン３４は、あらかじめ装着数の上限の情報を取得しておき、これと比較して、装着の適否を判定する。具体的には、検出された装着数が、あらかじめ設定された装着数の上限を超えているか否か判定し、超えている場合、不適正な装着と判定する。
【０３５２】
《製品の正規性に基づく装着の適否の判定》
カメラマイコン３４は、取得したアクセサリーの情報に基づいて、装着されたアクセサリー２００の正否を判定する。この場合、各アクセサリー２００がアクセサリー検出用データに付加するアクセサリー情報にプロダクトＩＤが含められる。カメラマイコン３４は、アクセサリー情報からプロダクトＩＤの情報を抽出し、装着されたアクセサリー２００が正規の製品か否かを判定する。正規な製品ではない場合、不適正な装着と判定する。
【０３５３】
《装着順に基づく装着の適否の判定》
上記のように、カメラ１０がアクセサリー検出用データを受信すると、受信したアクセサリー検出用データからアクセサリー２００の装着順の情報を取得できる。
【０３５４】
カメラマイコン３４は、取得したアクセサリー２００の装着順の情報に基づいて、アクセサリー２００の装着の適否を判定する。この場合、各アクセサリー２００がアクセサリー検出用データに付加するアクセサリー情報にアクセサリー装着位置情報が含められる。
【０３５５】
上記のように、アクセサリー装着位置情報は、有効なアクセサリーの装着位置の情報である。カメラマイコン３４は、取得したアクセサリー情報からアクセサリー装着位置情報を取得し、各アクセサリー２００が指定された装着位置に装着されているか否かを判定する。たとえば、有効な装着位置として、レンズ直後が指定されている場合、そのアクセサリー２００がレンズ１００の直後に装着されているか否かを判定する。判定は、アクセサリーごとに行われ、全てのアクセサリー２００が適正な位置に装着されているか否かを判定する。いずれか一つのアクセサリー２００でも不適正な位置に装着されている場合は、不適正な装着と判定する。
【０３５６】
《判定例》
図２０は、アクセサリーの装着の適否を判定する手順の一例を示すフローチャートである。
【０３５７】
まず、カメラマイコン３４は、アクセサリー検出の正否を判定する（ステップＳ２０）。すなわち、アクセサリー２００の検出処理が成功したか否かを判定する。アクセサリー検出の正否は、アクセサリー検出用データが取得できたか否かによって判定される。たとえば、レンズマイコン１１４の起動から一定時間内にアクセサリー検出用データが取得できない場合、カメラマイコン３４は、アクセサリー２００の検出処理が失敗したと判定する。通信エラー等が生じた場合には、一定時間内にアクセサリー検出用データを取得できない場合がある。このような場合、カメラマイコン３４は、アクセサリー２００の検出処理が失敗したと判定する。
【０３５８】
アクセサリー２００の検出処理に失敗すると、カメラマイコン３４は、アクセサリー２００が装着されていないと認定する（ステップＳ２５）。
【０３５９】
一方、アクセサリー２００の検出処理に成功すると、カメラマイコン３４は、装着数の適否を判定する（ステップＳ２１）。すなわち、検出されたアクセサリー２００の装着数が上限を超えているか否かを判定する。装着数が不適正と判定すると、カメラマイコン３４は、不適正なアクセサリー２００の装着と認定する（ステップＳ２６）。
【０３６０】
一方、アクセサリー２００の装着数が適正と判定すると、次に、カメラマイコン３４は、アクセサリー２００の正規性を判定する（ステップＳ２２）。すなわち、装着された各アクセサリー２００が正規の製品であるか否かを判定する。装着されたアクセサリー２００が正規の製品ではないと判定すると、カメラマイコン３４は、不適正なアクセサリー２００の装着と認定する（ステップＳ２６）。
【０３６１】
一方、装着されたアクセサリー２００が正規の製品であると判定すると、次に、カメラマイコン３４は、装着順の適否を判定する（ステップＳ２３）。すなわち、装着されたアクセサリー２００の順番が正しい装着順であるか否かを判定する。装着されたアクセサリー２００の順番が正しい装着順ではないと判定すると、カメラマイコン３４は、不適正なアクセサリー２００の装着と認定する（ステップＳ２６）。
【０３６２】
一方、装着されたアクセサリー２００の順番が正しい装着順であると判定すると、アクセサリー２００が適正に装着されていると認定する（ステップＳ２４）。
【０３６３】
このように、装着数、正規性及び装着順の観点から装着されたアクセサリー２００の装着の適否を判断する。
【０３６４】
《判定後の処理》
〈警告の報知〉
カメラマイコン３４は、アクセサリー２００の装着適否の判定の結果、不適正な装着と判定すると、警告を報知する処理を行う。この処理は、表示部２６に所定のメッセージを表示させることにより行われる。この場合、表示部２６が報知部として機能する。
【０３６５】
この他、カメラ１０が、スピーカー、ブザー等の音声による報知手段を備えている場合には、音声で警告を報知することもできる。
【０３６６】
これにより、ユーザーに適切なアクセサリー２００の使用を促すことができる。
【０３６７】
なお、通信エラー等によってアクセサリー２００の検出処理に失敗した場合も同様に警告を報知することが好ましい。
【０３６８】
〈制御の停止〉
カメラマイコン３４は、アクセサリー２００の装着適否の判定の結果、不適正な装着と判定すると、レンズ１００に対する制御を停止する。
【０３６９】
アクセサリー２００が適切に装着されていないと、適切な撮影制御が実施できないおそれがある。そのような事態を未然に防止するため、不適正なアクセサリー２００の装着が判明した場合、レンズ１００に対する制御を停止する。すなわち、撮影不能にする。
【０３７０】
これにより、正常な撮影ができなくなるのを未然に防止できる。
【０３７１】
なお、レンズ１００に対する制御を停止するのではなく、一定の条件で変更するようにしてもよい。たとえば、マニュアルで動作させるようにレンズ１００に対する制御を変更してもよい。
【０３７２】
◆◆第３の実施の形態◆◆
［カメラシステムの構成］
レンズ交換式のカメラシステムでは、新旧さまざまなカメラとレンズとが組み合わされて使用される。したがって、組み合わせによってアクセサリー２００を検出できない場合もある。たとえば、レンズ側は対応しているが、カメラ側が対応していない場合、レンズ側がアクセサリー検出用データを送信しても、カメラ側では受信できない。あるいは、受信できても、それを利用してアクセサリー２００を検出できない。
【０３７３】
したがって、事前にカメラ１０とレンズ１００の双方で相手方がアクセサリー２００の検出機能（以下、アクセサリー検出機能という。）に対応しているか否かを判定し、対応している場合にのみ、アクセサリー２００の検出処理を実施することが好ましい。
【０３７４】
そこで、本実施の形態のカメラシステムは、相手方がアクセサリー検出機能に対応しているか否か、すなわち、互換性を有しているか否かを判定する機能を備える。以下、この互換性の有無を判定する機能に係わる構成について説明する。
【０３７５】
《互換性の有無を判定する機能に係わる構成》
図２１は、カメラ及びレンズに備えられた互換性判定に係わる機能のブロック図である。
【０３７６】
本実施の形態のカメラシステムでは、特定の端子の極性を検出して、カメラ１０及びレンズ１００の双方がアクセサリー検出機能に対応しているか否かを判定する。すなわち、特定の端子の極性が第１極性の場合、アクセサリー検出機能に対応している、と判定し、第２極性の場合、アクセサリー検出機能に対応していない、と判定する。ここで、当該端子は、次のように動作する端子で構成する。すなわち、カメラ１０及びレンズ１００の双方が当該端子の極性を第１極性に設定した場合にのみ第１極性になり、少なくとも一方が第２極性に設定すると第２極性になる動作を行う。このような端子は、オープンドレイン出力又はオープンコレクタ出力が可能な端子によって実現できる。カメラ１０は、自身がアクセサリー検出機能に対応している場合、当該端子の極性を第１極性に設定し、対応していない場合、第２極性に設定する。レンズ１００も同様であり、自身がアクセサリー検出機能に対応している場合、当該端子の極性を第１極性に設定し、対応していない場合、第２極性に設定する。これにより、当該端子の極性からカメラ１０及びレンズ１００の双方がアクセサリー検出機能に対応しているか否かを判定できる。
【０３７７】
本実施の形態のカメラシステムでは、３線式シリアル通信を行うための３つの端子のうち一つの端子を利用して、互換性の有無を判定する。具体的には、第１１の端子ＣＣ１１、ＬＣ１１を利用して、互換性の有無を判定する。以下、カメラ側とレンズ側に分けて、当該機能の説明を行う。
【０３７８】
〈カメラ側に備えられる互換性判定機能〉
カメラ１０は、第１１の端子ＣＣ１１の極性に基づいて互換性の有無を判定する。すなわち、相手先のレンズ１００が、アクセサリー検出機能に対応しているか否かを判定する。
【０３７９】
第１１の端子ＣＣ１１は、３線式シリアル通信を行う際に使用される端子の一つであり、カメラマイコン３４の第５の通信用ポートＣＰ５（ＭＩＳＯポート）に接続される。この第５の通信用ポートＣＰ５は、オープンドレイン出力が可能なポートで構成される。
【０３８０】
カメラマイコン３４は、この第５の通信用ポートＣＰ５の極性を第１極性であるＨＩＧＨレベル又は第２極性であるＬＯＷレベルに設定する機能を有する。この機能は、カメラ側極性設定部７０によって提供される。カメラマイコン３４は、所定のプログラムを実行することにより、カメラ側極性設定部７０として機能する。カメラ側極性設定部７０は、カメラ１０が、アクセサリー検出機能に対応している場合、第５の通信用ポートＣＰ５の極性を第１極性であるＨＩＧＨレベルに設定する。一方、カメラ１０がアクセサリー検出機能に対応していない場合、第５の通信用ポートＣＰ５の極性を第２極性であるＬＯＷレベルに設定する。
【０３８１】
カメラマイコン３４の第５の通信用ポートＣＰ５が、ＨＩＧＨレベル（第１極性）に設定されることにより、第１１の端子ＣＣ１１がＨＩＧＨレベル（第１極性）に設定される。また、カメラマイコン３４の第５の通信用ポートＣＰ５が、ＬＯＷレベル（第２極性）に設定されることにより、第１１の端子ＣＣ１１がＬＯＷレベル（第２極性）に設定される。
【０３８２】
また、カメラマイコン３４は、第５の通信用ポートＣＰ５の極性を検出し、検出した極性に基づいて、カメラ１０に装着されたレンズ１００がアクセサリー検出機能に対応しているか否かを判定する機能を有する。この機能は、カメラ側判定部７２によって提供される。カメラマイコン３４は、所定のプログラムを実行することにより、カメラ側判定部７２として機能する。カメラ側判定部７２は、第５の通信用ポートＣＰ５の極性を検出し、検出した極性がＨＩＧＨレベル（第１極性）の場合にのみ、カメラ１０に装着されたレンズ１００がアクセサリー検出機能に対応していると判定する。
【０３８３】
なお、第１１の端子ＣＣ１１がＨＩＧＨレベル（第１極性）に設定されることにより、カメラマイコン３４の第５の通信用ポートＣＰ５がＨＩＧＨレベル（第１極性）に設定される。また、第１１の端子ＣＣ１１がＬＯＷレベル（第２極性）に設定されることにより、カメラマイコン３４の第５の通信用ポートＣＰ５がＬＯＷレベル（第２極性）に設定される。
【０３８４】
〈レンズ側に備えられる互換性判定機能〉
レンズ１００は、第１１の端子ＬＣ１１の極性に基づいて互換性の有無を判定する。すなわち、相手先のカメラ１０がアクセサリー検出機能に対応しているか否かを判定する。
【０３８５】
第１１の端子ＬＣ１１は、３線式シリアル通信を行う際に使用される端子の一つであり、レンズマイコン１１４の第５の通信用ポートＬＰ５（ＭＩＳＯポート）に接続される。この第５の通信用ポートＬＰ５は、オープンドレイン出力が可能なポートで構成される。
【０３８６】
レンズマイコン１１４は、この第５の通信用ポートＬＰ５の極性を第１極性であるＨＩＧＨレベル又は第２極性であるＬＯＷレベルに設定する機能を有する。この機能は、レンズ側極性設定部１３０によって提供される。レンズマイコン１１４は、所定のプログラムを実行することにより、レンズ側極性設定部１３０として機能する。レンズ側極性設定部１３０は、レンズ１００が、アクセサリー検出機能に対応している場合、第５の通信用ポートＬＰ５の極性を第１極性であるＨＩＧＨレベルに設定する。一方、レンズ１００がアクセサリー検出機能に対応していない場合、第５の通信用ポートＬＰ５の極性を第２極性であるＬＯＷレベルに設定する。
【０３８７】
レンズマイコン１１４の第５の通信用ポートＬＰ５が、ＨＩＧＨレベル（第１極性）に設定されることにより、第１１の端子ＬＣ１１がＨＩＧＨレベル（第１極性）に設定される。また、レンズマイコン１１４の第５の通信用ポートＬＰ５が、ＬＯＷレベル（第２極性）に設定されることにより、第１１の端子ＬＣ１１がＬＯＷレベル（第２極性）に設定される。
【０３８８】
また、レンズマイコン１１４は、第５の通信用ポートＬＰ５の極性を検出し、検出した極性に基づいて、装着先のカメラ１０がアクセサリー検出機能に対応しているか否かを判定する機能を有する。この機能は、レンズ側判定部１３２によって提供される。レンズマイコン１１４は、所定のプログラムを実行することにより、レンズ側判定部１３２として機能する。レンズ側判定部１３２は、第５の通信用ポートＬＰ５の極性を検出し、検出した極性がＨＩＧＨレベル（第１極性）の場合にのみ、装着先のカメラ１０がアクセサリー検出機能に対応していると判定する。
【０３８９】
なお、第１１の端子ＬＣ１１がＨＩＧＨレベル（第１極性）に設定されることにより、レンズマイコン１１４の第５の通信用ポートＬＰ５がＨＩＧＨレベル（第１極性）に設定される。また、第１１の端子ＬＣ１１がＬＯＷレベル（第２極性）に設定されることにより、レンズマイコン１１４の第５の通信用ポートＬＰ５がＬＯＷレベル（第２極性）に設定される。
【０３９０】
〈極性の設定〉
レンズ１００をカメラ１０に装着すると、カメラ側の第１１の端子ＣＣ１１と、レンズ側の第１１の端子ＬＣ１１とが接続される。この結果、カメラマイコン３４の第５の通信用ポートＣＰ５とレンズマイコン１１４の第５の通信用ポートＬＰ５とが接続される。
【０３９１】
ここで、上記のように、カメラマイコン３４の第５の通信用ポートＣＰ５及びレンズマイコン１１４の第５の通信用ポートＬＰ５は、オープンドレイン出力が可能であり、それぞれＨＩＧＨレベル（第１極性）又はＬＯＷレベル（第２極性）に設定されると、極性が次のように設定される。すなわち、両方ともＨＩＧＨレベル（第１極性）に設定された場合にのみ、両方ともＨＩＧＨレベル（第１極性）になり、少なくとも一方がＬＯＷレベル（第２極性）に設定されると、両方ともＬＯＷレベル（第２極性）になる。したがって、出力設定後のカメラマイコン３４の第５の通信用ポートＣＰ５及びレンズマイコン１１４の第５の通信用ポートＬＰ５の極性を検出すれば、カメラ１０及びレンズ１００の双方がアクセサリー検出機能に対応しているか否か、すなわち、互換性を有するか否かを判定できる。
【０３９２】
カメラ側判定部７２は、出力設定後の第５の通信用ポートＣＰ５の極性（＝第１１の端子ＣＣ１１の極性）を検出し、検出した極性がＨＩＧＨレベル（第１極性）の場合にのみ、装着されたレンズ１００がアクセサリー検出機能に対応していると判定する。すなわち、互換性のあるレンズ１００であると判定する。
【０３９３】
同様にレンズ側判定部１３２は、出力設定後の第５の通信用ポートＬＰ５の極性（＝第１１の端子ＬＣ１１の極性）を検出し、検出した極性がＨＩＧＨレベル（第１極性）の場合にのみ、装着先のカメラ１０がアクセサリー検出機能に対応していると判定する。すなわち、互換性のあるカメラ１０であると判定する。
【０３９４】
図２２は、アクセサリー検出機能への対応状況に応じたカメラ及びレンズの第１１の端子の出力設定と検出される極性との関係を示す表である。
【０３９５】
同図に示すように、カメラ１０及びレンズ１００は、アクセサリー検出機能に対応している場合、その第１１の端子ＣＣ１１、ＬＣ１１の出力設定がＨＩＧＨレベル（第１極性）に設定される。一方、アクセサリー検出機能に対応していない場合、その第１１の端子ＣＣ１１、ＬＣ１１の出力設定がＬＯＷレベル（第２極性）に設定される。
【０３９６】
また、出力設定後の第１１の端子ＣＣ１１、ＬＣ１１は、両方ともＨＩＧＨレベル（第１極性）に設定された場合にのみ、両方ともＨＩＧＨレベル（第１極性）になり、少なくとも一方がＬＯＷレベル（第２極性）に設定された場合は、両方ともＬＯＷレベル（第２極性）になる。
【０３９７】
このように、本実施の形態のカメラシステム１では、カメラ１０及びレンズ１００の双方で第１１の端子ＣＣ１１、ＬＣ１１の極性を検出すれば、カメラ１０とレンズ１００の双方で相手方がアクセサリー検出機能に対応しているか否かを判定できる。
【０３９８】
［カメラシステムの作用］
本実施の形態のカメラシステムは、互換性の有無を判定する機能を有する点で上記第１の実施の形態のカメラシステムと相違する。したがって、ここでは、互換性の有無を判定する機能の作用についてのみ説明する。
【０３９９】
本実施の形態のカメラシステムでは、アクセサリー２００の検出処理を実施する前に互換性の有無を判定する処理が行われる。互換性の有無を判定する処理は、次の手順で実施される。
【０４００】
《カメラ側での極性の設定》
カメラ側極性設定部７０として機能するカメラマイコン３４は、レンズ１００に対してレンズ駆動用電源の供給を開始するタイミングで第５の通信用ポートＣＰ５の極性を設定する。
【０４０１】
ここで、カメラマイコン３４は、カメラ１０がレンズ情報取得機能に対応している場合、第５の通信用ポートＣＰ５の極性を第１極性であるＨＩＧＨレベルに設定する。一方、カメラ１０がレンズ情報取得機能に対応していない場合、カメラマイコン３４は、第５の通信用ポートＣＰ５の極性を第２極性であるＬＯＷレベルに設定する。
【０４０２】
第５の通信用ポートＣＰ５の極性がＨＩＧＨレベル（第１極性）に設定されることにより、第１１の端子ＣＣ１１がＨＩＧＨレベル（第１極性）に設定される。また、第５の通信用ポートＣＰ５の極性がＬＯＷレベル（第２極性）に設定されることにより、第１１の端子ＣＣ１１がＬＯＷレベル（第２極性）に設定される。
【０４０３】
《レンズ側での極性の設定》
レンズ側極性設定部１３０として機能するレンズマイコン１１４は、その起動のタイミングで第５の通信用ポートＬＰ５の極性を設定する。上記のように、レンズマイコン１１４は、正常に電源が供給されることにより起動するので、その起動のタイミングで第５の通信用ポートＬＰ５の極性を設定する。より具体的には、起動後であって、起動したことをカメラ側に通知する前に第５の通信用ポートＬＰ５の極性を設定する。
【０４０４】
ここで、レンズマイコン１１４は、レンズ１００がレンズ情報取得機能に対応している場合、第５の通信用ポートＬＰ５の極性を第１極性であるＨＩＧＨレベルに設定する。一方、レンズ１００がレンズ情報取得機能に対応していない場合、レンズマイコン１１４は、第５の通信用ポートＬＰ５の極性を第２極性であるＬＯＷレベルに設定する。
【０４０５】
第５の通信用ポートＬＰ５の極性がＨＩＧＨレベル（第１極性）に設定されることにより、第１１の端子ＬＣ１１がＨＩＧＨレベル（第１極性）に設定される。また、第５の通信用ポートＣＰ５の極性がＬＯＷレベル（第２極性）に設定されることにより、第１１の端子ＬＣ１１がＬＯＷレベル（第２極性）に設定される。
【０４０６】
《カメラ側での互換性の判定》
カメラ側判定部７２として機能するカメラマイコン３４は、レンズマイコン１１４が起動したことを検出したタイミングで第５の通信用ポートＣＰ５（第１１の端子ＣＣ１１）の極性を検出し、互換性の有無を判定する。具体的には、第１の通信用ポートＣＰ１がＬＯＷレベルに切り換わったことを検出したタイミングで第５の通信用ポートＣＰ５の極性を検出し、互換性の有無を判定する。
【０４０７】
上記のように、第５の通信用ポートＣＰ５は、カメラ１０及びレンズ１００の双方で第５の通信用ポートＣＰ５、ＬＰ５がＨＩＧＨレベルに設定されている場合にのみＨＩＧＨレベルになる。そして、カメラ１０及びレンズ１００の双方で第５の通信用ポートＣＰ５、ＬＰ５がＨＩＧＨレベルに設定される場合とは、カメラ１０及びレンズ１００の双方でレンズ情報取得機能に対応している場合である。よって、カメラマイコン３４は、第５の通信用ポートＣＰ５の極性がＨＩＧＨレベルの場合、装着されたレンズ１００がレンズ情報取得機能に対応している、と判定する。一方、第５の通信用ポートＣＰ５の極性がＬＯＷレベルの場合は、互換性なし、と判定する。なお、互換性なし、の場合とは、カメラ側がレンズ情報取得機能に対応していない場合、レンズ側がレンズ情報取得機能に対応していない場合、又は、カメラ側及びレンズ側の双方がレンズ情報取得機能に対応していない場合である。
【０４０８】
《レンズ側での互換性の判定》
レンズ側判定部１３２として機能するレンズマイコン１１４は、起動を通知するタイミングで第５の通信用ポートＬＰ５（第１１の端子ＬＣ１１）の極性を検出し、互換性の有無を判定する。具体的には、第１の通信用ポートＬＰ１をＬＯＷレベルに切り換えるタイミングで第５の通信用ポートＬＰ５の極性を検出し、互換性の有無を判定する。
【０４０９】
カメラ側と同様に、レンズ側の第５の通信用ポートＬＰ５は、カメラ１０及びレンズ１００の双方で第５の通信用ポートＣＰ５、ＬＰ５がＨＩＧＨレベルに設定されている場合にのみＨＩＧＨレベルになる。上記のように、カメラ１０及びレンズ１００の双方で第５の通信用ポートＣＰ５、ＬＰ５がＨＩＧＨレベルに設定される場合とは、カメラ１０及びレンズ１００の双方でレンズ情報取得機能に対応している場合である。よって、レンズマイコン１１４は、第５の通信用ポートＬＰ５の極性がＨＩＧＨレベルの場合、装着先のカメラ１０がレンズ情報取得機能に対応している、と判定する。一方、第５の通信用ポートＬＰ５の極性がＬＯＷレベルの場合は、互換性なし、と判定する。なお、互換性なし、の場合とは、カメラ側がレンズ情報取得機能に対応していない場合、レンズ側がレンズ情報取得機能に対応していない場合、又は、カメラ側及びレンズ側の双方がレンズ情報取得機能に対応していない場合である。
【０４１０】
このように、カメラ側では第５の通信用ポートＣＰ５（第１１の端子ＣＣ１１）、レンズ側では第５の通信用ポートＬＰ５（第１１の端子ＬＣ１１）の極性を検出することにより、カメラ１０及びレンズ１００の双方で互換性の有無を判定できる。
【０４１１】
《判定例》
いま、カメラシステム１が、三つのカメラと、三つのレンズと、で構成されている場合を考える。三つのカメラを第１カメラ、第２カメラ及び第３カメラとし、三つのレンズを第１レンズ、第２レンズ及び第３レンズとする。カメラについては、第１カメラのみがアクセサリー検出機能に対応しており、他はアクセサリー検出機能に対応していないとする。また、レンズについては、第１レンズのみがアクセサリー検出機能に対応しており、他はアクセサリー検出機能に対応していないとする。
【０４１２】
この場合、第１カメラと第１レンズとを組み合わせた場合にのみ、第５の通信用ポートＣＰ５、ＬＰ５の極性がＨＩＧＨレベルになる。他の組み合わせ、すなわち、第１カメラと第２レンズ、第１カメラと第３レンズ、第２カメラと第１レンズ、第２カメラと第２レンズ、第２カメラと第３レンズ、第３カメラと第１レンズ、第３カメラと第２レンズ、及び、第３カメラと第３レンズとの組み合わせでは、すべて第５の通信用ポートＣＰ５、ＬＰ５の極性がＬＯＷレベルになる。
【０４１３】
したがって、カメラ及びレンズの双方で第５の通信用ポートＣＰ５、ＬＰ５の極性を検出すれば、カメラ１０及びレンズ１００の双方で互換性の有無を判定できる。具体的には、カメラ及びレンズの双方で第５の通信用ポートＣＰ５、ＬＰ５の極性がＨＩＧＨレベルの場合、カメラ及びレンズの双方がアクセサリー検出機能に対応していると判定できる。一方、カメラ及びレンズの双方で第５の通信用ポートＣＰ５、ＬＰ５の極性がＬＯＷレベルの場合、少なくとも一方がアクセサリー検出機能に対応していないと判定できる。すなわち、互換性なし、と判定できる。
【０４１４】
《互換性の有無の判定後の処理》
互換性有無の判定の結果、カメラ１０及びレンズ１００の双方がアクセサリー検出機能に対応している場合、アクセサリー２００の検出処理が実施される。
【０４１５】
カメラ１０及びレンズ１００の少なくとも一方がアクセサリー検出機能に対応していないことにより、互換性なしと判定されると、アクセサリー２００の検出処理は実施されない。この場合、たとえば、３線式シリアル通信により、装着されたアクセサリー２００の情報が取得される。
【０４１６】
なお、上記のように、カメラ１０は、第１２の端子Ａ１Ｃ１２の極性を検出することにより、少なくともアクセサリー２００の装着の有無を検出できる。
【０４１７】
互換性の有無を判定する処理が終了すると、カメラ１０及びレンズ１００は、３線式シリアル通信を行うための初期設定を行う。アクセサリー２００の検出処理を実行する場合、この処理はアクセサリー２００の検出処理と並行して行われる。
【０４１８】
このように、本実施の形態のカメラシステムによれば、互換性の有無を検出できるので、適切にアクセサリーの検出処理を実施できる。
【０４１９】
◆◆その他の実施の形態◆◆
［レンズ情報の取得］
上記実施の形態では、３線式シリアル通信によって、レンズ１００からレンズ情報を取得する構成としているが、次の方法でレンズ情報を取得することもできる。すなわち、アクセサリーの検出処理を実施する際、レンズから送信するアクセサリー検出用データにレンズ情報を含めて、アクセサリー検出用データをレンズから送信する。これにより、アクセサリー検出と同時にレンズ情報も取得できる。この場合、中間のアクセサリーのアクセサリー情報は、レンズ情報の後に順次追加される。
【０４２０】
［アクセサリーの装着数の検出］
上記実施の形態では、アクセサリー検出用データに含まれるアクセサリー情報の数をカウントして、装着されているアクセサリーの数を検出する構成としているが、アクセサリーの装着数を検出する方法は、これに限定されるものではない。この他、たとえば、アクセサリー検出用データに装着数の情報を含め、各アクセサリーがアクセサリー検出用データを更新するたびに装着数を１ずつ加算する構成としてもよい。これにより、アクセサリー検出用データから装着数の情報を直接取得できる。
【０４２１】
［上限を超えてアクセサリーが装着された場合の取り扱い］
アクセサリーが、アクセサリー検出用データを中継する過程で装着数の上限を超えたことを検知した場合、以後のアクセサリーは、アクセサリー情報を付加せずにアクセサリー検出用データを転送するように構成してもよい。これにより、アクセサリー検出用データのデータ長が無制限に長くなるのを防止できる。なお、この場合、アクセサリー検出用データに装着数の情報を含め、アクセサリーがアクセサリー検出用データを中継するたびに、装着数の情報を更新（１加算）する構成とする。また、この場合、上限を超えた以降のアクセサリーは、装着数の情報のみを更新することが好ましい。
【０４２２】
［アクセサリーの通信モードの切り換え］
上記実施の形態では、アクセサリーが、アクセサリー検出用データを送信すると自動的に通信モードがバイパスモードに切り換わる構成としているが、カメラからの指示に応じて通信モードを切り換える構成とすることもできる。
【０４２３】
また、アクセサリーの装着の適否の判定結果に応じてアクセサリーの通信モードを切り換える構成としてもよい。
【０４２４】
図２３は、アクセサリーの装着の適否の判定結果に応じてアクセサリーの通信モードを切り換える手順の一例を示すフローチャートである。
【０４２５】
まず、アクセサリーの検出処理の可否が判定される（ステップＳ３１）。カメラ及び／又はレンズがアクセサリー検出機能に対応していない場合、アクセサリーが通信機能を備えていない場合、通信エラーが発生した場合などは、アクセサリーの検出処理ができない。この場合、カメラマイコン３４は、アクセサリーが装着されていないものとして取り扱う。そして、第１２の端子を介した通信（副信号線による通信）を使用不可に設定する。
【０４２６】
一方、アクセサリーの検出処理が可能で、実際にアクセサリーの検出処理が行われた場合は、次の手順で通信モードの設定が行われる。
【０４２７】
まず、アクセサリーの装着の有無が判定される（ステップＳ３２）。アクセサリーの装着がない場合、通信モードの設定は行われない。この場合、第１２の端子は、レンズとカメラ間で単線式シリアル通信に使用される。
【０４２８】
アクセサリーの装着あり、と判定されると、次に、装着数の適否が判定される（ステップＳ３３）。アクセサリーの装着数が、あらかじめ設定されている装着数の上限を超えており、装着数が不適正と判定すると、カメラマイコン３４は、アクセサリーが装着されていないものとして取り扱う。そして、第１２の端子を介した通信（副信号線による通信）を使用不可に設定する。
【０４２９】
装着数が適正と判定されると、次に、アクセサリーの正否が判定される（ステップＳ３４）すなわち、装着されているアクセサリーが正規の製品か否かが判定される。装着されているアクセサリーが正規の製品でないと判定すると、カメラマイコン３４は、アクセサリーが装着されていないものとして取り扱う。そして、第１２の端子を介した通信（副信号線による通信）を使用不可に設定する。
【０４３０】
装着されているアクセサリーが正規の製品である、と判定されると、次に、アクセサリーの装着順の適否が判定される（ステップＳ３５）。アクセサリーの装着順が不適正と判定すると、カメラマイコン３４は、アクセサリーの装着あり、とし、通信モードをバイパスモードに設定する。
【０４３１】
装着されているアクセサリーの装着順が適正と判定されると、次に、通常通信モードへの設定指示の有無が判定される（ステップＳ３６）。すなわち、通信モードを通常通信モードに設定すべきとの指示がある場合は、それに従い通信モードを通常通信モードに設定する。一方、通常通信モードへの設定指示がない場合は、通常通信モードをバイパスモードに設定する。
【０４３２】
なお、この場合、通常通信モードへの設定指示は、アクセサリー情報に含められる。カメラマイコン３４は、アクセサリー検出用データから取得したアクセサリー情報に基づいて、通信モードを設定する。
【０４３３】
このように、アクセサリーの装着の適否の判定結果に応じてアクセサリーの通信モードを切り換えることにより、第１２の端子を使用した通信（副信号線を使用した通信）をより適切に実施できる。
【０４３４】
［レンズ駆動用電源の強化］
電源供給部４２が、特定の電源の供給能力を強化する機能（供給能力強化機能）を備え、レンズ駆動用電源の供給能力を強化できるように構成してもよい。この場合、電源供給部４２は、複数供給するレンズ駆動用電源のうちの最も高い電圧のレンズ駆動用電源の供給能力を強化させる構成にする。
【０４３５】
供給能力を強化する態様としては、供給する電圧を高くする態様、及び／又は、供給する電流量を大きくする態様を採用できる。
【０４３６】
カメラマイコン３４は、必要に応じて最も高い電圧のレンズ駆動用電源の供給能力を強化させる。たとえば、レンズ駆動用電源の供給能力を強化することにより駆動性能を向上できるレンズが装着された場合は、最も高い電圧のレンズ駆動用電源の供給能力を強化させる。
【０４３７】
レンズ駆動用電源の供給能力を強化することにより駆動性能を向上できるレンズであるか否かは、レンズごとに異なる。レンズ駆動用電源の供給能力を強化することにより駆動性能を向上できるレンズについては、その情報をレンズマイコン１１４のＲＯＭに格納し、レンズ情報に含めて、カメラ１０に送信する。
【０４３８】
カメラマイコン３４は、取得したレンズ情報に基づいて、装着されたレンズが、レンズ駆動用電源の供給能力を強化することにより、駆動性能を向上できるレンズであるか否かを判断する。すなわち、供給能力が強化されたレンズ駆動用電源の供給の要否を判別する。そして、供給能力が強化されたレンズ駆動用電源の供給が必要である、と判別すると、電源供給部４２の供給能力強化機能を動作させる。これにより、電源供給部４２から供給能力を強化したレンズ駆動用電源が供給される。なお、この場合、上記のように、最も高い電圧のレンズ駆動用電源の供給能力が強化されて供給される。
【０４３９】
このように、必要に応じてレンズ駆動用電源の供給能力を強化することにより、レンズごとに必要な電源を適切に供給できる。また、これにより、レンズの高性能化が図れる。
【０４４０】
［カメラシステムの構成］
カメラシステムは、少なくとも一つのカメラと、少なくとも一つのレンズと、少なくとも一つのアクセサリーで構成できる。
【０４４１】
また、上記実施の形態では、カメラをデジタルカメラで構成しているが、いわゆる銀塩カメラにも適用できる。
【０４４２】
上記実施の形態では、レンズとして、ＡＦ機能及び絞りを備えたレンズを例に説明したが、レンズに備える機能は、これに限定されるものではない。この他、たとえば、電動式のズーム機能等を備えてもよい。電動式のズーム機能を備えたレンズでは、ズーム用の光学部材であるズームレンズを駆動するズーム駆動部が備えられる。
【０４４３】
アクセサリーには、上記のように、エクステンダー、エクステンションチューブ等の公知のアクセサリーを採用できる。アクセサリーに駆動部が備えられる場合は、レンズ駆動用電源を利用して駆動部が駆動される。
【０４４４】
［レンズ駆動用電源の種類］
カメラからレンズに供給するレンズ駆動用電源の種類は、カメラシステムを構成するレンズに応じて適宜設定される。たとえば、カメラシステムを構成するレンズの一つが４つの光学部材駆動部を備えており（たとえば、フォーカス駆動部、手ブレ補正機構駆動部、絞り駆動部及びズーム駆動部）それぞれが異なる動作電圧で動作する場合、４種類のレンズ駆動用電源がカメラから供給される。この場合、電源端子として４つの端子が、カメラ側端子群及びレンズ側端子群に備えられる。
【０４４５】
［グランド端子］
上記実施の形態では、グランド端子を二つ備えているが、グランド端子は一つで構成することもできる。なお、上記実施の形態のカメラシステムのように、グランド端子を複数備えることにより、より安定した電源供給が可能になる。
【０４４６】
なお、上記実施の形態では、独立した二つのグランド端子を備えているが、二つのグランド端子を繋げてもよい。これにより、端子の面積を拡大でき、より安定した電源供給が可能になる。
【０４４７】
［レンズマイコンにシステム電源が正常に供給されたことの検出］
上記実施の形態では、特定の端子の極性を判別して、レンズマイコンにシステム電源が正常に供給されたことを検出しているが、極性を判別する端子は、少なくとも一つでよい。すなわち、レンズ側において、プルアップ抵抗を介してシステム電源の電位にプルアップする端子は、少なくとも一つあればよい。この場合、電源端子及びグランド端子を除いた少なくとも一つの端子を検出用の端子として使用する。
【０４４８】
なお、上記実施の形態のカメラシステム１のように、複数の端子の極性を判別することにより、レンズマイコンにシステム電源が正常に供給されたことを、より正確に検出できる。
【０４４９】
［各種の処理を行う構成］
上記実施の形態では、各種処理を行うカメラ制御部をマイコン（カメラマイコン）で構成しているが、各種処理を行うためのハードウェア的な構成は、これに限定されるものではない。各種のプロセッサーで構成できる。各種のプロセッサーには、ソフトウェア（プログラム）を実行して各種の処理を行う処理部として機能する汎用的なプロセッサーであるＣＰＵ、ＦＰＧＡ（ＦＰＧＡ：Field Programmable Gate Array）などの製造後に回路構成を変更可能なプロセッサーであるＰＬＤ（ＰＬＤ：Programmable Logic Device）、ＡＳＩＣ（ＡＳＩＣ：Application Specific Integrated Circuit）などの特定の処理を実行させるために専用に設計された回路構成を有するプロセッサーである専用電気回路などが含まれる。
【０４５０】
一つの処理部は、これら各種のプロセッサーのうちの一つで構成されていてもよいし、同種又は異種の二つ以上のプロセッサーで構成されていてもよい。たとえば、複数のＦＰＧＡで構成されてもよいし、ＣＰＵ及びＦＰＧＡの組み合わせで構成されてもよい。
【０４５１】
また、複数の処理部を一つのプロセッサーで構成してもよい。複数の処理部を一つのプロセッサーで構成する例としては、第１に、クライアント、サーバなどのコンピューターに代表されるように、一つ以上のＣＰＵとソフトウェアとの組合せで一つのプロセッサーを構成し、このプロセッサーが複数の処理部として機能する形態がある。第２に、システムオンチップ（ＳｏＣ：System On Chip）などに代表されるように、複数の処理部を含むシステム全体の機能を一つのＩＣチップ（ＩＣ：Integrated Circuit）で実現するプロセッサーを使用する形態がある。このように、各種の処理部は、ハードウェア的な構造として、上記各種のプロセッサーを一つ以上用いて構成される。
【０４５２】
更に、これらの各種のプロセッサーのハードウェア的な構造は、より具体的には、半導体素子などの回路素子を組み合わせた電気回路である。
【実施例】
【０４５３】
［アクセサリー検出用データの一例］
図２４は、アクセサリー検出用データのデータ構造の一例を示す図である。
【０４５４】
ここで、同図（Ａ）は、レンズから送信するアクセサリー検出用データの例を示している。また、同図（Ｂ）は、アクセサリーが１つ装着された場合のアクセサリー検出用データの例を示している。また、同図（Ｃ）は、アクセサリーが２つ装着された場合のアクセサリー検出用データの例を示している。また、同図（Ｄ）は、アクセサリーが５つ装着された場合のアクセサリー検出用データの例を示している。
【０４５５】
なお、本例では、アクセサリーの装着数に上限が定められており、上限を超えてアクセサリーが装着されると、以下のように取り扱われるものとする。すなわち、上限を超えた部分のアクセサリーについては、アクセサリー情報を付加せずにアクセサリー検出用データを更新する。本例における装着数の上限は４つである。したがって、５つ以上のアクセサリーが装着された場合、５つ目以降のアクセサリーについては、アクセサリー情報を付加せずにアクセサリー検出用データを更新する。
【０４５６】
《レンズから送信されるアクセサリー検出用データ》
図２４（Ａ）に示すように、本例において、レンズから送信されるアクセサリー検出用データは、４バイトのデータで構成され、先頭から順にデータ長の情報、Commandの情報、装着数の情報、チェックサム（Check Sum）の情報が格納される。各情報は１バイトのデータで構成される。データ長は、初期値として１が設定される。装着数は、装着されているアクセサリーの数の情報であり、初期値は０が設定される。
【０４５７】
アクセサリーの装着がない場合、この図２４（Ａ）に示すアクセサリー検出用データが、そのままカメラで受信される。
【０４５８】
《アクセサリーが１つ装着された場合》
アクセサリーが１つ装着された場合、図２４（Ｂ）に示すように、アクセサリー情報が付加される。アクセサリー情報が４０バイトのデータで構成され、装着数の情報とチェックサムの情報との間に格納される。アクセサリーが１つ装着されることにより、装着数が１加算され、「１」となる。また、データ長は、４０バイトのアクセサリー情報が追加されることにより、４０加算され、「１＋４０」となる。
【０４５９】
《アクセサリーが２つ装着された場合》
アクセサリーが２つ装着された場合、図２４（Ｃ）に示すように、更に１つアクセサリー情報が付加される。既存のアクセサリー情報（１つ目のアクセサリー情報）の直後に格納される。アクセサリーが更に１つ装着されることにより、装着数が１加算され、「２」となる。また、データ長は、４０バイトのアクセサリー情報が追加されることにより、更に４０加算され、「１＋４０×２」となる。
【０４６０】
《上限を超えてアクセサリーが装着された場合》
図２４（Ｄ）は、アクセサリーが５つ装着された場合のアクセサリー検出用データの例である。上記のように、本例において、アクセサリーの装着数の上限は４つであるので、図２４（Ｄ）は、上限を超えてアクセサリーが装着された場合の例である。
【０４６１】
上限を超えてアクセサリーが装着された場合、上限を超えた部分のアクセサリーについては、アクセサリー情報が付加されない。したがって、アクセサリー情報は、４つまでの情報が格納される。
【０４６２】
一方、装着数の情報は更新され、「５」となる。したがって、アクセサリー検出用データを受信したカメラは、少なくとも装着数を検出できる。
【０４６３】
データ長については、アクセサリー情報が追加されないので、４つ目までのデータ長と同じになる。すなわち、「１＋４０×４」となる。
【０４６４】
［アクセサリー検出用データの一例］
図２５は、アクセサリー情報に含めるデータの一例を示す図である。
【０４６５】
アクセサリー情報には、アクセサリー特性データとして、１バイトのデータが含まれる。アクセサリー特性データは、第０ビット目が通常通信モード設定の有無、第１ビット目が光学倍率変化の有無、第２ビット目がアクセサリー装着位置限定（レンズ直後）の有無、第３ビット目がアクセサリー装着位置限定（カメラ直前）の有無、第４ビット目が光学補正データの有無、第６ビット目が光学補正有効装着位置（レンズ直後）の有無、第７ビット目が光学補正有効装着位置（カメラ直前）の有無を示す。
【０４６６】
第０ビット目の通常通信モード設定の有無は、アクセサリー検出処理後に設定するアクセサリーの通信モードの情報を示す。アクセサリー検出処理後にアクセサリーの通信モードを通常通信モードに設定する場合、「有り」として「１」が設定される。アクセサリー検出処理後にアクセサリーの通信モードを通常通信モードに設定しなくてもよい場合、「無し」として「０」が設定される。したがって、第０ビット目の状態を検知すれば、アクセサリー検出処理後にアクセサリーの通信モードを通常通信モードに設定すべきか否かを判定できる。
【０４６７】
第１ビット目の光学倍率変化の有無は、当該アクセサリーを装着することにより、光学倍率が変化するか否かを示す。変化する場合、「有り」として「１」が設定され、変化しない場合、「無し」として「０」が設定される。したがって、第１ビット目の状態を検知すれば、光学倍率の変化の有無を判定できる。
【０４６８】
第２ビット目のアクセサリー装着位置限定（レンズ直後）の有無は、当該アクセサリーの装着位置として、当該アクセサリーをレンズ直後に装着すべきか否かを示す。レンズ直後に装着すべき場合は、装着位置の限定「有り」として「１」が設定され、レンズ直後に装着しなくてもよい場合は、装着位置の限定「無し」として「０」が設定される。したがって、第２ビット目の状態を検知すれば、当該アクセサリーをレンズ直後に装着すべきか否かを判定できる。
【０４６９】
第３ビット目のアクセサリー装着位置限定（カメラ直前）の有無は、当該アクセサリーの装着位置として、当該アクセサリーをカメラ直前に装着すべきか否かを示す。カメラ直前に装着すべき場合は、装着位置の限定「有り」として「１」が設定され、カメラ直前に装着しなくてもよい場合は、装着位置の限定「無し」として「０」が設定される。したがって、第３ビット目の状態を検知すれば、当該アクセサリーをカメラ直前に装着すべきか否かを判定できる。
【０４７０】
第４ビット目の光学補正データの有無は、光学補正データの有無を示す。光学補正データがある場合は、「有り」として「１」が設定され、光学補正データがない場合は、「無し」として「０」が設定される。したがって、第４ビット目の状態を検知すれば、光学補正データの有無を判定できる。
【０４７１】
第６ビット目の光学補正有効装着位置（レンズ直後）の有無は、光学補正が有効になる装着位置として、当該アクセサリーをレンズ直後に装着すべきか否かを示す。レンズ直後に装着すべき場合は、装着位置の限定「有り」として「１」が設定され、レンズ直後に装着しなくてもよい場合は、装着位置の限定「無し」として「０」が設定される。したがって、第６ビット目の状態を検知すれば、光学補正を有効にするために、当該アクセサリーをレンズ直後に装着すべきか否かを判定できる。
【０４７２】
第７ビット目の光学補正有効装着位置（カメラ直前）の有無は、光学補正が有効になる装着位置として、当該アクセサリーをカメラ直前に装着すべきか否かを示す。カメラ直前に装着すべき場合は、装着位置の限定「有り」として「１」が設定され、カメラ直前に装着しなくてもよい場合は、装着位置の限定「無し」として「０」が設定される。したがって、第７ビット目の状態を検知すれば、光学補正が有効にするために、当該アクセサリーをカメラ直前に装着すべきか否かを判定できる。
【符号の説明】
【０４７３】
１  カメラシステム
１０  カメラ
１２  カメラボディー
１４  カメラ側マウント
１６  イメージセンサー
１８  シャッター
２０  イメージセンサー駆動部
２２  シャッター駆動部
２４  アナログ信号処理部
２６  表示部
２８  画像データ記憶部
３０  カメラ操作部
３２  電源部
３４  カメラマイコン
４０  バッテリー
４２  電源供給部
４４  レンズ駆動用電源スイッチ部
５０  デジタル信号処理部
５２  表示制御部
５４  記録制御部
５６  電源制御部
５８  レンズ駆動用電源スイッチ制御部
６０  レンズ装着検出部
６２  カメラ通信部
６４  カメラマイコン入出力ポート
７０  カメラ側極性設定部
７２  カメラ側判定部
１００  レンズ
１０２  レンズ鏡胴
１０４  レンズ側マウント
１０６Ａ  フォーカスレンズ
１０６Ｃ  絞り
１１０  レンズ駆動部
１１０Ａ  フォーカス駆動部
１１０Ｃ  絞り駆動部
１１２  レンズ側システム電源生成部
１１４  レンズマイコン
１２０  フォーカス駆動制御部
１２４  絞り駆動制御部
１２６  レンズ通信部
１２８  レンズマイコン入出力ポート
１３０  レンズ側極性設定部
１３２  レンズ側判定部
２００  アクセサリー
２０２  鏡胴
２０４Ａ  アクセサリー側第１マウント
２０４Ｂ  アクセサリー側第２マウント
２１０  アクセサリーマイコン
２１２  アクセサリー通信部
２１４  バイパス制御部
２１６  アクセサリーマイコン入出力ポート
２３０  バイパス信号線
２３２  通信経路切換スイッチ
２３４  第１のＦＥＴ
２３６  第２のＦＥＴ
２３８  配線
２４０  第３のＦＥＴ
２４２  プルアップ抵抗
２４４  配線
２５０  アクセサリー側システム電源生成部
２６０  配線
Ａ  第１アクセサリー
Ｂ  第２アクセサリー
Ｉａ  第１アクセサリーＡのアクセサリー情報
Ｉｂ  第２アクセサリーＢのアクセサリー情報
Ａ１ＣＧ  アクセサリー側第１端子群
Ａ１Ｃ１  アクセサリー側第１端子群の第１の端子
Ａ１Ｃ２  アクセサリー側第１端子群の第２の端子
Ａ１Ｃ３  アクセサリー側第１端子群の第３の端子
Ａ１Ｃ４  アクセサリー側第１端子群の第４の端子
Ａ１Ｃ５  アクセサリー側第１端子群の第５の端子
Ａ１Ｃ６  アクセサリー側第１端子群の第６の端子
Ａ１Ｃ７  アクセサリー側第１端子群の第７の端子
Ａ１Ｃ８  アクセサリー側第１端子群の第８の端子
Ａ１Ｃ９  アクセサリー側第１端子群の第９の端子
Ａ１Ｃ１０  アクセサリー側第１端子群の第１０の端子
Ａ１Ｃ１１  アクセサリー側第１端子群の第１１の端子
Ａ１Ｃ１２  アクセサリー側第１端子群の第１２の端子
Ａ２ＣＧ  アクセサリー側第２端子群
Ａ２Ｃ１  アクセサリー側第２端子群の第１の端子
Ａ２Ｃ２  アクセサリー側第２端子群の第２の端子
Ａ２Ｃ３  アクセサリー側第２端子群の第３の端子
Ａ２Ｃ４  アクセサリー側第２端子群の第４の端子
Ａ２Ｃ５  アクセサリー側第２端子群の第５の端子
Ａ２Ｃ６  アクセサリー側第２端子群の第６の端子
Ａ２Ｃ７  アクセサリー側第２端子群の第７の端子
Ａ２Ｃ８  アクセサリー側第２端子群の第８の端子
Ａ２Ｃ９  アクセサリー側第２端子群の第９の端子
Ａ２Ｃ１０  アクセサリー側第２端子群の第１０の端子
Ａ２Ｃ１１  アクセサリー側第２端子群の第１１の端子
Ａ２Ｃ１２  アクセサリー側第２端子群の第１２の端子
ＡＬ１  アクセサリーの第１の接続配線
ＡＬ２  アクセサリーの第２の接続配線
ＡＬ３  アクセサリーの第３の接続配線
ＡＬ４  アクセサリーの第４の接続配線
ＡＬ５Ａ  アクセサリーの第５の接続配線
ＡＬ５Ｂ  アクセサリーの第５の接続配線
ＡＬ６  アクセサリーの第６の接続配線
ＡＬ７  アクセサリーの第７の接続配線
ＡＬ８  アクセサリーの第８の接続配線
ＡＬ９  アクセサリーの第９の接続配線
ＡＬ１０  アクセサリーの第１０の接続配線
ＡＬ１１  アクセサリーの第１１の接続配線
ＡＬ１２Ａ  アクセサリー側第１副信号線
ＡＬ１２Ｂ  アクセサリー側第２副信号線
ＡＰ１  アクセサリーマイコンの第１のポート
ＡＰ２  アクセサリーマイコンの第２のポート
ＡＰ３  アクセサリーマイコンの第３のポート
ＡＰ４  アクセサリーマイコンの第４のポート
ＡＲ１２  プルダウン抵抗
ＣＣＧ  カメラ側端子群
ＣＣ１  カメラ側端子群の第１の端子
ＣＣ２  カメラ側端子群の第２の端子
ＣＣ３  カメラ側端子群の第３の端子
ＣＣ４  カメラ側端子群の第４の端子
ＣＣ５  カメラ側端子群の第５の端子
ＣＣ６  カメラ側端子群の第６の端子
ＣＣ７  カメラ側端子群の第７の端子
ＣＣ８  カメラ側端子群の第８の端子
ＣＣ９  カメラ側端子群の第９の端子
ＣＣ１０  カメラ側端子群の第１０の端子
ＣＣ１１  カメラ側端子群の第１１の端子
ＣＣ１２  カメラ側端子群の第１２の端子
ＣＬ７  カメラの第７の信号線
ＣＬ８  カメラの第８の信号線
ＣＬ９  カメラの第９の信号線
ＣＬ１０  カメラの第１０の信号線
ＣＬ１１  カメラの第１１の信号線
ＣＬ１２  カメラの第１２の信号線
ＣＰ０  カメラマイコンのレンズ検出用ポート
ＣＰ１  カメラマイコンの第１の通信用ポート
ＣＰ２  カメラマイコンの第２の通信用ポート
ＣＰ３  カメラマイコンの第３の通信用ポート
ＣＰ４  カメラマイコンの第４の通信用ポート
ＣＰ５  カメラマイコンの第５の通信用ポート
ＣＰ６  カメラマイコンの第６の通信用ポート
ＣＰ７  カメラマイコンの第７の通信用ポート
ＣＲ１  プルアップ抵抗
ＬＣＧ  レンズ側端子群
ＬＣ１  レンズ側端子群の第１の端子
ＬＣ２  レンズ側端子群の第２の端子
ＬＣ３  レンズ側端子群の第３の端子
ＬＣ４  レンズ側端子群の第４の端子
ＬＣ５  レンズ側端子群の第５の端子
ＬＣ６  レンズ側端子群の第６の端子
ＬＣ７  レンズ側端子群の第７の端子
ＬＣ８  レンズ側端子群の第８の端子
ＬＣ９  レンズ側端子群の第９の端子
ＬＣ１０  レンズ側端子群の第１０の端子
ＬＣ１１  レンズ側端子群の第１１の端子
ＬＣ１２  レンズ側端子群の第１２の端子
ＬＬ７  レンズの第７の信号線
ＬＬ８  レンズの第８の信号線
ＬＬ９  レンズの第９の信号線
ＬＬ１０  レンズの第１０の信号線
ＬＬ１１  レンズの第１１の信号線
ＬＬ１２  レンズの第１２の信号線
ＬＬＣ１１  レンズの第１１の信号線
ＬＰ１  レンズマイコンの第１の通信用ポート
ＬＰ２  レンズマイコンの第２の通信用ポート
ＬＰ３  レンズマイコンの第３の通信用ポート
ＬＰ４  レンズマイコンの第４の通信用ポート
ＬＰ５  レンズマイコンの第５の通信用ポート
ＬＰ６  レンズマイコンの第６の通信用ポート
ＬＰ７  レンズマイコンの第７の通信用ポート
ＬＲ１  プルダウン抵抗
ＬＲ１２  プルアップ抵抗
ＬＲ７  プルアップ抵抗
ＬＲ８  プルアップ抵抗
ＬＲ９  プルダウン抵抗
ＬＶ１  第１のレンズ駆動用電源
ＬＶ２  第２のレンズ駆動用電源
ＬＶ３  第３のレンズ駆動用電源
Ｒ  カメラにレンズを装着する場合のレンズの回転方向
Ｓ１０〜Ｓ１８  アクセサリーの検出処理の手順
Ｓ２０〜Ｓ２６  アクセサリーの装着の適否を判定する手順
Ｓ３１〜Ｓ３６  アクセサリーの装着の適否の判定結果に応じてアクセサリーの通信モードを切り換える手順
【図１】
2020003810.tif 000003
【図２】
2020003810.tif 000004
【図３】
2020003810.tif 000005
【図４】
2020003810.tif 000006
【図５】
2020003810.tif 000007
【図６】
2020003810.tif 000008
【図７】
2020003810.tif 000009
【図８】
2020003810.tif 000010
【図９】
2020003810.tif 000011
【図１０】
2020003810.tif 000012
【図１１】
2020003810.tif 000013
【図１２】
2020003810.tif 000014
【図１３】
2020003810.tif 000015
【図１４】
2020003810.tif 000016
【図１５】
2020003810.tif 000017
【図１６】
2020003810.tif 000018
【図１７】
2020003810.tif 000019
【図１８】
2020003810.tif 000020
【図１９】
2020003810.tif 000021
【図２０】
2020003810.tif 000022
【図２１】
2020003810.tif 000023
【図２２】
2020003810.tif 000024
【図２３】
2020003810.tif 000025
【図２４】
2020003810.tif 000026
【図２５】
2020003810.tif 000027
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
カメラ又は他のアクセサリーと接続される第１マウントと、
レンズ又は他のアクセサリーと接続される第２マウントと、
前記第１マウントに備えられる第１端子と、
前記第２マウントに備えられる第２端子と、
前記第１端子と単線の信号線を介して接続され、かつ、前記第２端子と単線の信号線を介して接続され、前記第２端子を介して単方向のシリアル通信によりアクセサリー検出用データを受信すると、受信した前記アクセサリー検出用データにアクセサリー情報を付加して前記アクセサリー検出用データを更新し、かつ、更新した前記アクセサリー検出用データを単方向のシリアル通信により前記第１端子から送信するアクセサリー制御部と、
を備えたアクセサリー。
【請求項２】
前記アクセサリー制御部は、前記アクセサリー検出用データを受信すると、前記アクセサリー検出用データに含まれる既存の情報の後に前記アクセサリー情報を追記して前記アクセサリー検出用データを更新する、
請求項１に記載のアクセサリー。
【請求項３】
前記第１端子が、所定の電位に設定される、
請求項１又は２に記載のアクセサリー。
【請求項４】
前記第１端子が、プルダウン抵抗を介して接地され、グランドの電位に設定される、
請求項３に記載のアクセサリー。
【請求項５】
前記アクセサリー制御部を回避して、前記第１端子と前記第２端子とを直接接続するバイパス信号線と、
前記バイパス信号線に通信経路を切り換える通信経路切換スイッチと、
を更に備える請求項１から４のいずれか１項に記載のアクセサリー。
【請求項６】
前記アクセサリー制御部は、前記アクセサリー検出用データを送信した後、前記通信経路切換スイッチにより前記バイパス信号線に通信経路を切り換える、
請求項５に記載のアクセサリー。
【請求項７】
前記アクセサリー情報には、アクセサリーの機種の情報が含まれる、
請求項１から６のいずれか１項に記載のアクセサリー。
【請求項８】
前記アクセサリー情報には、有効なアクセサリーの装着位置の情報が含まれる、
請求項１から７のいずれか１項に記載のアクセサリー。
【請求項９】
前記アクセサリー情報には、アクセサリーを装着した場合の画像の補正情報が含まれる、
請求項１から８のいずれか１項に記載のアクセサリー。
【請求項１０】
第１マウントを介してカメラ又は他のアクセサリーと接続され、かつ、第２マウントを介してレンズ又は他のアクセサリーと接続されるアクセサリーの動作方法であって、
前記第２マウントに備えられた端子を介して単方向のシリアル通信によりアクセサリー検出用データを受信するステップと、
受信した前記アクセサリー検出用データにアクセサリー情報を付加して前記アクセサリー検出用データを更新するステップと、
更新した前記アクセサリー検出用データを単方向のシリアル通信により前記第１マウントに備えられた端子から送信するステップと、
を含むアクセサリーの動作方法。
【請求項１１】
受信した前記アクセサリー検出用データにアクセサリー情報を付加して前記アクセサリー検出用データを更新するステップは、受信した前記アクセサリー検出用データに含まれる既存の情報の後に前記アクセサリー情報を追記して前記アクセサリー検出用データを更新する、
請求項１０に記載のアクセサリーの動作方法。
【請求項１２】
第１マウントを介してカメラ又は他のアクセサリーと接続され、かつ、第２マウントを介してレンズ又は他のアクセサリーと接続されるアクセサリーの動作制御プログラムであって、
前記第２マウントに備えられた端子を介して単方向のシリアル通信によりアクセサリー検出用データを受信する機能と、
受信した前記アクセサリー検出用データにアクセサリー情報を付加して前記アクセサリー検出用データを更新する機能と、
更新した前記アクセサリー検出用データを単方向のシリアル通信により前記第１マウントに備えられた端子から送信する機能と、
をコンピュータに実現させるアクセサリーの動作制御プログラム。
【請求項１３】
受信した前記アクセサリー検出用データにアクセサリー情報を付加して前記アクセサリー検出用データを更新する機能は、受信した前記アクセサリー検出用データに含まれる既存の情報の後に前記アクセサリー情報を追記して前記アクセサリー検出用データを更新する、
請求項１２に記載のアクセサリーの動作制御プログラム。